(57)【特許請求の範囲】
【請求項１】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、上記輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項２】
上記第１及び第２のワード列データの夫々を、ワード伝送レートを７４．２５ＭＢｐｓとする２０ビットワード列データとすることを特徴とする請求項１記載のデータ伝送方法。
【請求項３】
上記第１の双方向性波長多重カップラの第２の入出力端に導出される上記第２の光信号に光電処理を施して、上記第３のシリアルデータを再生するとともに、上記第２の双方向性波長多重カップラーの第５の入出力端に導出される上記第１の光信号に光電処理を施して、上記複合シリアルデータを再生することを特徴とする請求項１記載のデータ伝送方法。
【請求項４】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、上記緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第１及び第２のワード列データを形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項５】
上記第１及び第２のワード列データの夫々を、ワード伝送レートを７４．２５ＭＢｐｓとする２０ビットワード列データとすることを特徴とする請求項４記載のデータ伝送方法。
【請求項６】
上記第１の双方向性波長多重カップラの第２の入出力端に導出される上記第２の光信号に光電処理を施して、上記第３のシリアルデータを再生するとともに、上記第２の双方向性波長多重カップラーの第５の入出力端に導出される上記第１の光信号に光電処理を施して、上記複合シリアルデータを再生することを特徴とする請求項４記載のデータ伝送方法。
【請求項７】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、上記緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項８】
上記第１及び第２のワード列データの夫々を、ワード伝送レートを７４．２５ＭＢｐｓとする２０ビットワード列データとすることを特徴とする請求項７記載のデータ伝送方法。
【請求項９】
上記第１の双方向性波長多重カップラの第２の入出力端に導出される上記第２の光信号に光電処理を施して、上記第３のシリアルデータを再生するとともに、上記第２の双方向性波長多重カップラーの第５の入出力端に導出される上記第１の光信号に光電処理を施して、上記複合シリアルデータを再生することを特徴とする請求項７記載のデータ伝送方法。
【請求項１０】
フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、上記輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項１１】
上記第１及び第２のワード列データの夫々を、ワード伝送レートを７４．２５ＭＢｐｓとする２０ビットワード列データとすることを特徴とする請求項１０記載のデータ伝送方法。
【請求項１２】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、上記緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部と含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第１及び第２のワード列データを形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項１３】
上記第１及び第２のワード列データの夫々を、ワード伝送レートを７４．２５ＭＢｐｓとする２０ビットワード列データとすることを特徴とする請求項１２記載のデータ伝送方法。
【請求項１４】
フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、上記緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットとを含んだ第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項１５】
上記第１及び第２のワード列データの夫々を、ワード伝送レートを７４．２５ＭＢｐｓとする２０ビットワード列データとすることを特徴とする請求項１４記載のデータ伝送方法。
【請求項１６】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた輝度信号データ系列及び色差信号データ系列と上記輝度信号データ系列と同等のデータフォーマットを有した付加情報データ系列との並列配置をもって形成された３０ビット構成とされるパラレルデータに、上記輝度信号データ系列及び色差信号データ系列に基づく第１のワード列データと、上記付加情報データ系列に基づく第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光をが変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項１７】
上記付加情報データ系列が、上記ディジタル映像信号についてのＫｅｙ信号情報をあらわすことを特徴とする請求項１６記載のデータ伝送方法。
【請求項１８】
上記第１及び第２のワード列データの夫々を、ワード伝送レートを７４．２５ＭＢｐｓとする２０ビットワード列データとすることを特徴とする請求項１６記載のデータ伝送方法。
【請求項１９】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列，青色原色信号データ系列及び赤色原色信号データ系列と上記緑色原色信号データ系列と同等のデータフォーマットを有した付加情報データ系列との並列配置をもって形成された４０ビット構成とされるパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく第１のワード列データと、上記第２のワードグループに基づく第２のワード列データと、を形成するデータ処理を施し、
上記第１及び第２のワード列データに夫々基づく第１及び第２のシリアルデータを得て、
該第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、光信号伝送ケーブルに送出して該光信号伝送ケーブルの一端側から他端側へと伝送するとともに、
第３のシリアルデータを１．３μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、上記光信号伝送ケーブルに送出して上記他端側から上記一端側へと伝送し、
上記光信号伝送ケーブルの他端側に伝送された上記第１の光信号を、上記第２の双方向性波長多重カップラの上記第５の入出力端に導出するとともに、
上記光信号伝送ケーブルの一端側に伝送された上記第２の光信号を、上記第１の双方向性波長多重カップラの上記第２の入出力端に導出するデータ伝送方法。
【請求項２０】
上記付加情報データ系列が、上記ディジタル映像信号についてのＫｅｙ信号情報をあらわすことを特徴とする請求項１９記載のデータ伝送方法。
【請求項２１】
上記第１及び第２のワード列データの夫々を、ワード伝送レートを７４．２５ＭＢｐｓとする２０ビットワード列データとすることを特徴とする請求項１９記載のデータ伝送方法。
【請求項２２】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施し、
上記第３から第６までのワード列データに夫々基づく第１から第４までのシリアルデータを得て、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、第１の光信号伝送ケーブルに送出して該第１の光信号伝送ケーブルの一端側から他端側へと伝送するとともに、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、第２の光信号伝送ケーブルに送出して該第２の光信号伝送ケーブルの一端側から他端側へと伝送し、
第５のシリアルデータを１．３μｍ帯のレーザ光が変調されて得られる第３の光信号に変換して、該第３の光信号を、一端部側に第７及び第８の入出力端が設けられるとともに他端部側に第９の入出力端が設けられて成る第３の双方向性波長多重カップラにおける上記第７の入出力端に供給し、上記第９の入出力端に導出される上記第３の光信号を、上記第１の光信号伝送ケーブルに送出して上記他端側から上記一端側へと伝送するとともに、
第６のシリアルデータを１．３μｍ帯のレーザ光が変調されて得られる第４の光信号に変換して、該第４の光信号を、一端部側に第１０及び第１１の入出力端が設けられるとともに他端部側に第１２の入出力端が設けられて成る第４の双方向性波長多重カップラにおける上記第１０の入出力端に供給し、上記第１２の入出力端に導出される上記第４の光信号を、上記第２の光信号伝送ケーブルに送出して上記他端側から上記一端側へと伝送し、
上記第１の光信号伝送ケーブルの他端側に伝送された上記第１の光信号を、上記第３の双方向性波長多重カップラの上記第８の入出力端に導出し、上記第１の光信号伝送ケーブルの一端側に伝送された上記第３の光信号を、上記第１の双方向性波長多重カップラの上記第２の入出力端に導出するとともに、
上記第２の光信号伝送ケーブルの他端側に伝送された上記第２の光信号を、上記第４の双方向性波長多重カップラの上記第１１の入出力端に導出し、上記第２の光信号伝送ケーブルの一端側に伝送された上記第４の光信号を、上記第２の双方向性波長多重カップラの上記第５の入出力端に導出するデータ伝送方法。
【請求項２３】
上記第３，第４，第５及び第６のワード列データの夫々を、ワード伝送レートを７４．２５ＭＢｐｓとする２０ビットワード列データとすることを特徴とする請求項２２記載のデータ伝送方法。
【請求項２４】
上記第１の双方向性波長多重カップラの第２の入出力端に導出される上記第３の光信号に光電処理を施して、上記第５のシリアルデータを再生し、上記第３の双方向性波長多重カップラの第８の入出力端に導出される上記第１の光信号に光電処理を施して、上記第１の複合シリアルデータを再生するとともに、上記第２の双方向性波長多重カップラの第５の入出力端に導出される上記第４の光信号に光電処理を施して、上記第６のシリアルデータを再生し、上記第４の双方向性波長多重カップラの第１１の入出力端に導出される上記第２の光信号に光電処理を施して、上記第２の複合シリアルデータを再生することを特徴とする請求項２２記載のデータ伝送方法。
【請求項２５】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施し、
上記第３から第６までのワード列データに夫々基づく第１から第４までのシリアルデータを得て、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、第１の光信号伝送ケーブルに送出して該第１の光信号伝送ケーブルの一端側から他端側へと伝送するとともに、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、第２の光信号伝送ケーブルに送出して該第２の光信号伝送ケーブルの一端側から他端側へと伝送し、
第５のシリアルデータを１．３μｍ帯のレーザ光が変調されて得られる第３の光信号に変換して、該第３の光信号を、一端部側に第７及び第８の入出力端が設けられるとともに他端部側に第９の入出力端が設けられて成る第３の双方向性波長多重カップラにおける上記第７の入出力端に供給し、上記第９の入出力端に導出される上記第３の光信号を、上記第１の光信号伝送ケーブルに送出して上記他端側から上記一端側へと伝送するとともに、
第６のシリアルデータを１．３μｍ帯のレーザ光が変調されて得られる第４の光信号に変換して、該第４の光信号を、一端部側に第１０及び第１１の入出力端が設けられるとともに他端部側に第１２の入出力端が設けられて成る第４の双方向性波長多重カップラにおける上記第１０の入出力端に供給し、上記第１２の入出力端に導出される上記第４の光信号を、上記第２の光信号伝送ケーブルに送出して上記他端側から上記一端側へと伝送し、
上記第１の光信号伝送ケーブルの他端側に伝送された上記第１の光信号を、上記第３の双方向性波長多重カップラの上記第８の入出力端に導出し、上記第１の光信号伝送ケーブルの一端側に伝送された上記第３の光信号を、上記第１の双方向性波長多重カップラの上記第２の入出力端に導出するとともに、
上記第２の光信号伝送ケーブルの他端側に伝送された上記第２の光信号を、上記第４の双方向性波長多重カップラの上記第１１の入出力端に導出し、上記第２の光信号伝送ケーブルの一端側に伝送された上記第４の光信号を、上記第２の双方向性波長多重カップラの上記第５の入出力端に導出するデータ伝送方法。
【請求項２６】
上記第３，第４，第５及び第６のワード列データの夫々を、ワード伝送レートを７４．２５ＭＢｐｓとする２０ビットワード列データとすることを特徴とする請求項２５記載のデータ伝送方法。
【請求項２７】
上記第１の双方向性波長多重カップラの第２の入出力端に導出される上記第３の光信号に光電処理を施して、上記第５のシリアルデータを再生し、上記第３の双方向性波長多重カップラの第８の入出力端に導出される上記第１の光信号に光電処理を施して、上記第１の複合シリアルデータを再生するとともに、上記第２の双方向性波長多重カップラの第５の入出力端に導出される上記第４の光信号に光電処理を施して、上記第６のシリアルデータを再生し、上記第４の双方向性波長多重カップラの第１１の入出力端に導出される上記第２の光信号に光電処理を施して、上記第２の複合シリアルデータを再生することを特徴とする請求項２５記載のデータ伝送方法。
【請求項２８】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施し、
上記第３から第６までのワード列データに夫々基づく第１から第４までのシリアルデータを得て、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、第１の光信号伝送ケーブルに送出して該第１の光信号伝送ケーブルの一端側から他端側へと伝送するとともに、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、第２の光信号伝送ケーブルに送出して該第２の光信号伝送ケーブルの一端側から他端側へと伝送し、
第５のシリアルデータを１．３μｍ帯のレーザ光が変調されて得られる第３の光信号に変換して、該第３の光信号を、一端部側に第７及び第８の入出力端が設けられるとともに他端部側に第９の入出力端が設けられて成る第３の双方向性波長多重カップラにおける上記第７の入出力端に供給し、上記第９の入出力端に導出される上記第３の光信号を、上記第１の光信号伝送ケーブルに送出して上記他端側から上記一端側へと伝送するとともに、
第６のシリアルデータを１．３μｍ帯のレーザ光が変調されて得られる第４の光信号に変換して、該第４の光信号を、一端部側に第１０及び第１１の入出力端が設けられるとともに他端部側に第１２の入出力端が設けられて成る第４の双方向性波長多重カップラにおける上記第１０の入出力端に供給し、上記第１２の入出力端に導出される上記第４の光信号を、上記第２の光信号伝送ケーブルに送出して上記他端側から上記一端側へと伝送し、
上記第１の光信号伝送ケーブルの他端側に伝送された上記第１の光信号を、上記第３の双方向性波長多重カップラの上記第８の入出力端に導出し、上記第１の光信号伝送ケーブルの一端側に伝送された上記第３の光信号を、上記第１の双方向性波長多重カップラの上記第２の入出力端に導出するとともに、
上記第２の光信号伝送ケーブルの他端側に伝送された上記第２の光信号を、上記第４の双方向性波長多重カップラの上記第１１の入出力端に導出し、上記第２の光信号伝送ケーブルの一端側に伝送された上記第４の光信号を、上記第２の双方向性波長多重カップラの上記第５の入出力端に導出するデータ伝送方法。
【請求項２９】
上記第３，第４，第５及び第６のワード列データの夫々を、ワード伝送レートを７４．２５ＭＢｐｓとする２０ビットワード列データとすることを特徴とする請求項２８記載のデータ伝送方法。
【請求項３０】
上記第１の双方向性波長多重カップラの第２の入出力端に導出される上記第３の光信号に光電処理を施して、上記第５のシリアルデータを再生し、上記第３の双方向性波長多重カップラの第８の入出力端に導出される上記第１の光信号に光電処理を施して、上記第１の複合シリアルデータを再生するとともに、上記第２の双方向性波長多重カップラの第５の入出力端に導出される上記第４の光信号に光電処理を施して、上記第６のシリアルデータを再生し、上記第４の双方向性波長多重カップラの第１１の入出力端に導出される上記第２の光信号に光電処理を施して、上記第２の複合シリアルデータを再生することを特徴とする請求項２８記載のデータ伝送方法。
【請求項３１】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施し、
上記第３から第６までのワード列データに夫々基づく第１から第４までのシリアルデータを得て、
上記第１から第４までのシリアルデータを、１．５１１μｍ〜１．５７１μｍの範囲内において所定の波長間隔をおいて順次近接する第１から第４までの中心波長を夫々有した第１から第４までの光信号に変換し、
該第１から第４までの光信号を合波して多重光信号を得、該多重光信号を第１の光信号伝送ケーブルに送出して該第１の光信号伝送ケーブルの一端側から他端側へと伝送し、
第５のシリアルデータを１．３μｍ帯のレーザ光が変調されて得られる第５の光信号に変換して、該第５の光信号を第２の光信号伝送ケーブルに送出して該第２の光信号伝送ケーブルの一端側から他端側へと伝送し、
上記第１の光信号伝送ケーブルの他端側に導出される上記多重光信号に分波処理および光電処理を施して、上記第１から第４までのシリアルデータを再生するとともに、上記第２の光信号伝送ケーブルの他端側に導出される上記第５の光信号に光電処理を施して、上記第５のシリアルデータを再生するデータ伝送方法。
【請求項３２】
上記第３から第６までのワード列データの夫々を、ワード伝送レートを７４．２５ＭＢｐｓとする２０ビットワード列データとすることを特徴とする請求項３１記載のデータ伝送方法。
【請求項３３】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施し、
上記第３から第６までのワード列データに夫々基づく第１から第４までのシリアルデータを得て、
上記第１から第４までのシリアルデータを１．５１１μｍ〜１．５７１μｍの範囲内において所定の波長間隔をおいて順次近接する第１から第４までの中心波長を夫々有した第１から第４までの光信号に変換し、
該第１から第４までの光信号を合波して多重光信号を得、該多重光信号を第１の光信号伝送ケーブルに送出して該第１の光信号伝送ケーブルの一端側から他端側へと伝送し、
第５のシリアルデータを１．３μｍ帯のレーザ光が変調されて得られる第５の光信号に変換して、該第５の光信号を第２の光信号伝送ケーブルに送出して該第２の光信号伝送ケーブルの一端側から他端側へと伝送し、
上記第１の光信号伝送ケーブルの他端側に導出される上記多重光信号に分波処理および光電処理を施して、上記第１から第４までのシリアルデータを再生するとともに、上記第２の光信号伝送ケーブルの他端側に導出される上記第５の光信号に光電処理を施して、上記第５のシリアルデータを再生するデータ伝送方法。
【請求項３４】
上記第３から第６までのワード列データの夫々を、ワード伝送レートを７４．２５ＭＢｐｓとする２０ビットワード列データとすることを特徴とする請求項３３記載のデータ伝送方法。
【請求項３５】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施し、
上記第３から第６までのワード列データに夫々基づく第１から第４までのシリアルデータを得て、
上記第１から第４までのシリアルデータを、１．５１１μｍ〜１．５７１μｍの範囲内において所定の波長間隔をおいて順次近接する第１から第４までの中心波長を夫々有した第１から第４までの光信号に変換し、
該第１から第４までの光信号を合波して多重光信号を得、該多重光信号を第１の光信号伝送ケーブルに送出して該第１の光信号伝送ケーブルの一端側から他端側へと伝送し、
第５のシリアルデータを１．３μｍ帯のレーザ光が変調されて得られる第５の光信号に変換して、該第５の光信号を第２の光信号伝送ケーブルに送出して該第２の光信号伝送ケーブルの一端側から他端側へと伝送し、
上記第１の光信号伝送ケーブルの他端側に導出される上記多重光信号に分波処理および光電処理を施して、上記第１から第４までのシリアルデータを再生するとともに、上記第２の光信号伝送ケーブルの他端側に導出される上記第５の光信号に光電処理を施して、上記第５のシリアルデータを再生するデータ伝送方法。
【請求項３６】
上記第３から第６までのワード列データの夫々を、ワード伝送レートを７４．２５ＭＢｐｓとする２０ビットワード列データとすることを特徴とする請求項３５記載のデータ伝送方法。
【請求項３７】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施し、
上記第３から第６までのワード列データに夫々基づく第１から第４までのシリアルデータを得て、
上記第１から第４までのシリアルデータを、１．５１１μｍ〜１．５５１μｍの範囲内において所定の波長間隔をおいて順次近接する第１から第４までの中心波長を夫々有した第１から第４までの光信号に変換し、
上記第１から第３までの光信号を合波して多重光信号を得、該多重光信号を第１の光信号伝送ケーブルに送出して該第１の光信号伝送ケーブルの一端側から他端側へと伝送するとともに、
上記第４の光信号を一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第４の光信号を、第２の光信号伝送ケーブルに送出して該第２の光信号伝送ケーブルの一端側から他端側へと伝送し、
第５のシリアルデータを１．３μｍ帯のレーザ光が変調されて得られる第５の光信号に変換して、該第５の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第５の光信号を、上記第２の光信号伝送ケーブルに送出して上記他端側から上記一端側へと伝送し、
上記第１の光信号伝送ケーブルの他端側に導出される上記多重光信号に分波処理および光電処理を施して、上記第１から第３までのシリアルデータを再生し、
上記第２の光信号伝送ケーブルの他端側に伝送された上記第４の光信号を、上記第２の双方向性波長多重カップラの上記第５の入出力端に導出し、該第４の光信号に光電処理を施して上記第４のシリアルデータを再生し、
上記第２の光信号伝送ケーブルの一端側に伝送された上記第５の光信号を、上記第１の双方向性波長多重カップラの上記第２の入出力端に導出し、該第５の光信号に光電処理を施して上記第５のシリアルデータを再生するデータ伝送方法。
【請求項３８】
上記第３から第６までのワード列データの夫々を、ワード伝送レートを７４．２５ＭＢｐｓとする２０ビットワード列データとすることを特徴とする請求項３７記載のデータ伝送方法。
【請求項３９】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施し、
上記第３から第６までのワード列データに夫々基づく第１から第４までのシリアルデータを得て、
上記第１から第４までのシリアルデータを１．５１１μｍ〜１．５５１μｍの範囲内において所定の波長間隔をおいて順次近接する第１から第４までの中心波長を夫々有した第１から第４までの光信号に変換し、
上記第１から第３までの光信号を合波して多重光信号を得、該多重光信号を第１の光信号伝送ケーブルに送出して該第１の光信号伝送ケーブルの一端側から他端側へと伝送するとともに、
上記第４の光信号を一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第４の光信号を、第２の光信号伝送ケーブルに送出して該第２の光信号伝送ケーブルの一端側から他端側へと伝送し、
第５のシリアルデータを１．３μｍ帯のレーザ光が変調されて得られる第５の光信号に変換して、該第５の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第５の光信号を、上記第２の光信号伝送ケーブルに送出して上記他端側から上記一端側へと伝送し、
上記第１の光信号伝送ケーブルの他端側に導出される上記多重光信号に分波処理および光電処理を施して、上記第１から第３までのシリアルデータを再生し、
上記第２の光信号伝送ケーブルの他端側に伝送された上記第４の光信号を、上記第２の双方向性波長多重カップラの上記第５の入出力端に導出し、該第４の光信号に光電処理を施して上記第４のシリアルデータを再生し、
上記第２の光信号伝送ケーブルの一端側に伝送された上記第５の光信号を、上記第１の双方向性波長多重カップラの上記第２の入出力端に導出し、該第５の光信号に光電処理を施して上記第５のシリアルデータを再生するデータ伝送方法。
【請求項４０】
上記第３から第６までのワード列データの夫々を、ワード伝送レートを７４．２５ＭＢｐｓとする２０ビットワード列データとすることを特徴とする請求項３９記載のデータ伝送方法。
【請求項４１】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施し、
上記第３から第６までのワード列データに夫々基づく第１から第４までのシリアルデータを得て、
上記第１から第４までのシリアルデータを１．５１１μｍ〜１．５５１μｍの範囲内において所定の波長間隔をおいて順次近接する第１から第４までの中心波長を夫々有した第１から第４までの光信号に変換し、
上記第１から第３までの光信号を合波して多重光信号を得、該多重光信号を第１の光信号伝送ケーブルに送出して該第１の光信号伝送ケーブルの一端側から他端側へと伝送するとともに、
上記第４の光信号を一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第４の光信号を、第２の光信号伝送ケーブルに送出して該第２の光信号伝送ケーブルの一端側から他端側へと伝送し、
第５のシリアルデータを１．３μｍ帯のレーザ光が変調されて得られる第５の光信号に変換して、該第５の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第５の光信号を、上記第２の光信号伝送ケーブルに送出して上記他端側から上記一端側へと伝送し、
上記第１の光信号伝送ケーブルの他端側に導出される上記多重光信号に分波処理および光電処理を施して、上記第１から第３までのシリアルデータを再生し、
上記第２の光信号伝送ケーブルの他端側に伝送された上記第４の光信号を、上記第２の双方向性波長多重カップラの上記第５の入出力端に導出し、該第４の光信号に光電処理を施して上記第４のシリアルデータを再生し、
上記第２の光信号伝送ケーブルの一端側に伝送された上記第５の光信号を、上記第１の双方向性波長多重カップラの上記第２の入出力端に導出し、該第５の光信号に光電処理を施して上記第５のシリアルデータを再生するデータ伝送方法。
【請求項４２】
上記第３から第６までのワード列データの夫々を、ワード伝送レートを７４．２５ＭＢｐｓとする２０ビットワード列データとすることを特徴とする請求項４１記載のデータ伝送方法。
【請求項４３】
フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列及び色差信号データ系列と上記輝度信号データ系列と同等のデータフォーマットを有した付加情報データ系列との並列配置をもって形成された３６ビット，４２ビットもしくは４８ビット構成とされるパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく第１のワード列データと、上記輝度信号データ系列及び色差信号データ系列から分割された複数の下位２ビット，４ビットもしくは６ビットに基づく第２のワード列データと、上記付加情報データ系列から分割された複数の上位１０ビット及び複数の下位２ビット，４ビットもしくは６ビットに基づく第３のワード列データと、を形成するデータ処理を施し、
該第１から第３までのワード列データに夫々基づく第１から第３までのシリアルデータを得、
上記第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、第１の光信号伝送ケーブルに送出して該第１の光信号伝送ケーブルの一端側から他端側へと伝送するとともに、
上記第３のシリアルデータを１．５５μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、第２の光信号伝送ケーブルに送出して該第２の光信号伝送ケーブルの一端側から他端側へと伝送し、
第４のシリアルデータを１．３μｍ帯のレーザ光が変調されて得られる第３の光信号に変換して、該第３の光信号を、一端部側に第７及び第８の入出力端が設けられるとともに他端部側に第９の入出力端が設けられて成る第３の双方向性波長多重カップラにおける上記第７の入出力端に供給し、上記第９の入出力端に導出される上記第３の光信号を、上記第１の光信号伝送ケーブルに送出して上記他端側から上記一端側へと伝送し、
第５のシリアルデータを１．３μｍ帯のレーザ光が変調されて得られる第４の光信号に変換して、該第４の光信号を、一端部側に第１０及び第１１の入出力端が設けられるとともに他端部側に第１２の入出力端が設けられて成る第４の双方向性波長多重カップラにおける上記第１０の入出力端に供給し、上記第１２の入出力端に導出される上記第４の光信号を、上記第２の光信号伝送ケーブルに送出して上記他端側から上記一端側へと伝送し、
上記第１の光信号伝送ケーブルの他端側に伝送された上記第１の光信号を、上記第３の双方向性波長多重カップラの上記第８の入出力端に導出するとともに、
上記第１の光信号伝送ケーブルの一端側に伝送された上記第３の光信号を、上記第１の双方向性波長多重カップラの上記第２の入出力端に導出し、
上記第２の光信号伝送ケーブルの他端側に伝送された上記第２の光信号を、上記第４の双方向性波長多重カップラの上記第１１の入出力端に導出するとともに、
上記第２の光信号伝送ケーブルの一端側に伝送された上記第４の光信号を、上記第２の双方向性波長多重カップラの上記第５の入出力端に導出するデータ伝送方法。
【請求項４４】
上記付加情報データ系列が、ディジタル映像信号についてのＫｅｙ信号情報をあらわすことを特徴とする請求項４３記載のデータ伝送方法。
【請求項４５】
上記第１，第２及び第３のワード列データの夫々を、ワード伝送レートを７４．２５ＭＢｐｓとする２０ビットワード列データとすることを特徴とする請求項４３記載のデータ伝送方法。
【請求項４６】
フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列，青色原色信号データ系列及び赤色原色信号データ系列と上記緑色原色信号データ系列と同等のデータフォーマットを有した付加情報データ系列との並列配置をもって形成された４８ビット構成とされるパラレルデータに、上記緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットとに基づく第２のワード列データと、上記付加情報データ系列から分割された複数の上位１０ビット及び複数の下位２ビットに基づく第３のワード列データと、を形成するデータ処理を施し、
該第１から第３までのワード列データに夫々基づく第１から第３までのシリアルデータを得、
上記第１及び第２のシリアルデータにビット多重合成処理を施して複合シリアルデータを形成し、該複合シリアルデータを１．５５μｍ帯のレーザ光が変調されて得られる第１の光信号に変換して、該第１の光信号を、一端部側に第１及び第２の入出力端が設けられるとともに他端部側に第３の入出力端が設けられて成る第１の双方向性波長多重カップラにおける上記第１の入出力端に供給し、上記第３の入出力端に導出される上記第１の光信号を、第１の光信号伝送ケーブルに送出して該第１の光信号伝送ケーブルの一端側から他端側へと伝送するとともに、
上記第３のシリアルデータを１．５５μｍ帯のレーザ光が変調されて得られる第２の光信号に変換して、該第２の光信号を、一端部側に第４及び第５の入出力端が設けられるとともに他端部側に第６の入出力端が設けられて成る第２の双方向性波長多重カップラにおける上記第４の入出力端に供給し、上記第６の入出力端に導出される上記第２の光信号を、第２の光信号伝送ケーブルに送出して該第２の光信号伝送ケーブルの一端側から他端側へと伝送し、
第４のシリアルデータを１．３μｍ帯のレーザ光が変調されて得られる第３の光信号に変換して、該第３の光信号を、一端部側に第７及び第８の入出力端が設けられるとともに他端部側に第９の入出力端が設けられて成る第３の双方向性波長多重カップラにおける上記第７の入出力端に供給し、上記第９の入出力端に導出される上記第３の光信号を、上記第１の光信号伝送ケーブルに送出して上記他端側から上記一端側へと伝送し、
第５のシリアルデータを１．３μｍ帯のレーザ光が変調されて得られる第４の光信号に変換して、該第４の光信号を、一端部側に第１０及び第１１の入出力端が設けられるとともに他端部側に第１２の入出力端が設けられて成る第４の双方向性波長多重カップラにおける上記第１０の入出力端に供給し、上記第１２の入出力端に導出される上記第４の光信号を、上記第２の光信号伝送ケーブルに送出して上記他端側から上記一端側へと伝送し、
上記第１の光信号伝送ケーブルの他端側に伝送された上記第１の光信号を、上記第３の双方向性波長多重カップラの上記第８の入出力端に導出するとともに、
上記第１の光信号伝送ケーブルの一端側に伝送された上記第３の光信号を、上記第１の双方向性波長多重カップラの上記第２の入出力端に導出し、
上記第２の光信号伝送ケーブルの他端側に伝送された上記第２の光信号を、上記第４の双方向性波長多重カップラの上記第１１の入出力端に導出するとともに、
上記第２の光信号伝送ケーブルの一端側に伝送された上記第４の光信号を、上記第２の双方向性波長多重カップラの上記第５の入出力端に導出するデータ伝送方法。
【請求項４７】
上記付加情報データ系列が、ディジタル映像信号についてのＫｅｙ信号情報をあらわすことを特徴とする請求項４６記載のデータ伝送方法。
【請求項４８】
上記第１，第２及び第３のワード列データの夫々を、ワード伝送レートを７４．２５ＭＢｐｓとする２０ビットワード列データとすることを特徴とする請求項４６記載のデータ伝送方法。
【請求項４９】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、上記輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
第３のシリアルデータを１．３μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へ伝送するとともに、上記第２の双方向性波長多重カップラの第６の入出力端に導出される第２の光信号を上記他端側から上記一端側へ伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５０】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、上記緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第１及び第２のワード列データを形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
第３のシリアルデータを１．３μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へ伝送するとともに、上記第２の双方向性波長多重カップラの第６の入出力端に導出される第２の光信号を上記他端側から上記一端側へ伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５１】
フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、上記緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第２のワード列データと、を得る処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
第３のシリアルデータを１．３μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へ伝送するとともに、上記第２の双方向性波長多重カップラの第６の入出力端に導出される第２の光信号を上記他端側から上記一端側へ伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５２】
フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、上記輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
第３のシリアルデータを１．３μｍ帯のレーザ光が変調されて得られる第２の光信号に変換する第２の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へと伝送するとともに、上記第２の双方向性波長多重カップラの第６の入出力端に導出される第２の光信号を上記他端側から上記一端側へと伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５３】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、上記緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部と含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第１及び第２のワード列データを形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
第３のシリアルデータを１．３μｍ帯のレーザ光が変調されて得られる第２の光信号に変換する第２の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へと伝送するとともに、上記第２の双方向性波長多重カップラの第６の入出力端に導出される第２の光信号を上記他端側から上記一端側へと伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５４】
フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、上記緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットとを含んだ第２のワード列データと、を形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
第３のシリアルデータを１．３μｍ帯のレーザ光が変調されて得られる第２の光信号に変換する第２の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へと伝送するとともに、上記第２の双方向性波長多重カップラの第６の入出力端に導出される第２の光信号を上記他端側から上記一端側へと伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５５】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた輝度信号データ系列及び色差信号データ系列と上記輝度信号データ系列と同等のデータフォーマットを有した付加情報データ系列との並列配置をもって形成された３０ビット構成とされるパラレルデータに、上記輝度信号データ系列及び色差信号データ系列に基づく第１のワード列データと、上記付加情報データ系列に基づく第２のワード列データと、を形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
第３のシリアルデータを１．３μｍ帯のレーザ光が変調されて得られる第２の光信号に変換する第２の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へと伝送するとともに、上記第２の双方向性波長多重カップラの第６の入出力端に導出される第２の光信号を上記他端側から上記一端側へと伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５６】
フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列，青色原色信号データ系列及び赤色原色信号データ系列と上記緑色原色信号データ系列と同等のデータフォーマットを有した付加情報データ系列との並列配置をもって形成された４０ビット構成とされるパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく第１のワード列データと、上記第２のワードグループに基づく第２のワード列データと、を形成するデータ処理を施すデータ処理部と、
上記第１及び第２のワード列データに夫々基づく第１及び第２のシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
第３のシリアルデータを１．３μｍ帯のレーザ光が変調されて得られる第２の光信号に変換する第２の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
上記第１の双方向性波長多重カップラの第３の入出力端に導出される第１の光信号を一端側から他端側へと伝送するとともに、上記第２の双方向性波長多重カップラの第６の入出力端に導出される第２の光信号を上記他端側から上記一端側へと伝送し、上記第１の光信号が上記第２の双方向性波長多重カップラの第５の入出力端に導出されるとともに、上記第２の光信号が上記第１の双方向性波長多重カップラの第２の入出力端に導出されるようになす光信号伝送ケーブルと、
を備えて構成されるデータ伝送装置。
【請求項５７】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施すデータ処理部と、
上記第３から第６までのワード列データに夫々基づく第１から第４までのシリアルデータを得るパラレル／シリアル変換部と、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
第５のシリアルデータを１．３μｍ帯のレーザ光が変調されて得られる第３の光信号に変換する第３の光信号形成部と、
一端部側に第７及び第８の入出力端が設けられるとともに他端部側に第９の入出力端が設けられて成り、上記第３の光信号が上記第７の入出力端に供給されて上記第９の入出力端に導出される第３の双方向性波長多重カップラと、
第６のシリアルデータを１．３μｍ帯のレーザ光が変調されて得られる第４の光信号に変換する第４の光信号形成部と、
一端部側に第１０及び第１１の入出力端が設けられるとともに他端部側に第１２の入出力端が設けられて成り、上記第４の光信号が上記第１０の入出力端に供給されて上記第１２の入出力端に導出される第４の双方向性波長多重カップラと、
上記第１の双方向性波長多重カップラの第３の入出力端に導出される第１の光信号を一端側から他端側へと伝送するとともに、上記第３の双方向性波長多重カップラの第９の入出力端に導出される第３の光信号を上記他端側から上記一端側へと伝送し、上記第１の光信号が上記第３の双方向性波長多重カップラの第８の入出力端に導出されるとともに、上記第３の光信号が上記第１の双方向性波長多重カップラの第２の入出力端に導出されるようになす第１の光信号伝送ケーブルと、
上記第２の双方向性波長多重カップラの第６の入出力端に導出される第２の光信号を一端側から他端側へと伝送するとともに、上記第４の双方向性波長多重カップラの第１２の入出力端に導出される第４の光信号を上記他端側から上記一端側へと伝送し、上記第２の光信号が上記第４の双方向性波長多重カップラの第１１の入出力端に導出されるとともに、上記第４の光信号が上記第２の双方向性波長多重カップラの第５の入出力端に導出されるようになす第２の光信号伝送ケーブルと、
を備えて構成されるデータ伝送装置。
【請求項５８】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施すデータ処理部と、
上記第３から第６までのワード列データに夫々基づく第１から第４までのシリアルデータを得るパラレル／シリアル変換部と、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
第５のシリアルデータを１．３μｍ帯のレーザ光が変調されて得られる第３の光信号に変換する第３の光信号形成部と、
一端部側に第７及び第８の入出力端が設けられるとともに他端部側に第９の入出力端が設けられて成り、上記第３の光信号が上記第７の入出力端に供給されて上記第９の入出力端に導出される第３の双方向性波長多重カップラと、
第６のシリアルデータを１．３μｍ帯のレーザ光が変調されて得られる第４の光信号に変換する第４の光信号形成部と、
一端部側に第１０及び第１１の入出力端が設けられるとともに他端部側に第１２の入出力端が設けられて成り、上記第４の光信号が上記第１０の入出力端に供給されて上記第１２の入出力端に導出される第４の双方向性波長多重カップラと、
上記第１の双方向性波長多重カップラの第３の入出力端に導出される第１の光信号を一端側から他端側へと伝送するとともに、上記第３の双方向性波長多重カップラの第９の入出力端に導出される第３の光信号を上記他端側から上記一端側へと伝送し、上記第１の光信号が上記第３の双方向性波長多重カップラの第８の入出力端に導出されるとともに、上記第３の光信号が上記第１の双方向性波長多重カップラの第２の入出力端に導出されるようになす第１の光信号伝送ケーブルと、
上記第２の双方向性波長多重カップラの第６の入出力端に導出される第２の光信号を一端側から他端側へと伝送するとともに、上記第４の双方向性波長多重カップラの第１２の入出力端に導出される第４の光信号を上記他端側から上記一端側へと伝送し、上記第２の光信号が上記第４の双方向性波長多重カップラの第１１の入出力端に導出されるとともに、上記第４の光信号が上記第２の双方向性波長多重カップラの第５の入出力端に導出されるようになす第２の光信号伝送ケーブルと、
を備えて構成されるデータ伝送装置。
【請求項５９】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施すデータ処理部と、
上記第３から第６までのワード列データに夫々基づく第１から第４までのシリアルデータを得るパラレル／シリアル変換部と、
上記第１及び第２のシリアルデータにビット多重合成処理を施して第１の複合シリアルデータを形成し、該第１の複合シリアルデータを１．５５μｍ帯のレーザ光が変調されて得られる第１の光信号に変換する第１の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
上記第３及び第４のシリアルデータにビット多重合成処理を施して第２の複合シリアルデータを形成し、該第２の複合シリアルデータを１．５５μｍ帯のレーザ光が変調されて得られる第２の光信号に変換する第２の光信号形成部と、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
第５のシリアルデータを１．３μｍ帯のレーザ光が変調されて得られる第３の光信号に変換する第３の光信号形成部と、
一端部側に第７及び第８の入出力端が設けられるとともに他端部側に第９の入出力端が設けられて成り、上記第３の光信号が上記第７の入出力端に供給されて上記第９の入出力端に導出される第３の双方向性波長多重カップラと、
第６のシリアルデータを１．３μｍ帯のレーザ光が変調されて得られる第４の光信号に変換する第４の光信号形成部と、
一端部側に第１０及び第１１の入出力端が設けられるとともに他端部側に第１２の入出力端が設けられて成り、上記第４の光信号が上記第１０の入出力端に供給されて上記第１２の入出力端に導出される第４の双方向性波長多重カップラと、
上記第１の双方向性波長多重カップラの第３の入出力端に導出される第１の光信号を一端側から他端側へと伝送するとともに、上記第３の双方向性波長多重カップラの第９の入出力端に導出される第３の光信号を上記他端側から上記一端側へと伝送し、上記第１の光信号が上記第３の双方向性波長多重カップラの第８の入出力端に導出されるとともに、上記第３の光信号が上記第１の双方向性波長多重カップラの第２の入出力端に導出されるようになす第１の光信号伝送ケーブルと、
上記第２の双方向性波長多重カップラの第６の入出力端に導出される第２の光信号を一端側から他端側へと伝送するとともに、上記第４の双方向性波長多重カップラの第１２の入出力端に導出される第４の光信号を上記他端側から上記一端側へと伝送し、上記第２の光信号が上記第４の双方向性波長多重カップラの第１１の入出力端に導出されるとともに、上記第４の光信号が上記第２の双方向性波長多重カップラの第５の入出力端に導出されるようになす第２の光信号伝送ケーブルと、
を備えて構成されるデータ伝送装置。
【請求項６０】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５７１μｍの範囲内において所定の波長間隔をおいて相互近接する第１から第４までの中心波長を夫々有した第１から第４までの光信号に変換する第１から第４までの光信号形成部と、
上記第１から第４までの光信号を合波して多重光信号を得る多重光信号形成部と、
第５のシリアルデータを１．３μｍ帯のレーザ光が変調されて得られる第５の光信号に変換する第５の光信号形成部と、
上記多重光信号を一端側から他端側へと伝送する第１の光信号伝送ケーブルと、
上記第５の光信号を一端側から他端側へと伝送する第２の光信号伝送ケーブルと、
を備えて構成されるデータ伝送装置。
【請求項６１】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５７１μｍの範囲内において所定の波長間隔をおいて相互近接する第１から第４までの中心波長を夫々有した第１から第４までの光信号に変換する第１から第４までの光信号形成部と、
上記第１から第４までの光信号を合波して多重光信号を得る多重光信号形成部と、
第５のシリアルデータを１．３μｍ帯のレーザ光が変調されて得られる第５の光信号に変換する第５の光信号形成部と、
上記多重光信号を一端側から他端側へと伝送する第１の光信号伝送ケーブルと、
上記第５の光信号を一端側から他端側へと伝送する第２の光信号伝送ケーブルと、
を備えて構成されるデータ伝送装置。
【請求項６２】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５７１μｍの範囲内において所定の波長間隔をおいて相互近接する第１から第４までの中心波長を夫々有した第１から第４までの光信号に変換する第１から第４までの光信号形成部と、
上記第１から第４までの光信号を合波して多重光信号を得る多重光信号形成部と、
第５のシリアルデータを１．３μｍ帯のレーザ光が変調されて得られる第５の光信号に変換する第５の光信号形成部と、
上記多重光信号を一端側から他端側へと伝送する第１の光信号伝送ケーブルと、
上記第５の光信号を一端側から他端側へと伝送する第２の光信号伝送ケーブルと、
を備えて構成されるデータ伝送装置。
【請求項６３】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、上記第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５５１μｍの範囲内において所定の波長間隔をおいて相互近接する第１から第４までの中心波長を夫々有した第１から第４までの光信号に変換する第１から第４までの光信号形成部と、
上記第１から第３までの光信号を合波して多重光信号を得る多重光信号形成部と、
一端部側に第１及び第２の入出力端が設けられるとともに他端部側に第３の入出力端が設けられて成り、上記第４の光信号が上記第１の入出力端に供給されて上記第３の入出力端に導出される第１の双方向性波長多重カップラと、
第５のシリアルデータを１．３μｍ帯のレーザ光が変調されて得られる第５の光信号に変換する第５の光信号形成部と、
一端部側に第４及び第５の入出力端が設けられるとともに他端部側に第６の入出力端が設けられて成り、上記第５の光信号が上記第４の入出力端に供給されて上記第６の入出力端に導出される第２の双方向性波長多重カップラと、
上記多重光信号を一端側から他端側へと伝送する第１の光信号伝送ケーブルと、
上記第１の双方向性波長多重カップラの第３の入出力端に導出される第４の光信号を一端側から他端側へと伝送するとともに、上記第２の双方向性波長多重カップラの第６の入出力端に導出される第５の光信号を上記他端側から上記一端側へと伝送する第２の光信号伝送ケーブルと、
を備えて構成されるデータ伝送装置。
【請求項６４】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第１のワードグループと、補助データ系列を形成する１０ビットワードと上記青色原色信号データ系列及び赤色原色信号データ系列の夫々を構成する１０ビットワードの他の一部とを含む第２のワードグループとに振り分け、上記第１及び第２のワードグループに夫々基づく第３及び第４のワード列データを形成するとともに、上記第２のワード列データにおける緑色原色信号データ系列，青色原色信号データ系列及び赤色原色信号データ系列の夫々を構成する各１０ビットワードを、該緑色原色信号データ系列を形成する１０ビットワードと該青色原色信号データ系列及び赤色原色信号データ系列の夫々を構成する１０ビットワードの一部とを含む第３のワードグループと、補助データ系列を形成する１０ビットワードと上記青色原色信号データ系列及び赤色原色信号データ系列の夫々を構成する１０ビットワードの他の一部とを含む第４のワードグループとに振り分け、上記第３及び第４のワードグループに夫々基づく第５及び第６のワード列データを形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５５１μｍの範囲内において所定の波長間隔をおいて相互近接する第１から第４までの中心波長を夫々有した第１から第４までの光信号に変換する第１から第４までの光信号形成部と、
上記第１から第３までの光信号を合波して多重光信号を得る多重光信号形成部と、
一端部側に第１及び第２の入出力端が設けられるとともに他端部側に第３の入出力端が設けられて成り、上記第４の光信号が上記第１の入出力端に供給されて上記第３の入出力端に導出される第１の双方向性波長多重カップラと、
第５のシリアルデータを１．３μｍ帯のレーザ光が変調されて得られる第５の光信号に変換する第５の光信号形成部と、
一端部側に第４及び第５の入出力端が設けられるとともに他端部側に第６の入出力端が設けられて成り、上記第５の光信号が上記第４の入出力端に供給されて上記第６の入出力端に導出される第２の双方向性波長多重カップラと、
上記多重光信号を一端側から他端側へと伝送する第１の光信号伝送ケーブルと、
上記第１の双方向性波長多重カップラの第３の入出力端に導出される第４の光信号を一端側から他端側へと伝送するとともに、上記第２の双方向性波長多重カップラの第６の入出力端に導出される第５の光信号を上記他端側から上記一端側へと伝送する第２の光信号伝送ケーブルと、
を備えて構成されるデータ伝送装置。
【請求項６５】
フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、上記第１のグループを構成するデータに基づく第１のワード列データと、上記第２のグループを構成するデータに基づく第２のワード列データとを形成し、上記第１のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とを含んだ第３のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第４のワード列データと、を形成するとともに、上記第２のワード列データにおける緑色原色信号データ系列，青色原色信号データ系列及び赤色原色信号データ系列の夫々を構成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部を含んだ第５のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットと補助ビットとを含んだ第６のワード列データと、を形成するデータ処理を施すデータ処理部と、
上記第３から第６までのワード列データに夫々基づく第１から第４までのシリアルデータを得るパラレル／シリアル変換部と、
上記第１から第４までのシリアルデータを、１．５１１μｍ〜１．５５１μｍの範囲内において所定の波長間隔をおいて相互近接する第１から第４までの中心波長を夫々有した第１から第４までの光信号に変換する第１から第４までの光信号形成部と、
上記第１から第３までの光信号を合波して多重光信号を得る多重光信号形成部と、
一端部側に第１及び第２の入出力端が設けられるとともに他端部側に第３の入出力端が設けられて成り、上記第４の光信号が上記第１の入出力端に供給されて上記第３の入出力端に導出される第１の双方向性波長多重カップラと、
第５のシリアルデータを１．３μｍ帯のレーザ光が変調されて得られる第５の光信号に変換する第５の光信号形成部と、
一端部側に第４及び第５の入出力端が設けられるとともに他端部側に第６の入出力端が設けられて成り、上記第５の光信号が上記第４の入出力端に供給されて上記第６の入出力端に導出される第２の双方向性波長多重カップラと、
上記多重光信号を一端側から他端側へと伝送する第１の光信号伝送ケーブルと、
上記第１の双方向性波長多重カップラの第３の入出力端に導出される第４の光信号を一端側から他端側へと伝送するとともに、上記第２の双方向性波長多重カップラの第６の入出力端に導出される第５の光信号を上記他端側から上記一端側へと伝送する第２の光信号伝送ケーブルと、
を備えて構成されるデータ伝送装置。
【請求項６６】
フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列及び色差信号データ系列と上記輝度信号データ系列と同等のデータフォーマットを有した付加情報データ系列との並列配置をもって形成された３６ビット，４２ビットもしくは４８ビット構成とされるパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく第１のワード列データと、上記輝度信号データ系列及び色差信号データ系列から分割された複数の下位２ビット，４ビットもしくは６ビットに基づく第２のワード列データと、上記付加情報データ系列から分割された複数の上位１０ビット及び複数の下位２ビット，４ビットもしくは６ビットに基づく第３のワード列データと、を形成するデータ処理を施すデータ処理部と、
上記第１から第３までのワード列データに夫々基づく第１から第３までのシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
上記第３のシリアルデータを１．５５μｍ帯のレーザ光が変調されて得られる第２の光信号に変換する第２の光信号形成部と、
第４のシリアルデータを１．３μｍ帯のレーザ光が変調されて得られる第３の光信号に変換する第３の光信号形成部と、
第５のシリアルデータを１．３μｍ帯のレーザ光が変調されて得られる第４の光信号に変換する第４の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
一端部側に第７及び第８の入出力端が設けられるとともに他端部側に第９の入出力端が設けられて成り、上記第３の光信号が上記第７の入出力端に供給されて上記第９の入出力端に導出される第３の双方向性波長多重カップラと、
一端部側に第１０及び第１１の入出力端が設けられるとともに他端部側に第１２の入出力端が設けられて成り、上記第４の光信号が上記第１０の入出力端に供給されて上記第１２の入出力端に導出される第４の双方向性波長多重カップラと、
上記第１の双方向性波長多重カップラの第３の入出力端に導出される第１の光信号を一端側から他端側へと伝送するとともに、上記第３の双方向性波長多重カップラの第９の入出力端に導出される第３の光信号を上記他端側から上記一端側へと伝送し、上記第１の光信号が上記第３の双方向性波長多重カップラの第８の入出力端に導出されるとともに、上記第３の光信号が上記第１の双方向性波長多重カップラの第２の入出力端に導出されるようになす第１の光信号伝送ケーブルと、
上記第２の双方向性波長多重カップラの第６の入出力端に導出される第２の光信号を一端側から他端側へと伝送するとともに、上記第４の双方向性波長多重カップラの第１２の入出力端に導出される第４の光信号を上記他端側から上記一端側へと伝送し、上記第２の光信号が上記第４の双方向性波長多重カップラの第１１の入出力端に導出されるとともに、上記第４の光信号が上記第２の双方向性波長多重カップラの第５の入出力端に導出されるようになす第２の光信号伝送ケーブルと、
を備えて構成されるデータ伝送装置。
【請求項６７】
フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列，青色原色信号データ系列及び赤色原色信号データ系列と上記緑色原色信号データ系列と同等のデータフォーマットを有した付加情報データ系列との並列配置をもって形成された４８ビット構成とされるパラレルデータに、上記緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく第１のワード列データと、上記青色原色信号データ系列及び赤色原色信号データ系列の夫々から分割された複数の上位１０ビットの他の一部と上記緑色原色信号データ系列，青色原色信号データ系列及び赤色原色信号データ系列から分割された複数の下位２ビットとに基づく第２のワード列データと、上記付加情報データ系列から分割された複数の上位１０ビット及び複数の下位２ビットに基づく第３のワード列データと、を形成するデータ処理を施すデータ処理部と、
上記第１から第３までのワード列データに夫々基づく第１から第３までのシリアルデータを得るパラレル／シリアル変換部と、
上記第１及び第２のシリアルデータにビット多重合成処理を施して複合シリアルデータを形成し、該複合シリアルデータを１．５５μｍ帯のレーザ光が変調されて得られる第１の光信号に変換する第１の光信号形成部と、
上記第３のシリアルデータを１．５５μｍ帯のレーザ光が変調されて得られる第２の光信号に変換する第２の光信号形成部と、
第４のシリアルデータを１．３μｍ帯のレーザ光が変調されて得られる第３の光信号に変換する第３の光信号形成部と、
第５のシリアルデータを１．３μｍ帯のレーザ光が変調されて得られる第４の光信号に変換する第４の光信号形成部と、
一端部側に第１及び第２の入出力端が設けられるとともに他端部側に第３の入出力端が設けられて成り、上記第１の光信号が上記第１の入出力端に供給されて上記第３の入出力端に導出される第１の双方向性波長多重カップラと、
一端部側に第４及び第５の入出力端が設けられるとともに他端部側に第６の入出力端が設けられて成り、上記第２の光信号が上記第４の入出力端に供給されて上記第６の入出力端に導出される第２の双方向性波長多重カップラと、
一端部側に第７及び第８の入出力端が設けられるとともに他端部側に第９の入出力端が設けられて成り、上記第３の光信号が上記第７の入出力端に供給されて上記第９の入出力端に導出される第３の双方向性波長多重カップラと、
一端部側に第１０及び第１１の入出力端が設けられるとともに他端部側に第１２の入出力端が設けられて成り、上記第４の光信号が上記第１０の入出力端に供給されて上記第１２の入出力端に導出される第４の双方向性波長多重カップラと、
上記第１の双方向性波長多重カップラの第３の入出力端に導出される第１の光信号を一端側から他端側へと伝送するとともに、上記第３の双方向性波長多重カップラの第９の入出力端に導出される第３の光信号を上記他端側から上記一端側へと伝送し、上記第１の光信号が上記第３の双方向性波長多重カップラの第８の入出力端に導出されるとともに、上記第３の光信号が上記第１の双方向性波長多重カップラの第２の入出力端に導出されるようになす第１の光信号伝送ケーブルと、
上記第２の双方向性波長多重カップラの第６の入出力端に導出される第２の光信号を一端側から他端側へと伝送するとともに、上記第４の双方向性波長多重カップラの第１２の入出力端に導出される第４の光信号を上記他端側から上記一端側へと伝送し、上記第２の光信号が上記第４の双方向性波長多重カップラの第１１の入出力端に導出されるとともに、上記第４の光信号が上記第２の双方向性波長多重カップラの第５の入出力端に導出されるようになす第２の光信号伝送ケーブルと、
を備えて構成されるデータ伝送装置。
【発明の詳細な説明】
【０００１】
【発明の属する技術分野】
本願の特許請求の範囲に記載された発明は、映像信号情報等をあらわす複数のディジタルデータをシリアルデータとし、さらに、それらに電光変換処理を施して得られる複数の光信号を、二つの送受信部間において光信号伝送ケーブルを通じて双方向に伝送するデータ伝送方法及びその実施に供されるデータ伝送装置に関する。
【０００２】
【従来の技術】
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン(High Definition Television:ＨＤＴＶ）システム等が提案されている。ＨＤＴＶシステムのもとにおけるディジタルビデオ信号（以下、ＨＤディジタル映像信号という）は、例えば、ＢＴＡ（Broadcasting Technology Association:放送技術開発協議会）により制定された規格に従って形成され、Ｙ，ＰB ／ＰR 形式のものとＧ，Ｂ，Ｒ形式のものとがある。Ｙ，ＰB ／ＰR 形式の場合、Ｙは輝度信号を意味し、ＰB 及びＰR は色差信号を意味する。また、Ｇ，Ｂ，Ｒ形式の場合、Ｇ，Ｂ及びＲは夫々緑色原色信号，青色原色信号及び赤色原色信号を意味する。
【０００３】
Ｙ，ＰB ／ＰR 形式のＨＤディジタル映像信号は、フレームレートが３０Ｈｚもしくは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図４８に示される如くのデータフォーマットに従うものとされる。図４８に示されるデータフォーマットは、図４８のＡに示される如くの、映像信号における輝度信号情報をあらわす輝度信号データ系列（Ｙデータ系列）と、図４８のＢに示される如くの、映像信号における色差信号情報をあらわす色差信号データ系列（ＰB ／ＰR データ系列）とから成り、Ｙデータ系列及びＰB ／ＰR データ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図４８のＡには、Ｙデータ系列における各ライン部中のラインブランキング部及びその前後における映像データ部の一部分が示されており、また、図４８のＢには、ＰB ／ＰR データ系列における各ライン部中のラインブランキング部及びその前後における映像データ部の一部分が示されている。
【０００４】
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）；３ＦＦ，０００及びＸＹＺは１６進表現であり、（Ｙ）はＹデータ系列中のワードであることをあらわす。）から成るタイミング基準コードデータ（ＳＡＶ： Start of Active Video )が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ： End of Active Video )が配される。同様にして、ＰB ／ＰR データ系列にあっても、各映像データ部の直前に、各々が１０ビット構成とされる４ワード（３ＦＦ（Ｃ），０００（Ｃ），０００（Ｃ），ＸＹＺ（Ｃ）；３ＦＦ，０００及びＸＹＺは１６進表現であり、（Ｃ）はＰB ／ＰR データ系列中のワードであることをあらわす。）から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰB ／ＰR データ系列中のタイミング基準コードデータ：ＥＡＶ及びＳＡＶの夫々は、ＰB ／ＰR データ系列における各ラインブランキング部に配される。
【０００５】
ここでは（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
【０００６】
また、Ｇ，Ｂ，Ｒ形式のＨＤディジタル映像信号も、フレームレートが３０Ｈｚとされたもとでの飛び越し走査用の信号とされ、例えば、図４９に示される如くのデータフォーマットに従うものとされる。図４９に示されるデータフォーマットは、図４９のＡに示される如くの、映像信号における緑色原色信号情報をあらわす緑色原色信号データ系列（Ｇデータ系列）と、図４９のＢに示される如くの、映像信号における青色原色信号情報をあらわす青色原色信号データ系列（Ｂデータ系列）と、図４９のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータの各々は、１０ビット構成とされ、また、そのワード伝送レートは、例えば、７４．２５ＭＢｐｓとされる。そして、図４９のＡ，Ｂ及びＣには、夫々、Ｇデータ系列，Ｂデータ系列及びＲデータ系列における各ライン部中のラインブランキング部及びその前後における映像データ部の一部分が示されている。
【０００７】
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
【０００８】
現行のＨＤＴＶシステムにあっては、上述の如くのフレームレートが３０Ｈｚとされたもとでの飛び越し走査用とされたＹ，ＰB ／ＰR 形式もしくはＧ，Ｂ，Ｒ形式のＨＤディジタル映像信号が用いられているが、これに対して、次世代のＨＤＴＶシステムとして、フレームレートが６０Ｈｚもしくは６０／１．００１Ｈｚ（本願においてはこれらのいずれをも６０Ｈｚという。）とされたもとで、各フレーム画像が第１及び第２フィールドに分けられることなく形成される順次走査用とされた、Ｙ，ＰB ／ＰR 形式もしくはＧ，Ｂ，Ｒ形式のＨＤディジタル映像信号を用いるシステムが提案されている。順次走査用とされた、Ｙ，ＰB ／ＰR 形式もしくはＧ，Ｂ，Ｒ形式のＨＤディジタル映像信号は、プログレッシブ（Progressive)方式のＨＤディジタル映像信号と称される。
【０００９】
フレームレートが６０Ｈｚとされたプログレッシブ方式のＨＤディジタル映像信号を成すディジタルデータは、米国のＳＭＰＴＥ（Society of Motion Picture and Television Engineers: 映画及びテレビジョン技術者協会）により制定された規格:SMPTE 274 Mによるフォーマットの規格化が図られている。斯かる SMPTE 274 Mにより規格化されたフォーマットにあっては、フレームレート: ６０Ｈｚの他、ラインあたりの有効データサンプル数：１９２０サンプル，フレームあたりの有効ライン数：１０８０ライン，サンプリング周波数：１４８．５ＭＨｚもしくは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１０】
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす）、即ち、0000 0000 及び 1111 1111とされ、また、量子化ビット数が１０ビットである場合、禁止コードは、１６進表現で０００ｈ〜００３ｈ及び３ＦＣｈ〜３ＦＦｈ、即ち、 00 0000 0000 〜 00 0000 0011 及び 11 1111 1100 〜 11 1111 1111 とされる。
【００１１】
なお、Ｙ，ＰB ／ＰR 形式の場合、ＰB データ系列及びＰR データ系列の夫々のサンプリング周波数が、Ｙデータ系列のサンプリング周波数の１／２とされる。以下おいては、必要に応じて、Ｙ，ＰB ／ＰR 形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
【００１２】
また、こうしたＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
【００１３】
Ｄ−Ｃｉｎｅｍａ信号は、例えば、フレームレートを２４Ｈｚもしくは２４／１．００１Ｈｚ（本願においてはこれらのいずれをも２４Ｈｚという。）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ，５０Ｈｚ，６０Ｈｚ等も考えられる。フレームレートを２４Ｈｚ，２５Ｈｚ，３０Ｈｚ，５０Ｈｚ，６０Ｈｚ等とするディジタル映像信号を成すディジタルデータについては、そのフォーマットが SMPTE  274 M により規格化されており、ラインあたりの有効データサンプル数：１９２０サンプル，フレームあたりの有効ライン数：１０８０ライン，サンプリング周波数：７４．２５ＭＨｚもしくは７４．２５／１．００１ＭＨｚ（本願においてはこれらのいずれをも７４．２５ＭＨｚという。）あるいは１４８．５ＭＨｚ，量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
【００１４】
さらに、前述のＨＤディジタル映像信号あるいはＤ−Ｃｉｎｅｍａ信号とは別に、フレームレートを６０Ｈｚとし、各フレームにおける有効ライン数が７２０ラインに設定され、また、各ラインにおける有効データサンプル数が１２８０サンプルに設定されたプログレッシブ方式のディジタル映像信号（本願においては、斯かるディジタル映像信号を７２０Ｐ信号と呼ぶ）が提案されている。このような７２０Ｐ信号を成すディジタルデータは、ＳＭＰＴＥにより制定された規格:SMPTE 296M によるフォーマットの規格化が図られている。斯かる SMPTE 296M により規格化されたフォーマットにあっては、フレームレート: ６０Ｈｚ，フレームあたりの有効ライン数：７２０ライン，ラインあたりの有効データサンプル数：１２８０サンプルのみならず、各フレームにおけるライン数：７５０ライン，サンプリング周波数：７４．２５ＭＨｚ，量子化ビット数：８ビットもしくは１０ビット等々が決められている。そして、パラレルデータインターフェースは、Ｙ，ＰB ／ＰR 形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
【００１５】
７２０Ｐ信号は、ディジタル映像信号の分野におけるＨＤディジタル映像信号への移行期において提案されたものであって、フレームあたりの有効ライン数及びラインあたりの有効データサンプル数が、ＨＤディジタル映像信号が１０８０ライン及び１９２０サンプルであるのに対して、７２０ライン及び１２８０サンプルとされて、ＨＤディジタル映像信号の場合の２／３であるので、それに基づいて再生される画像の解像度においてはＨＤディジタル映像信号に比して劣るものの、フレームレートが６０Ｈｚであることからして、動きの速い画像をあらわす信号としての利用に適している。
【００１６】
こうした状況のなかで、ＨＤディジタル映像信号，Ｄ−Ｃｉｎｅｍａ信号あるいは７２０Ｐ信号等のディジタル映像信号を形成するディジタルデータについて、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。しかしながら、前述の SMPTE  274 M , SMPTE 296M等を含む現行のディジタル映像信号を成すディジタルデータに関する規格にあっては、量子化ビット数を８ビットもしくは１０ビットとするものについての規格化は図られているが、量子化ビット数を８ビットもしくは１０ビットを越えるビット数、例えば、１２ビット，１４ビット，１６ビット等とするものについては規格化されていない。
【００１７】
さらに、量子化ビット数を、例えば、１２ビット，１４ビットもしくは１６ビットとするディジタル映像信号を成すディジタルデータにあっては、その伝送に伴う問題もある。即ち、ディジタル映像信号を成すディジタルデータの伝送にあたっては、シリアルデータに変換されて伝送されるシリアル伝送が望まれることになるが、現行のもとでは、量子化ビット数を８ビットもしくは１０ビットとする４：２：２形式のＨＤディジタル信号を成すディジタルデータについて、前述のＢＴＡによって制定された規格であるBTA S-004 による HD SDI (High Definition Serial Digital Interface)を用いて伝送することが規格化されているだけで、他の形式のディジタルデータ、例えば、４：４：4 形式のディジタル映像信号を成すディジタルデータ，量子化ビット数を１０ビットを越えるものとするディジタル映像信号を成すディジタルデータのシリアル伝送については、規格化されていない。
【００１８】
また、上述の如くにディジタル化が図られる映像信号に関連して、当該映像信号が他の映像信号と合成される際に利用される、Ｋｅｙ信号（Key Signal) が提案されている。Ｋｅｙ信号は、関連する映像信号についての不透明さあるいは透明さ(opacity or transparency) をあらわす信号であって、“SMPTE RECOMMENDED PRACTICE”RP 157-1995 として推奨されている。
【００１９】
４：２：２形式のディジタル映像信号に関連するＫｅｙ信号は、それを成すディジタルデータであるＫｅｙ信号データ系列が、当該ディジタル映像信号を成すディジタルデータに含まれるＹデータ系列と同等のデータフォーマットを有し、Ｙデータ系列と同様に扱われるものとされる。また、４：４：４形式のディジタル映像信号に関連するＫｅｙ信号は、それを成すディジタルデータであるＫｅｙ信号データ系列が、当該ディジタル映像信号を成すディジタルデータに含まれるＧデータ系列と同等のデータフォーマットを有し、Ｇデータ系列と同様に扱われるものとされる。
【００２０】
そして、４：２：２形式もしくは４：４：４形式のディジタル映像信号を成すディジタルデータの伝送にあたっては、当該ディジタル映像信号を成すディジタルデータとそれに関連するＫｅｙ信号データ系列とを伝送することが要求される場合も少なくない。斯かる場合には、４：２：２形式もしくは４：４：４形式のディジタル映像信号を成すディジタルデータに加えて、それに関連するＫｅｙ信号データ系列が、伝送されるディジタル映像信号を成すディジタルデータに付随する付加情報データ系列として伝送されること、さらには、このような両者の伝送が、例えば、量子化ビット数を１０ビットとするディジタル映像信号を成すディジタルデータのシリアル伝送に用いられる現存する回路構成要素が利用されて行われるようにされることが、実施にあたっての容易さ，コストの低減化等の観点から望まれる。
【００２１】
このような、Ｄ−Ｃｉｎｅｍａ信号，７２０Ｐ信号等を含むディジタル映像信号もしくは斯かるディジタル映像信号及びＫｅｙ信号は、例えば、撮像動作を行って映像信号を形成するビデオカメラから得られて、それを記録するとともに必要に応じて再生するビデオテープレコーダ（ＶＴＲ）を備えた信号記録再生部に供給されるものとされる。
【００２２】
ビデオカメラによる撮像及び信号記録再生部によるビデオカメラからの映像信号の記録再生が行われるにあたり、例えば、テレビジョン放送局等により放送番組情報の収録がなされる場合には、一般に、複数のビデオカメラが使用され、複数のビデオカメラによりカメラ部が構成される。そして、カメラ部を構成する複数のビデオカメラの夫々から得られる映像信号もしくは映像信号及びＫｅｙ信号が、信号記録再生部へと送られる。
【００２３】
カメラ部における複数のビデオカメラによる撮像が行われる際には、夫々のビデオカメラを操作する者（カメラマン）にとって、他のビデオカメラによる撮像状況を知ることが必要とされ、それゆえ、各ビデオカメラに備えられた画像モニター上において、他のビデオカメラから得られる映像信号に基づく再生画像が得られるようにされる。そのため、各ビデオカメラから得られて信号記録再生部へと送られた映像信号が、信号記録再生部において所定の処置が施されて、信号記録再生部から複数のビデオカメラにより構成されるカメラ部に供給される。
【００２４】
このように、複数のビデオカメラにより構成されるカメラ部に供給される映像信号は、カメラ部における各ビデオカメラに備えられた画像モニター上における画像再生に用いられるものであるので、それに基づく再生画像が格別に高品質であることは要求されない。そこで、斯かる映像信号は、例えば、他のビデオカメラから得られる映像信号に圧縮処理等が施されて得られる、伝送容量が制限されて伝送が容易なものとされる。以下、こうした、例えば、圧縮処理等が施されて得られる映像信号をリターン映像信号と呼ぶ。
【００２５】
このように、カメラ部と信号記録再生部との間では、カメラ部における複数のビデオカメラの夫々から得られる映像信号もしくは映像信号及びＫｅｙ信号が、例えば、ＶＴＲを備えた信号記録再生部へと伝送されるとともに、所定の処置が施されたリターン映像信号が信号記録再生部からカメラ部へと伝送され、カメラ部と信号記録再生部との間において、映像信号もしくは映像信号及びＫｅｙ信号とリターン映像信号との双方向伝送が行われることになる。リターン映像信号は、例えば、複数とされる。
【００２６】
カメラ部を構成する複数のビデオカメラの夫々から得られる映像信号が、例えば、Ｄ−Ｃｉｎｅｍａ信号あるいは７２０Ｐ信号とされる場合には、リターン映像信号もディジタル信号、即ち、ディジタルリターン映像信号とされる。Ｄ−Ｃｉｎｅｍａ信号あるいは７２０Ｐ信号とディジタルリターン映像信号との夫々は、伝送されるに際しては、シリアルディジタルデータとされる。
【００２７】
そして、カメラ部を構成する複数のビデオカメラの夫々から得られるＤ−Ｃｉｎｅｍａ信号あるいは７２０Ｐ信号、もしくは、Ｄ−Ｃｉｎｅｍａ信号あるいは７２０Ｐ信号及びＫｅｙ信号とディジタルリターン映像信号とを、カメラ部と信号記録再生部との間において双方向伝送するにあたり、Ｄ−Ｃｉｎｅｍａ信号あるいは７２０Ｐ信号、もしくは、Ｄ−Ｃｉｎｅｍａ信号あるいは７２０Ｐ信号及びＫｅｙ信号を形成するディジタルデータとディジタルリターン映像信号を形成するディジタルデータとの夫々を光信号に変換し、伝送信号容量が大で優れた伝送効率が得られる光信号伝送ケーブルを通じて伝送することが考えられる。その際には、カメラ部と信号記録再生部とを連結する光信号伝送ケーブルを形成するものとして、所謂、光ファイバーが用いられることになる。
【００２８】
このような光信号伝送ケーブルを形成する光ファイバーは、例えば、石英系シングルモードファイバー（石英系ＳＭＦ）とされる。この石英系ＳＭＦは、例えば、コア径を１０μｍとし、クラッド径を１２５μｍとして、伝播モードを一つとするものとされ、伝送周波数帯域が広く、伝播損失が低く抑えられるという特徴を有している。従って、光信号による高速・長距離通信の用途に向いており、ビデオカメラから得られるディジタル映像信号に基づく光信号の伝送に適している。
【００２９】
石英系ＳＭＦは、例えば、図５０に示される減衰特性に従った光信号の減衰を生じ、また、図５１に示される分散特性に従った光信号の分散を生じる。光信号の分散とは、光信号の周波数スペクトルの広がりと光ファイバーの材料及び構造に起因して生じる光信号の伝播時間の広がりあるいは波形歪みである。図５０に示される減衰特性にあっては、波長を略１．３μｍとする光及び波長を略１．５５μｍとする光に対して減衰の極小値を示している。また、図５１に示される分散特性にあっては、波長を略１．３μｍとする光の分散が最小となる。
【００３０】
【発明が解決しようとする課題】
上述の如くにして、カメラ部を構成する複数のビデオカメラの夫々から得られるＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々を光信号に変換し、光信号伝送ケーブルを用いて、カメラ部と信号記録再生部との間において双方向伝送するにあたっては、カメラ部と信号記録再生部との間において、複数の光信号が双方向伝送に供されることになる。従って、従前のデータ伝送手法によるのでは、Ｄ−Ｃｉｎｅｍａ信号，７２０Ｐ信号等とされるディジタル映像信号もしくは斯かるディジタル映像信号及びＫｅｙ信号を形成するディジタルデータのシリアル伝送については、ディジタル映像信号もしくはディジタル映像信号及びＫｅｙ信号を形成するディジタルデータを複数の信号チャンネルに分割して伝送せざるを得ないこともあって、カメラ部と信号記録再生部との間に、多数の光信号伝送ケーブルが並列的に配されることが必要とされ、それにより、大なるケーブル設置用スペースが要されるとともに、コストが嵩むことになってしまう。
【００３１】
そこで、カメラ部を構成する複数のビデオカメラの夫々から得られるＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送を、光信号伝送ケーブルの数を最小限に抑えるべく、効率良く行えるデータ伝送システムが望まれるところとなるが、従来にあっては、このようなデータ伝送システムは見当たらない。
【００３２】
斯かる点に鑑み、本願の特許請求の範囲に記載された発明は、例えば、光信号伝送ケーブルを用いて、複数のシリアルディジタルデータに基づく複数の光信号を、例えば、共通の光信号伝送ケーブルについて双方向に伝送することができ、それゆえ、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータ、の夫々が変換されて得られる複数の光信号の、カメラ部と信号記録再生部との間における光信号伝送ケーブルを用いての双方向伝送に適用される際には、その双方向伝送を、光信号伝送ケーブルの数を最小限に抑えるべく、効率良く行えることになるデータ伝送方法、及び、斯かる方法の実施に供されるデータ伝送装置を提供する。
【００３３】
【課題を解決するための手段】
本願の特許請求の範囲における請求項１から請求項９までのいずれかに記載された発明に係るデータ伝送方法にあっては、請求項１から請求項３までのいずれかに記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すことにより、また、請求項４から請求項６までのいずれかに記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第１及び第２のワード列データを形成するデータ処理を施すことにより、さらに、請求項７から請求項９までのいずれかに記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第２のワード列データと、を形成するデータ処理を施すことにより、第１及び第２のワード列データに夫々基づく第１及び第２のシリアルデータを得る。そして、第１及び第２のシリアルデータにビット多重合成処理を施して複合シリアルデータを形成し、それを１．５５μｍ帯のレーザ光が変調されて得られる第１の光信号に変換し、その第１の光信号を、一端部側に第１及び第２の入出力端が設けられるとともに他端部側に第３の入出力端が設けられて成る第１の双方向性波長多重カップラにおける第１の入出力端に供給し、第３の入出力端に導出される第１の光信号を、光信号伝送ケーブルに送出してその一端側から他端側へと伝送するとともに、第３のシリアルデータを１．３μｍ帯のレーザ光が変調されて得られる第２の光信号に変換し、その第２の光信号を、一端部側に第４及び第５の入出力端が設けられるとともに他端部側に第６の入出力端が設けられて成る第２の双方向性波長多重カップラにおける第４の入出力端に供給し、第６の入出力端に導出される第２の光信号を、光信号伝送ケーブルに送出してその他端側から一端側へと伝送し、光信号伝送ケーブルの他端側に伝送された第１の光信号を、第２の双方向性波長多重カップラの第５の入出力端に導出するとともに、光信号伝送ケーブルの一端側に伝送された第２の光信号を、第１の双方向性波長多重カップラの第２の入出力端に導出する。
【００３４】
本願の特許請求の範囲における請求項１０から請求項２１までのいずれかに記載された発明に係るデータ伝送方法にあっては、請求項１０または請求項１１に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すことにより、請求項１２または請求項１３に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部と含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第１及び第２のワード列データを形成するデータ処理を施すことにより、請求項１４または請求項１５に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットとを含んだ第２のワード列データと、を形成するデータ処理を施すことにより、請求項１６から請求項１８までのいずれかに記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた輝度信号データ系列及び色差信号データ系列と輝度信号データ系列と同等のデータフォーマットを有した付加情報データ系列との並列配置をもって形成された３０ビット構成とされるパラレルデータに、輝度信号データ系列及び色差信号データ系列に基づく第１のワード列データと、付加情報データ系列に基づく第２のワード列データと、を形成するデータ処理を施すことにより、そして、請求項１９から請求項２１までのいずれかに記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列，青色原色信号データ系列及び赤色原色信号データ系列と緑色原色信号データ系列と同等のデータフォーマットを有した付加情報データ系列との並列配置をもって形成された４０ビット構成とされるパラレルデータに、緑色原色信号データ系列，青色原色信号データ系列，赤色原色信号データ系列及び付加情報データ系列の夫々を形成する１０ビットワードを、緑色原色信号データ系列を形成する１０ビットワードと青色原色信号データ系列及び赤色原色信号データ系列の夫々を形成する１０ビットワードの一部とを含む第１のワードグループと、付加情報データ系列を形成する１０ビットワードと青色原色信号データ系列及び赤色原色信号データ系列の夫々を形成する１０ビットワードの他の一部とを含む第２のワードグループとに振り分け、第１のワードグループに基づく第１のワード列データと、第２のワードグループに基づく第２のワード列データと、を形成するデータ処理を施すことにより、第１及び第２のワード列データに夫々基づく第１及び第２のシリアルデータを得る。そして、第１及び第２のシリアルデータにビット多重合成処理を施して複合シリアルデータを形成し、それを１．５５μｍ帯のレーザ光が変調されて得られる第１の光信号に変換し、その第１の光信号を、一端部側に第１及び第２の入出力端が設けられるとともに他端部側に第３の入出力端が設けられて成る第１の双方向性波長多重カップラにおける第１の入出力端に供給し、第３の入出力端に導出される第１の光信号を、光信号伝送ケーブルに送出してその一端側から他端側へと伝送するとともに、第３のシリアルデータを１．３μｍ帯のレーザ光が変調されて得られる第２の光信号に変換し、その第２の光信号を、一端部側に第４及び第５の入出力端が設けられるとともに他端部側に第６の入出力端が設けられて成る第２の双方向性波長多重カップラにおける第４の入出力端に供給し、第６の入出力端に導出される第２の光信号を、光信号伝送��ーブルに送出してその他端側から一端側へと伝送し、光信号伝送ケーブルの他端側に伝送された第１の光信号を、第２の双方向性波長多重カップラの第５の入出力端に導出するとともに、光信号伝送ケーブルの一端側に伝送された第２の光信号を、第１の双方向性波長多重カップラの第２の入出力端に導出する。
【００３５】
本願の特許請求の範囲における請求項２２から請求項３０までのいずれかに記載された発明に係るデータ伝送方法にあっては、請求項２２から請求項２４までのいずれかに記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを形成し、第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施すことにより、また、請求項２５から請求項２７までのいずれかに記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを得、上記第１のワード列データにおける緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第３及び第４のワード列データを形成するとともに、第２のワード列データにおける緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第３のワードグループと、補助データ系列を形成する１０ビットワードと青色原色信号データ系列及び赤色原色信号データ系列の夫々を構成する１０ビットワードの他の一部とを含む第４のワードグループとに振り分け、第３及び第４のワードグループに夫々基づく第５及び第６のワード列データを形成するデータ処理を施すことにより、さらに、請求項２８から請求項３０までのいずれかに記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを形成し、第１のワード列データにおける緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第３のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第４のワード列データと、を形成するとともに、第２のワード列データにおける緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部を含んだ第５のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第６のワード列データと、を形成するデータ処理を施すことにより、第３から第６までのワード列データに夫々基づく第１から第４までのシリアルデータを得る。そして、第１及び第２のシリアルデータにビット多重合成処理を施して第１の複合シリアルデータを形成し、第１の複合シリアルデータを１．５５μｍ帯のレーザ光が変調されて得られる第１の光信号に変換し、その第１の光信号を、一端部側に第１及び第２の入出力端が設けられるとともに他端部側に第３の入出力端が設けられて成る第１の双方向性波長多重カップラにおける第１の入出力端に供給し、第３の入出力端に導出される第１の光信号を、第１の光信号伝送ケーブルに送出してその一端側から他端側へと伝送するとともに、第３及び第４のシリアルデータにビット多重合成処理を施して第２の複合シリアルデータを形成し、第２の複合シリアルデータを、１．５５μｍ帯のレーザ光が変調されて得られる第２の光信号に変換し、その第２の光信号を、一端部側に第４及び第５の入出力端が設けられるとともに他端部側に第６の入出力端が設けられて成る第２の双方向性波長多重カップラにおける第４の入出力端に供給し、第６の入出力端に導出される第２の光信号を、第２の光信号伝送ケーブルに送出してその一端側から他端側へと伝送し、第５のシリアルデータを１．３μｍ帯のレーザ光が変調されて得られる第３の光信号に変換し、その第３の光信号を、一端部側に第７及び第８の入出力端が設けられるとともに他端部側に第９の入出力端が設けられて成る第３の双方向性波長多重カップラにおける第７の入出力端に供給し、第９の入出力端に導出される第３の光信号を、第１の光信号伝送ケーブルに送出してその他端側から一端側へと伝送するとともに、第６のシリアルデータを１．３μｍ帯のレーザ光が変調されて得られる第４の光信号に変換し、その第４の光信号を、一端部側に第１０及び第１１の入出力端が設けられるとともに他端部側に第１２の入出力端が設けられて成る第４の双方向性波長多重カップラにおける第１０の入出力端に供給し、第１２の入出力端に導出される第４の光信号を、第２の光信号伝送ケーブルに送出してその他端側から一端側へと伝送し、第１の光信号伝送ケーブルの他端側に伝送された第１の光信号を、第３の双方向性波長多重カップラの第８の入出力端に導出し、第１の光信号伝送ケーブルの一端側に伝送された第３の光信号を、第１の双方向性波長多重カップラの第２の入出力端に導出するとともに、第２の光信号伝送ケーブルの他端側に伝送された第２の光信号を、第４の双方向性波長多重カップラの第１１の入出力端に導出し、第２の光信号伝送ケーブルの一端側に伝送された第４の光信号を、第２の双方向性波長多重カップラの第５の入出力端に導出する。
【００３６】
本願の特許請求の範囲における請求項３１から請求項３６までのいずれかに記載された発明に係るデータ伝送方法にあっては、請求項３１または請求項３２に記載された発明の場合には、請求項２２から請求項２４までのいずれかに記載された発明の場合と同様にして第１から第４までのシリアルデータを得、また、請求項３３または請求項３４に記載された発明の場合には、請求項２５から請求項２７までのいずれかに記載された発明の場合と同様にして第１から第４までのシリアルデータを得、さらに、請求項３５または請求項３６に記載された発明の場合には、請求項２８から請求項３０までのいずれかに記載された発明の場合と同様にして、第１から第４までのシリアルデータを得る。そして、第１から第４までのシリアルデータを、１．５１１μｍ〜１．５７１μｍの範囲内において所定の波長間隔をおいて順次近接する第１から第４までの中心波長を夫々有した第１から第４までの光信号に変換し、第１から第４までの光信号を合波して多重光信号を得て、その多重光信号を第１の光信号伝送ケーブルに送出してその一端側から他端側へと伝送し、第５のシリアルデータを１．３μｍ帯のレーザ光が変調されて得られる第５の光信号に変換して、その第５の光信号を第２の光信号伝送ケーブルに送出してその一端側から他端側へと伝送し、第１の光信号伝送ケーブルの他端側に導出される多重光信号に分波処理および光電処理を施して、第１から第４までのシリアルデータを再生するとともに、第２の光信号伝送ケーブルの他端側に導出される第５の光信号に光電処理を施して、第５のシリアルデータを再生する。
【００３７】
本願の特許請求の範囲における請求項３７から請求項４２までのいずれかに記載された発明に係るデータ伝送方法にあっては、請求項３７または請求項３８に記載された発明の場合には、請求項２２から請求項２４までのいずれかに記載された発明の場合と同様にして第１から第４までのシリアルデータを得、また、請求項３９または請求項４０に記載された発明の場合には、請求項２５から請求項２７までのいずれかに記載された発明の場合と同様にして第１から第４までのシリアルデータを得、さらに、請求項４１または請求項４２に記載された発明の場合には、請求項２８から請求項３０までのいずれかに記載された発明の場合と同様にして第１から第４までのシリアルデータを得る。そして、第１から第４までのシリアルデータを、１．５１１μｍ〜１．５５１μｍの範囲内において所定の波長間隔をおいて順次近接する第１から第４までの中心波長を夫々有した第１から第４までの光信号に変換し、第１から第３までの光信号を合波して多重光信号を得て、その多重光信号を第１の光信号伝送ケーブルに送出してその一端側から他端側へと伝送するとともに、第４の光信号を一端部側に第１及び第２の入出力端が設けられるとともに他端部側に第３の入出力端が設けられて成る第１の双方向性波長多重カップラにおける第１の入出力端に供給し、第３の入出力端に導出される第４の光信号を、第２の光信号伝送ケーブルに送出してその一端側から他端側へと伝送し、第５のシリアルデータを１．３μｍ帯のレーザ光が変調されて得られる第５の光信号に変換して、その第５の光信号を、一端部側に第４及び第５の入出力端が設けられるとともに他端部側に第６の入出力端が設けられて成る第２の双方向性波長多重カップラにおける第４の入出力端に供給し、第６の入出力端に導出される第５の光信号を、第２の光信号伝送ケーブルに送出してその他端側から一端側へと伝送し、第１の光信号伝送ケーブルの他端側に導出される多重光信号に分波処理及び光電処理を施して、第１から第３までのシリアルデータを再生し、第２の光信号伝送ケーブルの他端側に伝送された第４の光信号を、第２の双方向性波長多重カップラの第５の入出力端に導出し、その第４の光信号に光電処理を施して第４のシリアルデータを再生する。
【００３８】
本願の特許請求の範囲における請求項４３から請求項４８までのいずれかに記載された発明に係るデータ伝送方法にあっては、請求項４３から請求項４５までのいずれかに記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列及び色差信号データ系列と輝度信号データ系列と同等のデータフォーマットを有した付加情報データ系列との並列配置をもって形成された３６ビット，４２ビットもしくは４８ビット構成とされるパラレルデータに、輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、輝度信号データ系列及び色差信号データ系列から分割された複数の上位１０ビットに基づく第１のワード列データと、輝度信号データ系列及び色差信号データ系列から分割された複数の下位２ビット，４ビットもしくは６ビットに基づく第２のワード列データと、付加情報データ系列から分割された複数の上位１０ビット及び複数の下位２ビット，４ビットもしくは６ビットに基づく第３のワード列データと、を形成するデータ処理を施すことにより、また、請求項４６から請求項４８までのいずれかに記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列，青色原色信号データ系列及び赤色原色信号データ系列と緑色原色信号データ系列と同等のデータフォーマットを有した付加情報データ系列との並列配置をもって形成された４８ビット構成とされるパラレルデータに、緑色原色信号データ系列，青色原色信号データ系列，赤色原色信号データ系列及び付加情報データ系列の夫々を形成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とに基づく第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットとに基づく第２のワード列データと、付加情報データ系列から分割された複数の上位１０ビット及び複数の下位２ビットに基づく第３のワード列データと、を形成するデータ処理を施すことにより、第１から第３までのワード列データに夫々基づく第１から第３までのシリアルデータを得る。そして、第１及び第２のシリアルデータにビット多重合成処理を施して複合シリアルデータを形成し、複合シリアルデータを１．５５μｍ帯のレーザ光が変調されて得られる第１の光信号に変換して、���の第１の光信号を、一端部側に第１及び第２の入出力端が設けられるとともに他端部側に第３の入出力端が設けられて成る第１の双方向性波長多重カップラにおける第１の入出力端に供給し、第３の入出力端に導出される第１の光信号を、第１の光信号伝送ケーブルに送出してその一端側から他端側へと伝送するとともに、第３のシリアルデータを１．５５μｍ帯のレーザ光が変調されて得られる第２の光信号に変換して、その第２の光信号を、一端部側に第４及び第５の入出力端が設けられるとともに他端部側に第６の入出力端が設けられて成る第２の双方向性波長多重カップラにおける第４の入出力端に供給し、第６の入出力端に導出される第２の光信号を、第２の光信号伝送ケーブルに送出してその一端側から他端側へと伝送し、第４のシリアルデータを１．３μｍ帯のレーザ光が変調されて得られる第３の光信号に変換して、その第３の光信号を、一端部側に第７及び第８の入出力端が設けられるとともに他端部側に第９の入出力端が設けられて成る第３の双方向性波長多重カップラにおける第７の入出力端に供給し、第９の入出力端に導出される第３の光信号を、第１の光信号伝送ケーブルに送出してその他端側から一端側へと伝送し、第５のシリアルデータを１．３μｍ帯のレーザ光が変調されて得られる第４の光信号に変換して、その第４の光信号を、一端部側に第１０及び第１１の入出力端が設けられるとともに他端部側に第１２の入出力端が設けられて成る第４の双方向性波長多重カップラにおける第１０の入出力端に供給し、第１２の入出力端に導出される第４の光信号を、第２の光信号伝送ケーブルに送出してその他端側から一端側へと伝送し、第１の光信号伝送ケーブルの他端側に伝送された第１の光信号を、第３の双方向性波長多重カップラの第８の入出力端に導出するとともに、第１の光信号伝送ケーブルの一端側に伝送された第３の光信号を、第１の双方向性波長多重カップラの第２の入出力端に導出し、第２の光信号伝送ケーブルの他端側に伝送された第２の光信号を、第４の双方向性波長多重カップラの第１１の入出力端に導出するとともに、第２の光信号伝送ケーブルの一端側に伝送された第４の光信号を、第２の双方向性波長多重カップラの第５の入出力端に導出する。
【００３９】
さらに、本願の特許請求の範囲における請求項４９から請求項５１までのいずれかに記載された発明に係るデータ伝送装置は、請求項４９に記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すデータ処理部を備えるものとされ、また、請求項５０に記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第１及び第２のワード列データを形成するデータ処理を施すデータ処理部を備えるものとされ、さらに、請求項５１に記載された発明の場合には、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第２のワード列データと、を得る処理を施すデータ処理部を備えるものとされたもとで、第１及び第２のワード列データに夫々基づく第１及び第２のシリアルデータを得るパラレル／シリアル（Ｐ／Ｓ）変換部と、第１及び第２のシリアルデータにビット多重合成処理を施して複合シリアルデータを形成し、それを１．５５μｍ帯のレーザ光が変調されて得られる第１の光信号に変換する第１の光信号形成部と、一端部側に第１及び第２の入出力端が設けられるとともに他端部側に第３の入出力端が設けられて成り、第１の光信号が第１の入出力端に供給されて第３の入出力端に導出される第１の双方向性波長多重カップラと、第３のシリアルデータを１．３μｍ帯のレーザ光が変調されて得られる第２の光信号に変換する第２の光信号形成部と、一端部側に第４及び第５の入出力端が設けられるとともに他端部側に第６の入出力端が設けられて成り、第２の光信号が第４の入出力端に供給されて第６の入出力端に導出される第２の双方向性波長多重カップラと、第１の双方向性波長多重カップラの第３の入出力端に導出される第１の光信号を一端側から他端側へ伝送するとともに、第２の双方向性波長多重カップラの第６の入出力端に導出される第２の光信号を他端側から一端側へ伝送し、第１の光信号が第２の双方向性波長多重カップラの第５の入出力端に導出されるとともに、第２の光信号が第１の双方向性波長多重カップラの第２の入出力端に導出されるようになす光信号伝送ケーブルと、を備えて構成される。
【００４０】
本願の特許請求の範囲における請求項５２から請求項５６までのいずれかに記載された発明に係るデータ伝送装置は、請求項５２に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、輝度信号データ系列及び色差信号データ系列の夫々を構成する各１２ビット，１４ビットもしくは１６ビットワードを上位１０ビットと下位２ビット，４ビットもしくは６ビットとに分割する処理を施して、分割された上位１０ビットを含んだ第１のワード列データと、分割された下位２ビット，４ビットもしくは６ビットと補助ビットとを含んだ第２のワード列データと、を形成するデータ処理を施すデータ処理部を備えるものとされ、請求項５３に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部と含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第１及び第２のワード列データを形成するデータ処理を施すデータ処理部を備えるものとされ、請求項５４に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットとを含んだ第２のワード列データと、を形成するデータ処理を施すデータ処理部を備えるものとされ、請求項５５に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた輝度信号データ系列及び色差信号データ系列と輝度信号データ系列と同等のデータフォーマットを有した付加情報データ系列との並列配置をもって形成された３０ビット構成とされるパラレルデータに、輝度信号データ系列及び色差信号データ系列に基づく第１のワード列データと、付加情報データ系列に基づく第２のワード列データと、を形成するデータ処理を施すデータ処理部を備えるものとされ、さらに、請求項５６に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１０ビットワード列データとされた緑色原色信号データ系列，青色原色信号データ系列及び赤色原色信号データ系列と緑色原色信号データ系列と同等のデータフォーマットを有した付加情報データ系列との並列配置をもって形成された４０ビット構成とされるパラレルデータに、緑色原色信号データ系列，青色原色信号データ系列，赤色原色信号データ系列及び付加情報データ系列の夫々を形成する１０ビットワードを、緑色原色信号データ系列を形成する１０ビットワードと青色原色信号データ系列及び赤色原色信号データ系列の夫々を形成する１０ビットワードの一部とを含む第１のワードグループと、付加情報データ系列を形成する１０ビットワードと青色原色信号データ系列及び赤色原色信号データ系列の夫々を形成する１０ビットワードの他の一部とを含む第２のワードグループとに振り分け、第１のワードグループに基づく第１のワード列データと、第２のワードグループに基づく第２のワード列データと、を形成するデータ処理を施すデータ処理部を備えるものとされたもとで、第１及び第２のワード列データに夫々基づく第１及び第２のシリアルデータを得るＰ／Ｓ変換部と、第１及び第２のシリアルデータにビット多重合成処理を施して複合シリアルデータを形成し、それを１．５５μｍ帯のレーザ光が変調されて得られる第１の光信号に変換する第１の光信号形成部と、第３のシリアルデータを１．３μｍ帯のレーザ光が変調されて得られる第２の光信号に変換する第２の光信号形成部と、一端部側に第１及び第２の入出力端が設けられるとともに他端部側に第３の入出力端が設けられて成り、第１の光信号が第１の入出力端に供給されて第３の入出力端に導出される第１の双方向性波長多重カップラと、一端部側に第４及び第５の入出力端が設けられるとともに他端部側に第６の入出力端が設けられて成り、第２の光信号が第４の入出力端に供給されて第６の入出力端に導出される第２の双方向性波長多重カップラと、第１の双方向性波長多重カップラの第３の入出力端に導出される第１の光信号を一端側��ら他端側へと伝送するとともに、第２の双方向性波長多重カップラの第６の入出力端に導出される第２の光信号を他端側から一端側へと伝送し、第１の光信号が第２の双方向性波長多重カップラの第５の入出力端に導出されるとともに、第２の光信号が第１の双方向性波長多重カップラの第２の入出力端に導出されるようになす光信号伝送ケーブルと、を備えて構成される。
【００４１】
本願の特許請求の範囲における請求項５７から請求項５９までのいずれかに記載された発明に係るデータ伝送装置は、請求項５７に記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビット，１４ビットもしくは１６ビットワード列データとされた輝度信号データ系列と色差信号データ系列との並列配置をもって形成された２４ビット，２８ビットもしくは３２ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを得、第１のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第３のワード列データと、分割された下位２ビット，４ビットもしくは６ビットと補助ビットとを含んだ第４のワード列データとを形成するとともに、第２のワード列データにおける輝度信号データ系列及び色差信号データ系列を構成する各１２ビット，１４ビットもしくは１６ビットワードを、上位１０ビットと下位２ビット，４ビットもしくは６ビットとに分割する処理を施して、分割された上位１０ビットを含んだ第５のワード列データと、分割された下位２ビット，４ビットもしくは６ビットと補助ビットとを含んだ第６のワード列データとを形成するデータ処理を施すデータ処理部を備えるものとされ、また、請求項５８に記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１０ビットワード列データとされた緑色原色信号データ系列と青色原色信号データ系列と赤色原色信号データ系列との並列配置をもって形成された３０ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを得、第１のワード列データにおける緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第１のワードグループと、補助データ系列を形成する１０ビットワードと青色原色信号データ系列及び赤色原色信号データ系列の夫々を構成する１０ビットワードの他の一部とを含む第２のワードグループとに振り分け、第１及び第２のワードグループに夫々基づく第３及び第４のワード列データを形成するとともに、第２のワード列データにおける緑色原色信号データ系列，青色原色信号データ系列及び赤色原色信号データ系列の夫々を構成する各１０ビットワードを、緑色原色信号データ系列を形成する１０ビットワードと青色原色信号データ系列及び赤色原色信号データ系列の夫々を構成する１０ビットワードの一部とを含む第３のワードグループと、補助データ系列を形成する１０ビットワードと青色原色信号データ系列及び赤色原色信号データ系列の夫々を構成する１０ビットワードの他の一部とを含む第４のワードグループとに振り分け、第３及び第４のワードグループに夫々基づく第５及び第６のワード列データを形成するデータ処理を施すデータ処理部を備えるものとされ、さらに、請求項５９に記載された発明の場合には、フレームレートを５０Ｈｚもしくは６０Ｈｚとし、各フレームにおける有効ライン数が１０８０ライン，各ラインにおける有効データサンプル数が１９２０サンプルに設定されたディジタル映像信号に応じた、各々が１２ビットワード列データとされた緑色原色信号データ系列と青色原色信号データ系列と赤色原色信号データ系列との並列配置をもって形成された３６ビット構成とされるパラレルデータに、各ライン部毎に順次第１のグループと第２のグループとに振り分ける処理を施して、第１のグループを構成するデータに基づく第１のワード列データと、第２のグループを構成するデータに基づく第２のワード列データとを形成し、第１のワード列データにおける緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とを含んだ第３のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第４のワード列データと、を形成するとともに、第２のワード列データにおける緑色原色信号データ系列，青色原色信号データ系列及び赤色原色信号データ系列の夫々を構成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部を含んだ第５のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットと補助ビットとを含んだ第６のワード列データと、を形成するデータ処理を施すデータ処理部を備えるものとされたもとで、第３から第６までのワード列データに夫々基づく第１から第４までのシリアルデータを得るＰ／Ｓ変換部と、第１及び第２のシリアルデータにビット多重合成処理を施して第１の複合シリアルデータを形成し、それを１．５５μ���帯のレーザ光が変調されて得られる第１の光信号に変換する第１の光信号形成部と、一端部側に第１及び第２の入出力端が設けられるとともに他端部側に第３の入出力端が設けられて成り、第１の光信号が第１の入出力端に供給されて第３の入出力端に導出される第１の双方向性波長多重カップラと、第３及び第４のシリアルデータにビット多重合成処理を施して第２の複合シリアルデータを形成し、それを１．５５μｍ帯のレーザ光が変調されて得られる第２の光信号に変換する第２の光信号形成部と、一端部側に第４及び第５の入出力端が設けられるとともに他端部側に第６の入出力端が設けられて成り、第２の光信号が第４の入出力端に供給されて第６の入出力端に導出される第２の双方向性波長多重カップラと、第５のシリアルデータを１．３μｍ帯のレーザ光が変調されて得られる第３の光信号に変換する第３の光信号形成部と、一端部側に第７及び第８の入出力端が設けられるとともに他端部側に第９の入出力端が設けられて成り、第３の光信号が第７の入出力端に供給されて第９の入出力端に導出される第３の双方向性波長多重カップラと、第６のシリアルデータを１．３μｍ帯のレーザ光が変調されて得られる第４の光信号に変換する第４の光信号形成部と、一端部側に第１０及び第１１の入出力端が設けられるとともに他端部側に第１２の入出力端が設けられて成り、第４の光信号が第１０の入出力端に供給されて第１２の入出力端に導出される第４の双方向性波長多重カップラと、第１の双方向性波長多重カップラの第３の入出力端に導出される第１の光信号を一端側から他端側へと伝送するとともに、第３の双方向性波長多重カップラの第９の入出力端に導出される第３の光信号を他端側から一端側へと伝送し、第１の光信号が第３の双方向性波長多重カップラの第８の入出力端に導出されるとともに、第３の光信号が第１の双方向性波長多重カップラの第２の入出力端に導出されるようになす第１の光信号伝送ケーブルと、第２の双方向性波長多重カップラの第６の入出力端に導出される第２の光信号を一端側から他端側へと伝送するとともに、第４の双方向性波長多重カップラの第１２の入出力端に導出される第４の光信号を他端側から一端側へと伝送し、第２の光信号が第４の双方向性波長多重カップラの第１１の入出力端に導出されるとともに、第４の光信号が第２の双方向性波長多重カップラの第５の入出力端に導出されるようになす第２の光信号伝送ケーブルと、を備えて構成される。
【００４２】
本願の特許請求の範囲における請求項６０から請求項６２までのいずれかに記載された発明に係るデータ伝送装置は、請求項６０に記載された発明の場合には、請求項５７に記載された発明と同様なデータ処理部を備え、また、請求項６１に記載された発明の場合には、請求項５８に記載された発明と同様なデータ処理部を備え、さらに、請求項６２に記載された発明の場合には、請求項５９に記載された発明と同様なデータ処理部を備えたもとで、第３から第６までのワード列データに夫々基づく第１から第４までのシリアルデータを得るＰ／Ｓ変換部と、第１から第４までのシリアルデータを、１．５１１μｍ〜１．５７１μｍの範囲内において所定の波長間隔をおいて相互近接する第１から第４までの中心波長を夫々有した第１から第４までの光信号に変換する第１から第４までの光信号形成部と、第１から第４までの光信号を合波して多重光信号を得る多重光信号形成部と、第５のシリアルデータを１．３μｍ帯のレーザ光が変調されて得られる第５の光信号に変換する第５の光信号形成部と、多重光信号を一端側から他端側へと伝送する第１の光信号伝送ケーブルと、第５の光信号を一端側から他端側へと伝送する第２の光信号伝送ケーブルと、を備えて構成される。
【００４３】
本願の特許請求の範囲における請求項６３から請求項６５までのいずれかに記載された発明に係るデータ伝送装置は、請求項６３に記載された発明の場合には、請求項５７に記載された発明と同様なデータ処理部を備え、また、請求項６４に記載された発明の場合には、請求項５８に記載された発明と同様なデータ処理部を備え、さらに、請求項６５に記載された発明の場合には、請求項５９に記載された発明と同様なデータ処理部を備えたもとで、第３から第６までのワード列データに夫々基づく第１から第４までのシリアルデータを得るＰ／Ｓ変換部と、第１から第４までのシリアルデータを、１．５１１μｍ〜１．５５１μｍの範囲内において所定の波長間隔をおいて相互近接する第１から第４までの中心波長を夫々有した第１から第４までの光信号に変換する第１から第４までの光信号形成部と、第１から第３までの光信号を合波して多重光信号を得る多重光信号形成部と、一端部側に第１及び第２の入出力端が設けられるとともに他端部側に第３の入出力端が設けられて成り、第４の光信号が第１の入出力端に供給されて第３の入出力端に導出される第１の双方向性波長多重カップラと、第５のシリアルデータを１．３μｍ帯のレーザ光が変調されて得られる第５の光信号に変換する第５の光信号形成部と、一端部側に第４及び第５の入出力端が設けられるとともに他端部側に第６の入出力端が設けられて成り、第５の光信号が第４の入出力端に供給されて第６の入出力端に導出される第２の双方向性波長多重カップラと、多重光信号を一端側から他端側へと伝送する第１の光信号伝送ケーブルと、第１の双方向性波長多重カップラの第３の入出力端に導出される第４の光信号を一端側から他端側へと伝送するとともに、第２の双方向性波長多重カップラの第６の入出力端に導出される第５の光信号を他端側から一端側へと伝送する第２の光信号伝送ケーブルと、を備えて構成される。
【００４４】
本願の特許請求の範囲における請求項６６または請求項６７に記載された発明に係るデータ伝送装置は、請求項６６に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビット，１４ビットもしくは１６ビットワード列データとされた輝度信号データ系列及び色差信号データ系列と輝度信号データ系列と同等のデータフォーマットを有した付加情報データ系列との並列配置をもって形成された３６ビット，４２ビットもしくは４８ビット構成とされるパラレルデータに、輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、輝度信号データ系列及び色差信号データ系列から分割された複数の上位１０ビットに基づく第１のワード列データと、輝度信号データ系列及び色差信号データ系列から分割された複数の下位２ビット，４ビットもしくは６ビットに基づく第２のワード列データと、付加情報データ系列から分割された複数の上位１０ビット及び複数の下位２ビット，４ビットもしくは６ビットに基づく第３のワード列データと、を形成するデータ処理を施すデータ処理部を備えるものとされ、また、請求項６７に記載された発明の場合には、フレームレートを６０Ｈｚとし、各フレームにおける有効ライン数が７２０ライン，各ラインにおける有効データサンプル数が１２８０サンプルに設定されたディジタル映像信号に応じた、各々が１２ビットワード列データとされた緑色原色信号データ系列，青色原色信号データ系列及び赤色原色信号データ系列と緑色原色信号データ系列と同等のデータフォーマットを有した付加情報データ系列との並列配置をもって形成された４８ビット構成とされるパラレルデータに、緑色原色信号データ系列，青色原色信号データ系列，赤色原色信号データ系列及び付加情報データ系列の夫々を形成する各１２ビットワードを、上位１０ビットと下位２ビットとに分割し、緑色原色信号データ系列から分割された複数の上位１０ビットと青色原色信号データ系列及び赤色原色信号データ系列の夫々から分割された複数の上位１０ビットの一部とに基づく第１のワード列データと、青色原色信号データ系列及び赤色原色信号データ系列の夫々から分割された複数の上位１０ビットの他の一部と緑色原色信号データ系列，青色原色信号データ系列及び赤色原色信号データ系列から分割された複数の下位２ビットとに基づく第２のワード列データと、付加情報データ系列から分割された複数の上位１０ビット及び複数の下位２ビットに基づく第３のワード列データと、を形成するデータ処理を施すデータ処理部を備えるものとされたもとで、第１から第３までのワード列データに夫々基づく第１から第３までのシリアルデータを得るＰ／Ｓ変換部と、第１及び第２のシリアルデータにビット多重合成処理を施して複合シリアルデータを形成し、それを１．５５μｍ帯のレーザ光が変調されて得られる第１の光信号に変換する第１の光信号形成部と、第３のシリアルデ���タを１．５５μｍ帯のレーザ光が変調されて得られる第２の光信号に変換する第２の光信号形成部と、第４のシリアルデータを１．３μｍ帯のレーザ光が変調されて得られる第３の光信号に変換する第３の光信号形成部と、第５のシリアルデータを１．３μｍ帯のレーザ光が変調されて得られる第４の光信号に変換する第４の光信号形成部と、一端部側に第１及び第２の入出力端が設けられるとともに他端部側に第３の入出力端が設けられて成り、第１の光信号が第１の入出力端に供給されて第３の入出力端に導出される第１の双方向性波長多重カップラと、一端部側に第４及び第５の入出力端が設けられるとともに他端部側に第６の入出力端が設けられて成り、第２の光信号が第４の入出力端に供給されて第６の入出力端に導出される第２の双方向性波長多重カップラと、一端部側に第７及び第８の入出力端が設けられるとともに他端部側に第９の入出力端が設けられて成り、第３の光信号が第７の入出力端に供給されて第９の入出力端に導出される第３の双方向性波長多重カップラと、一端部側に第１０及び第１１の入出力端が設けられるとともに他端部側に第１２の入出力端が設けられて成り、第４の光信号が第１０の入出力端に供給されて第１２の入出力端に導出される第４の双方向性波長多重カップラと、第１の双方向性波長多重カップラの第３の入出力端に導出される第１の光信号を一端側から他端側へと伝送するとともに、第３の双方向性波長多重カップラの第９の入出力端に導出される第３の光信号を他端側から一端側へと伝送し、第１の光信号が第３の双方向性波長多重カップラの第８の入出力端に導出されるとともに、第３の光信号が第１の双方向性波長多重カップラの第２の入出力端に導出されるようになす第１の光信号伝送ケーブルと、第２の双方向性波長多重カップラの第６の入出力端に導出される第２の光信号を一端側から他端側へと伝送するとともに、第４の双方向性波長多重カップラの第１２の入出力端に導出される第４の光信号を他端側から一端側へと伝送し、第２の光信号が第４の双方向性波長多重カップラの第１１の入出力端に導出されるとともに、第４の光信号が第２の双方向性波長多重カップラの第５の入出力端に導出されるようになす第２の光信号伝送ケーブルと、を備えて構成される。
【００４５】
上述の如くの本願の特許請求の範囲における請求項１から請求項９までのいずれかに記載された発明に係るデータ伝送方法、あるいは、請求項４９から請求項５１までのいずれかに記載された発明に係るデータ伝送装置にあっては、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号を成すディジタルデータに応じた第１及び第２のシリアルデータと、それらとは別の第３のシリアルデータとが、光信号に変換され、共通の光信号伝送ケーブルの一端側と他端側との間において双方向伝送される。ディジタル映像信号は、例えば、量子化ビット数を１０ビット，１２ビット，１４ビットもしくは１６ビットとする４：２：２形式もしくは４：４：４形式のものとされる。
【００４６】
そして、共通の光信号伝送ケーブルを通じた各光信号の伝送先において、第１及び第２のシリアルデータと第３のシリアルデータとが夫々再生される。
【００４７】
斯かる際、第１及び第２のシリアルデータと第３のシリアルデータとの双方向伝送は、各シリアルデータに基づく光信号が伝送されるにあたっての光信号の減衰が最小限に抑えられるもとで、例えば、ディジタル映像信号の HD SDI に従ったシリアル伝送に用いられる現存する回路構成要素を利用して、行うことができることになる。
【００４８】
また、上述の如くの本願の特許請求の範囲における請求項１０から請求項２１までのいずれかに記載された発明に係るデータ伝送方法、あるいは、請求項５２から請求項５６までのいずれかに記載された発明に係るデータ伝送装置にあっては、フレームレートを６０Ｈｚとし、各フレームにおける有効ライン数が７２０ライン，各ラインにおける有効データサンプル数が１２８０サンプルに設定されたディジタル映像信号を成すディジタルデータに応じた第１及び第２のシリアルデータと、それらとは別の第３のシリアルデータとが、光信号に変換され、共通の光信号伝送ケーブルの一端側と他端側との間において双方向伝送される。ディジタル映像信号は、例えば、量子化ビット数を１０ビット，１２ビット，１４ビットもしくは１６ビットとする４：２：２形式もしくは４：４：４形式のものとされる。
【００４９】
そして、共通の光信号伝送ケーブルを通じた各光信号の伝送先において、第１及び第２のシリアルデータと第３のシリアルデータとが夫々再生される。
【００５０】
斯かる際、第１及び第２のシリアルデータと第３のシリアルデータとの双方向伝送は、各シリアルデータに基づく光信号が伝送されるにあたっての光信号の減衰が最小限に抑えられるもとで、例えば、ディジタル映像信号の HD SDI に従ったシリアル伝送に用いられる現存する回路構成要素を利用して、行うことができることになる。
【００５１】
本願の特許請求の範囲における請求項２２から請求項４２までのいずれかに記載された発明に係るデータ伝送方法、あるいは、請求項５７から請求項６５までのいずれかに記載された発明に係るデータ伝送装置にあっては、フレームレートを５０Ｈｚもしくは６０Ｈｚとし、各フレームにおける有効ライン数が１０８０ライン，各ラインにおける有効データサンプル数が１９２０サンプルに設定されたディジタル映像信号を成すディジタルデータに基づく第１から第４までのシリアルデータと、それらとは別の第５のシリアルデータもしくは第５及び第６のシリアルデータとが、光信号に変換され、二つの光信号伝送ケーブルが用いられて双方向伝送される。ディジタル映像信号は、例えば、量子化ビット数を１０ビット，１２ビット，１４ビットもしくは１６ビットとする４：２：２形式もしくは４：４：４形式のものとされる。
【００５２】
そして、二つの光信号伝送ケーブルの夫々を通じた各光信号の伝送先において、第１から第４までのシリアルデータと第５のシリアルデータもしくは第５及び第６のシリアルデータとが夫々再生される。
【００５３】
斯かる際にも、第１から第４までのシリアルデータと第５のシリアルデータもしくは第５及び第６のシリアルデータとの双方向伝送は、各シリアルデータに基づく光信号が伝送されるにあたっての光信号の減衰が最小限に抑えられるもとで、例えば、ディジタル映像信号の HD SDI に従ったシリアル伝送に用いられる現存する回路構成要素を利用して、行うことができることになる。
【００５４】
さらに、上述の如くの本願の特許請求の範囲における請求項４３から請求項４８までのいずれかに記載された発明に係るデータ伝送方法、あるいは、請求項６６または請求項６７に記載された発明に係るデータ伝送装置にあっては、フレームレートを６０Ｈｚとし、各フレームにおける有効ライン数が７２０ライン，各ラインにおける有効データサンプル数が１２８０サンプルに設定されたディジタル映像信号を成すディジタルデータに応じた第１，第２及び第３のシリアルデータと、それらとは別の第４のシリアルデータもしくは第４及び第５のシリアルデータとが、光信号に変換され、共通の光信号伝送ケーブルもしくは二つの光信号伝送ケーブルの夫々の一端側と他端側との間において双方向伝送される。ディジタル映像信号は、例えば、量子化ビット数を１０ビット，１２ビット，１４ビットもしくは１６ビットとする４：２：２形式もしくは４：４：４形式をとり、Ｋｅｙ信号を伴うものとされる。
【００５５】
そして、共通の光信号伝送ケーブルもしくは二つの光信号伝送ケーブルを通じた各光信号の伝送先において、第１，第２及び第３のシリアルデータと第４もしくは第４及び第５のシリアルデータとが夫々再生される。
【００５６】
斯かる際、第１，第２及び第３のシリアルデータと第４もしくは第４及び第５のシリアルデータとの双方向伝送は、各シリアルデータに基づく光信号が伝送されるにあたっての光信号の減衰が最小限に抑えられるもとで、例えば、ディジタル映像信号の HD SDI に従ったシリアル伝送に用いられる現存する回路構成要素を利用して、行うことができることになる。
【００５７】
このような本願の特許請求の範囲に記載された発明に係るデータ伝送方法あるいはデータ伝送装置が、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送に適用される際には、斯かる複数の光信号のカメラ部と信号記録再生部との間における光信号伝送ケーブルを用いての双方向伝送を、各シリアルデータに基づく光信号が伝送されるにあたっての光信号の減衰が最小限に抑えられるもとで、現存する回路構成要素を利用して、光信号伝送ケーブルの数を最小限に抑えるべく、効率良く行うことができることになり、コストの低減等が効果的に図られる。
【００５８】
【発明の実施の形態】
図１は、本願の特許請求の範囲における請求項１から請求項２１までのいずれかに記載された発明に係るデータ伝送方法の例が実施される、本願の特許請求の範囲における請求項４９から請求項５６までのいずれかに記載された発明に係るデータ伝送装置の例を示す。
【００５９】
図１に示される例においては、カメラ部１０と信号記録再生部１１との間における、Ｄ−Ｃｉｎｅｍａ信号，７２０Ｐ信号あるいは７２０Ｐ信号及びＫｅｙ信号を形成するディジタルデータと、ディジタルリターン映像信号を形成するディジタルデータと、の双方向伝送を行うものとされている。カメラ部１０からは、データＤＶＸが送出されて、それがデータ処理部１２に供給される。
【００６０】
データＤＶＸは、図５２に示される表図において、データＤＡ１２，ＤＡ１４，ＤＡ１６，ＤＢ１０及びＤＢ１２のいずれかとして示されるＤ−Ｃｉｎｅｍａ信号を成すパラレルデータ，図５３に示される表図において、データＤＶＡ１２，ＤＶＡ１４，ＤＶＡ１６，ＤＶＢ１０及びＤＶＢ１２のいずれかとして示される７２０Ｐ信号を成すパラレルデータ、あるいは、図５３に示される表図において、データＤＶＡ１０＋ＤＫＡ１０もしくはＤＶＢ１０＋ＤＫＢ１０として示される７２０Ｐ信号を成すパラレルデータＤＶＡ１０もしくはＤＶＢ１０とＫｅｙ信号を成すパラレルデータＤＫＡ１０もしくはＤＫＢ１０との組合せとされる。
【００６１】
斯かるもとにおけるＤ−Ｃｉｎｅｍａ信号は、フレームレートを２４Ｈｚ，２５Ｈｚもしくは３０Ｈｚとし、サンプリング周波数が７４．２５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号であり、また、７２０Ｐ信号は、フレームレートを６０Ｈｚとし、サンプリング周波数が７４．２５ＭＨｚ，各ラインにおける有効データサンプル数が１２８０サンプル，各フレームにおける有効ライン数が７２０ラインに設定され、量子化ビット数を１０ビット，１２ビット，１４ビットもしくは１６ビットとする、４：２：２形式もしくは４：４：４形式のディジタル映像信号であり、さらに、７２０Ｐ信号及びＫｅｙ信号は、上述の７２０Ｐ信号にそれを成すディジタルデータに含まれるＹデータ系列もしくはＧデータ系列と同等のデータフォーマットを有したディジタルデータにより構成される信号が付随したものである。
【００６２】
データＤＶＸが、図５２に示される、量子化ビット数を１２ビット，１４ビットもしくは１６ビットとする４：２：２形式のＤ−Ｃｉｎｅｍａ信号を成すデータＤＡ１２〜ＤＡ１６のいずれか、例えば、データＤＡ１２、または、図５３に示される、量子化ビット数を１２ビット，１４ビットもしくは１６ビットとする４：２：２形式の７２０Ｐ信号を成すデータＤＶＡ１２〜ＤＶＡ１６のいずれか、例えば、データＤＶＡ１２である場合には、データＤＡ１２またはＤＶＡ１２は、図２のＡに示される如くに、ワード伝送レートを７４．２５ＭＢｐｓとする１２ビットワード列データとされたＹデータ系列と、ワード伝送レートを７４．２５ＭＢｐｓとする１２ビットワード列データとされたＰB ／ＰR データ系列とが、フレーム同期及びライン同期がとられたもとでパラレル多重されて得られる、ワード伝送レートを７４．２５ＭＢｐｓとする２４ビットワード列データとして、データ処理部１２に供給される。
【００６３】
データ処理部１２にあっては、図２のＡに示される如くにして供給されるデータＤＡ１２またはＤＶＡ２０に対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【００６４】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＡ１２ＡまたはＤＶＡ１２Ａを、分割された上位１０ビットに基づくリンクＡとして、図２のＢに示される如くに形成する。
【００６５】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＡ１２ＢまたはＤＶＡ１２Ｂを、分割された下位２ビットに基づくリンクＢとして、図２のＣに示される如くに形成する。即ち、ワード伝送レートを７４．２５ＭＢｐｓとする２４ビットワード列データであるＤＡ１２を、各々がワード伝送レートを７４．２５ＭＢｐｓとする２０ビットワード列データＤＡ１２ＡまたはＤＶＡ１２Ａ及びＤＡ１２ＢまたはＤＶＡ１２Ｂの２系統のワード列データに変換するのである。
【００６６】
データＤＶＸが、図５２に示されるデータＤＡ１４または図５３に示されるデータＤＶＡ１４である場合、もしくは、図５２に示されるデータＤＡ１６または図５３に示されるデータＤＶＡ１６である場合には、データＤＡ１４またはＤＶＡ１４は、ワード伝送レートを７４．２５ＭＢｐｓとする２８ビットワード列データとして、また、データＤＡ１６またはＤＶＡ１６は、ワード伝送レートを７４．２５ＭＢｐｓとする３２ビットワード列データとされる。そして、データＤＶＸがデータＤＡ１２またはＤＶＡ１２である場合と同様にして、各々がワード伝送レートを７４．２５ＭＢｐｓとする２０ビットワード列データＤＡ１４ＡまたはＤＶＡ１４Ａ及びＤＡ１４ＢまたはＤＶＡ１４Ｂ、もしくは、各々がワード伝送レートを７４．２５ＭＢｐｓとする２０ビットワード列データＤＡ１６ＡまたはＤＶＡ１６Ａ及びＤＡ１６ＢまたはＤＶＡ１６Ｂが形成される。
【００６７】
但し、斯かる際には、データＤＶＸがデータＤＡ１２またはＤＶＡ１２である場合に、Ｙデータ系列を構成する各１２ビットワード及びＰB ／ＰR データ系列を構成する各１２ビットワードの夫々を、上位１０ビットと下位２ビットとに分割するのに代えて、データＤＶＸがＤＡ１４またはＤＶＡ１４である場合には、Ｙデータ系列を構成する各１４ビットワード及びＰB ／ＰR データ系列を構成する各１４ビットワードの夫々を、上位１０ビットと下位４ビットとに分割し、また、データＤＶＸがデータＤＡ１６またはＤＶＡ１６である場合には、Ｙデータ系列を構成する各１６ビットワード及びＰB ／ＰR データ系列を構成する各１６ビットワードの夫々を、上位１０ビットと下位６ビットとに分割する。それにより、ワード伝送レートを７４．２５ＭＢｐｓとする２８ビットワード列データであるデータＤＡ１４またはＤＶＡ１４を、各々がワード伝送レートを７４．２５ＭＢｐｓとする２０ビットワード列データＤＡ１４ＡまたはＤＶＡ１４Ａ及びＤＡ１４ＢまたはＤＶＡ１４Ｂの２系統のワード列データに変換し、また、ワード伝送レートを７４．２５ＭＢｐｓとする３２ビットワード列データであるデータＤＡ１６またはＤＶＡ１６を、各々がワード伝送レートを７４．２５ＭＢｐｓとする２０ビットワード列データＤＡ１６ＡまたはＤＶＡ１６Ａ及びＤＡ１６ＢまたはＤＶＡ１６Ｂの２系統のワード列データに変換するのである。
【００６８】
データＤＶＸが、図５２に示される、量子化ビット数を１０ビットとする４：４：４形式のＤ−Ｃｉｎｅｍａ信号を成すデータＤＢ１０、または、図５３に示される、量子化ビット数を１０ビットとする４：４：４形式の７２０Ｐ信号を成すデータＤＶＢ１０である場合には、データＤＢ１０またはＤＶＢ１０は、図３に示される如くに、ワード伝送レートを７４．２５ＭＢｐｓとする１０ビットワード列データとされたＧデータ系列と、ワード伝送レートを７４．２５ＭＢｐｓとする１０ビットワード列データとされたＢデータ系列と、ワード伝送レートを７４．２５ＭＢｐｓとする１０ビットワード列データとされたＲデータ系列とが、フレーム同期及びライン同期がとられたもとでパラレル多重されて得られる、ワード伝送レートを７４．２５ＭＢｐｓとする３０ビットワード列データとして、データ処理部１２に供給される。
【００６９】
データ処理部１２にあっては、図３に示される如くにして供給されるデータＤＢ１０またはＤＶＢ１０に対して、図４に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・に、補助データ系列を形成する１０ビットワードａｄ０，ａｄ１，ａｄ２，ａｄ３，・・・・・を付加する。そして、図４において太実線により区画されて示される如くに、Ｇデータ系列を形成する１０ビットワードＧＤ０，ＧＤ１，ＧＤ２，ＧＤ３，・・・・・と、Ｂデータ系列を構成する１０ビットワードのうちの一つ置きのものＢＤ０，ＢＤ２，ＢＤ４，ＢＤ６，・・・・・と、Ｒデータ系列を構成する１０ビットワードのうちの一つ置きのものＲＤ０，ＲＤ２，ＲＤ４，ＲＤ６，・・・・・とを含む１０ビットワードグループ１と、補助データ系列を形成する１０ビットワードａｄ０，ａｄ１，ａｄ２，ａｄ３，・・・・・と、Ｂデータ系列を構成する１０ビットワードのうちの他の一つ置きのものＢＤ１，ＢＤ３，ＢＤ５，ＢＤ７，・・・・・と、Ｒデータ系列を構成する１０ビットワードのうちの他の一つ置きのものＲＤ１，ＲＤ３，ＲＤ５，ＲＤ７，・・・・・とを含む１０ビットワードグループ２とに振り分ける。
【００７０】
続いて、１０ビットワードグループ１に基づき、ワード伝送レートを７４．２５ＭＢｐｓとする２０ビットワード列データＤＢ１０ＡまたはＤＶＢ１０Ａを、リンクＡとして図５のＡに示される如くに形成する。また、それとともに、１０ビットワードグループ２に基づき、ワード伝送レートを７４．２５ＭＢｐｓとする２０ビットワード列データＤＢ１０ＢまたはＤＶＢ１０Ｂを、リンクＢとして図５のＢに示される如くに形成する。即ち、ワード伝送レートを７４．２５ＭＢｐｓとする３０ビットワード列データであるＤＢ１０を、各々がワード伝送レートを７４．２５ＭＢｐｓとする２０ビットワード列データＤＢ１０ＡまたはＤＶＢ１０Ａ及びＤＢ１０ＢまたはＤＶＢ１０Ｂの２系統のワード列データに変換するのである。
【００７１】
データＤＶＸが、図５２に示される、量子化ビット数を１２ビットとする４：４：４形式のＤ−Ｃｉｎｅｍａ号を成すデータＤＢ１２、または、図５３に示される、量子化ビット数を１２ビットとする４：４：４形式の７２０Ｐ信号を成すデータＤＶＢ１２である場合には、ＤＢ１２またはＤＶＢ１２は、図６に示される如くに、ワード伝送レートを７４．２５ＭＢｐｓとする１２ビットワード列データとされたＧデータ系列と、ワード伝送レートを７４．２５ＭＢｐｓとする１２ビットワード列データとされたＢデータ系列と、ワード伝送レートを７４．２５ＭＢｐｓとする１２ビットワード列データとされたＲデータ系列とが、フレーム同期及びライン同期がとられたもとでパラレル多重されて得られる、ワード伝送レートを７４．２５ＭＢｐｓとする３６ビットワード列データとして、データ処理部１２に供給される。
【００７２】
データ処理部１２にあっては、図６に示される如くにして供給されるデータＤＢ１２またはＤＶＢ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・、Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【００７３】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【００７４】
次に、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図７において太実線により区切られている如くにして区分された１０ビットワードグループ１及び１０ビットワードグループ２を得る。
【００７５】
そして、図７に示される１０ビットワードグループ１に基づく、ワード伝送レートを７４．２５ＭＢｐｓとする２０ビットワード列データＤＢ１２ＡまたはＤＶＢ１２Ａを、リンクＡとして、図８のＡに示される如くに形成するとともに、図７に示される１０ビットワードグループ２に基づく、ワード伝送レートを７４．２５ＭＢｐｓとする２０ビットワード列データＤＢ１２ＢまたはＤＶＢ１２Ｂを、リンクＢとして、図８のＢに示される如くに形成する。即ち、ワード伝送レートを７４．２５ＭＢｐｓとする３６ビットワード列データであるＤＢ１２またはＤＶＢ１２を、各々がワード伝送レートを７４．２５ＭＢｐｓとする２０ビットワード列データＤＢ１２ＡまたはＤＶＢ１２Ａ及びＤＢ１２ＢまたはＤＶＢ１２Ｂの２系統のワード列データに変換するのである。
【００７６】
データＤＶＸが、図５３に示される、量子化ビット数を１０ビットとする４：２：２形式の７２０Ｐ号及びＫｅｙ信号を成すデータＤＶＡ１０＋ＤＫＡ１０である場合には、データＤＶＡ１０＋ＤＫＡ１０は、図９に示される如くに、各々がワード伝送レートを７４．２５ＭＢｐｓとする１０ビットワード列データとされたＹデータ系列及びＰB ／ＰR データ系列と、Ｙデータ系列と同等のデータフォーマットを有したワード伝送レートを７４．２５ＭＢｐｓとする１０ビットワード列データとされたＫｅｙ信号データ系列とが、フレーム同期及びライン同期がとられたもとでパラレル多重されて得られるパラレルデータである、ワード伝送レートを７４．２５ＭＢｐｓとする３０ビットワード列データとして、データ処理部１２に供給される。
【００７７】
データ処理部１２にあっては、図９に示される如くにして供給されるデータＤＶＡ１０＋ＤＫＡ１０に対して次の処理を施す。
【００７８】
図９に示される如くの、Ｙデータ系列を構成する１０ビットワードＹＤ０，ＹＤ１，ＹＤ２，ＹＤ３，・・・・・と、ＰB ／ＰR データ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図１０のＡに示される如くの、Ｙデータ系列及びＰB ／ＰR データ系列に基づく、ワード伝送レートを７４．２５ＭＢｐｓとする２０ビットワード列データＤＶＣ１０ＡをリンクＡとして形成する。また、それとともに、図９に示される如くのＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図１０のＢに示される如くの、Ｋｅｙ信号データ系列及び補助１０ビットワードに基づく、ワード伝送レートを７４．２５ＭＢｐｓとする２０ビットワード列データＤＶＣ１０ＢをリンクＢとして形成する。
【００７９】
即ち、ワード伝送レートを７４．２５ＭＢｐｓとする３０ビットワード列データを形成するデータＤＶＡ１０＋ＤＫＡ１０を、ワード伝送レートを７４．２５ＭＢｐｓとする２０ビットワード列データＤＶＣ１０Ａと、ワード伝送レートを７４．２５ＭＢｐｓとする２０ビットワード列データＤＶＣ１０Ｂとの、２系統のワード列データに変換するのである。
【００８０】
また、データＤＶＸが、図５３に示される、量子化ビット数を１０ビットとする４：４：４形式の７２０Ｐ号及びＫｅｙ信号を成すデータＤＶＢ１０＋ＤＫＢ１０である場合には、データＤＶＢ１０＋ＤＫＢ１０は、図１１に示される如くに、各々がワード伝送レートを７４．２５ＭＢｐｓとする１０ビットワード列データとされたＧデータ系列，Ｂデータ系列及びＲデータ系列と、Ｇデータ系列と同等のデータフォーマットを有したワード伝送レートを７４．２５ＭＢｐｓとする１０ビットワード列データとされたＫｅｙ信号データ系列とが、フレーム同期及びライン同期がとられたもとでパラレル多重されて得られるパラレルデータである、ワード伝送レートを７４．２５ＭＢｐｓとする４０ビットワード列データとして、データ処理部１２に供給される。
【００８１】
データ処理部１２にあっては、図１１に示される如くにして供給されるデータＤＶＢ１０＋ＤＫＢ１０に対して次の処理を施す。
【００８２】
図１１に示される如くの、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図１２において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図１２に示される１０ビットワードグループ１に基づく、ワード伝送レートを７４．２５ＭＢｐｓとする２０ビットワード列データＤＶＤ１０Ａを、リンクＡとして、図１３のＡに示される如くに形成するとともに、図１２に示される１０ビットワードグループ２に基づく、ワード伝送レートを７４．２５ＭＢｐｓとする２０ビットワード列データＤＶＤ１０Ｂを、リンクＢとして、図１３のＢに示される如くに形成する。
【００８３】
即ち、ワード伝送レートを７４．２５ＭＢｐｓとする４０ビットワード列データを形成するデータＤＶＢ１０＋ＤＫＢ１０を、ワード伝送レートを７４．２５ＭＢｐｓとする２０ビットワード列データＤＶＤ１０Ａと、ワード伝送レートを７４．２５ＭＢｐｓとする２０ビットワード列データＤＶＤ１０Ｂとの、２系統のワード列データに変換するのである。
【００８４】
データ処理部１２は、上述の如くにして得たワード伝送レートを７４．２５ＭＢｐｓとする２０ビットワード列データＤＡ１２Ａ及びＤＡ１２Ｂの組，ＤＡ１４Ａ及びＤＡ１４Ｂの組，ＤＡ１６Ａ及びＤＡ１６Ｂの組，ＤＢ１０Ａ及びＤＢ１０Ｂの組，ＤＢ１２Ａ及びＤＢ１２Ｂの組，ＤＶＡ１２Ａ及びＤＶＡ１２Ｂの組，ＤＶＡ１４Ａ及びＤＶＡ１４Ｂの組，ＤＶＡ１６Ａ及びＤＶＡ１６Ｂの組，ＤＶＢ１０Ａ及びＤＶＢ１０Ｂの組，ＤＶＢ１２Ａ及びＤＶＢ１２Ｂの組，ＤＶＣ１０Ａ及びＤＶＣ１０Ｂの組、及び、ＤＶＤ１０Ａ及びＤＶＤ１０Ｂの組のいずれかを、２０ビットワード列データＤＰＡ（２０）及びＤＰＢ（２０）の組として導出する。
【００８５】
データ処理部１２から送出されるワード伝送レートを７４．２５ＭＢｐｓとする２０ビットワード列データＤＰＡ（２０）は、Ｐ／Ｓ変換部１３に供給される。Ｐ／Ｓ変換部１３にあっては、２０ビットワード列データＤＰＡ（２０）にＰ／Ｓ変換を施して、２０ビットワード列データＤＰＡ（２０）に基づくビット伝送レートを７４．２５ＭＢｐｓ×２０＝１．４８５ＧｂｐｓとするシリアルデータＤＳＡを形成し、そのシリアルデータＤＳＡをビット多重部１４に供給する。
【００８６】
一方、データ処理部１２から送出されるワード伝送レートを７４．２５ＭＢｐｓとする２０ビットワード列データＤＰＢ（２０）は、Ｐ／Ｓ変換部１５に供給される。Ｐ／Ｓ変換部１５にあっては、２０ビットワード列データＤＰＢ（２０）にＰ／Ｓ変換を施して、２０ビットワード列データＤＰＢ（２０）に基づくビット伝送レートを７４．２５ＭＢｐｓ×２０＝１．４８５ＧｂｐｓとするシリアルデータＤＳＢを形成し、そのシリアルデータＤＳＢをビット多重部１４に供給する。
【００８７】
ビット多重部１４は、例えば、２ビットマルチプレクサが用いられて構成され、Ｐ／Ｓ変換部１３からのシリアルデータＤＳＡ及びＰ／Ｓ変換部１５からのシリアルデータＤＳＢの夫々から１ビット宛を交互に取り出す動作を行い、シリアルデータＤＳＡ及びＤＳＢにビット多重合成処理を施して、ビット伝送レートを１．４８５Ｇｂｐｓ×２＝２．９７Ｇｂｐｓとする複合シリアルデータＤＳＺを形成する。このようにして、ビット多重部１４から得られる複合シリアルデータＤＳＺは、電光変換部（Ｅ／Ｏ変換部）１６に供給される。Ｅ／Ｏ変換部１６は、複合シリアルデータＤＳＺに電光変換処理を施し、ビット伝送レートを２．９７Ｇｂｐｓとし、略１．５５μｍとされる中心波長を有した光信号ＯＺを形成する。
【００８８】
Ｅ／Ｏ変換部１６は、その一例が、例えば、図１４に示される如くに、レーザ駆動部１７と１．５５μｍ帯分布帰還型（ＤＦＢ）レーザダイオード１８とを備えて構成される。そして、ビット多重部１４からの複合シリアルデータＤＳＺが、レーザ駆動部１７に供給され、レーザ駆動部１７から複合シリアルデータＤＳＺに応じたレーザ駆動信号ＳＬＤが得られて、それが１．５５μｍ帯ＤＦＢレーザダイオード１８に供給される。
【００８９】
１．５５μｍ帯ＤＦＢレーザダイオード１８は、単波長モードで発振して、例えば、図１５に示される如くの、中心波長を略１．５５μｍとするレーザ光を発し、中心波長の温度特性は、例えば、０．２ｎｍ／℃程度である。レーザ駆動信号ＳＬＤが供給された１．５５μｍ帯ＤＦＢレーザダイオード１８は、中心波長を略１．５５μｍとする１．５５μｍ帯のレーザ光を、レーザ駆動信号ＳＬＤにより変調された状態をもって発し、それにより、Ｅ／Ｏ変換部１６から複合シリアルデータＤＳＺに基づく、中心波長を略１．５５μｍとした光信号ＯＺが、ビット伝送レートを２．９７Ｇｂｐｓとするもとで得られる。この光信号ＯＺは、双方向性波長多重カップラ（双方向性ＷＤＭカップラ）１９に供給される。
【００９０】
双方向性ＷＤＭカップラ１９は、例えば、図１6 に示される如くの等価ブロック接続によってあらわされる構成を有している。図１6 に示される等価ブロック接続にあっては、方向性結合部２０が備えられており、方向性結合部２０の一端部側に、光コネクタ２１を介して接続された入出力端２２と、光コネクタ２３を介して接続された入出力端２４とが設けられており、また、方向性結合部２０の他端部側に、光コネクタ２５を介して接続された入出力端２６が設けられている。方向性結合部２０は、光コネクタ２１に接続された光ファイバーと光コネクタ２３に接続された光ファイバーとが相互結合して、光コネクタ２５に接続される部分である。
【００９１】
そして、Ｅ／Ｏ変換部１６からの、ビット伝送レートを２．９７Ｇｂｐｓとし、中心波長を略１．５５μｍとする光信号ＯＺが、入出力端２２から光コネクタ２１を通じて方向性結合部２０に導かれる。方向性結合部２０にあっては、光コネクタ２１からの光ファイバーを通じた光信号ＯＺが、光コネクタ２１からの光ファイバーと光コネクタ２３からの光ファイバーとが相互結合して成る光ファイバーを通じて光コネクタ２５へと導かれる。それにより、方向性結合部２０を通過した光信号ＯＺが、光コネクタ２５を通じて入出力端２６に導出される。このようにして双方向性ＷＤＭカップラ１９における入出力端２６に導出される光信号ＯＺは、光コネクタ３０へと導かれる。
【００９２】
光コネクタ３０は、双方向性ＷＤＭカップラ１９と光信号伝送ケーブル３１の一端側とを連結している。それにより、双方向性ＷＤＭカップラ１９からの光信号ＯＺは、光コネクタ３０を通じて光信号伝送ケーブル３１にその一端側から送出される。光信号伝送ケーブル３１は、例えば、石英系ＳＭＦによって形成されたものとされる。
【００９３】
光信号伝送ケーブル３１の他端側には、それと双方向性ＷＤＭカップラ３２とを連結する光コネクタ３３が設けられている。それにより、光コネクタ３０を通じて光信号伝送ケーブル３１にその一端側から送出された光信号ＯＺは、光信号伝送ケーブル３１の一端側から他端側へと伝送され、その他端側から光コネクタ３３を通じて双方向性ＷＤＭカップラ３２へと導かれる。
【００９４】
双方向性ＷＤＭカップラ３２は、例えば、図１７に示される如くの等価ブロック接続によってあらわされる構成を有している。図１７に示される等価ブロック接続にあっては、方向性結合部３４が備えられていて、方向性結合部３４の他端部側に、光コネクタ３５を介して接続された入出力端３６が設けられており、また、方向性結合部３４の一端部側に、光コネクタ３７を介して接続された入出力端３８と、光コネクタ３９を介して接続された入出力端４０とが設けられている。方向性結合部３４は、光コネクタ３５に接続された光ファイバーが分岐されて光コネクタ３７と光コネクタ３９との夫々に接続される部分である。
【００９５】
そして、光コネクタ３３からの光信号ＯＺが、入出力端３６から光コネクタ３５を通じて方向性結合部３４に導かれる。方向性結合部３４にあっては、光コネクタ３５からの光ファイバーを通じた光信号ＯＺが、分岐された光ファイバーを通じて光コネクタ３７へと導かれる。それにより、方向性結合部３４を通過した光信号ＯＺが、光コネクタ３７を通じて入出力端３８に導出される。このようにして入出力端３８に導出される光信号ＯＺは、双方向性ＷＤＭカップラ３２から送出されて、光電変換部（Ｏ／Ｅ変換部）４１へと導かれる。
【００９６】
Ｏ／Ｅ変換部４１にあっては、ビット伝送レートを２．９７Ｇｂｐｓとし、中心波長を略１．５５μｍとする光信号ＯＺに光電変換処理を施して、光信号ＯＺに基づく、ビット伝送レートを２．９７Ｇｂｐｓとする複合シリアルデータＤＳＺを再生する。そして、再生された複合シリアルデータＤＳＺは、ビット分離部４２に供給される。
【００９７】
ビット分離部４２は、例えば、２ビットデマルチプレクサが用いられて構成され、Ｏ／Ｅ変換部４１からの複合シリアルデータＤＳＺから１ビット宛を順次取り出して交互に配分し、各々がビット伝送レートを２．９７Ｇｂｐｓ／２＝１．４８５ＧｂｐｓとするシリアルデータＤＳＡ及びＤＳＢを個別に形成する。このようにして、ビット分離部４２から得られるシリアルデータＤＳＡ及びＤＳＢは、シリアル／パラレル（Ｓ／Ｐ）変換部４３及び４４に夫々供給される。
【００９８】
Ｓ／Ｐ変換部４３にあっては、ビット伝送レートを１．４８５ＧｂｐｓとするシリアルデータＤＳＡに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ（２０）を再生する。また、Ｓ／Ｐ変換部４４にあっては、ビット伝送レートを１．４８５ＧｂｐｓとするシリアルデータＤＳＢに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ（２０）を再生する。
【００９９】
Ｓ／Ｐ変換部４３及び４４により夫々再生された２０ビットワード列データＤＰＡ（２０）及びＤＰＢ（２０）は、データ再生処理部４５に供給される。データ再生処理部４５にあっては、２０ビットワード列データＤＰＡ（２０）及びＤＰＢ（２０）に対して、データ処理部１２においてデータＤＶＸに施されるデータ処理とは逆のデータ処理を施し、それにより、２０ビットワード列データＤＰＡ（２０）及びＤＰＢ（２０）に基づくデータＤＶＸを再生して、それを信号記録再生部１１に供給する。このようにして再生されるデータＤＶＸは、図５２に示されるデータＤＡ１２，ＤＡ１４，ＤＡ１６，ＤＢ１０及びＤＢ１２のいずれか、または、図５３に示されるデータＤＶＡ１２，ＤＶＡ１４，ＤＶＡ１６，ＤＶＢ１０，ＤＶＢ１２，ＤＶＡ１０＋ＤＫＡ１０及びＤＶＢ１０＋ＤＫＢ１０のいずれかとされる。そして、信号記録再生部１１にあっては、例えば、内蔵するＶＴＲによるデータＤＶＸの記録が行われる。
【０１００】
信号記録再生部１１には、リターン映像信号形成部も備えられており、このリターン映像信号形成部は、例えば、ワード伝送レートを７４．２５ＭＢｐｓとする２０ビットワード列データである、リターン映像信号を成すディジタルデータＤＰＭを送出する。それにより、信号記録再生部１１から得られるディジタルデータＤＰＭは、パラレル／シリアル（Ｐ／Ｓ）変換部５０に供給される。
【０１０１】
Ｐ／Ｓ変換部５０にあっては、ディジタルデータＤＰＭにＰ／Ｓ変換を施し、ビット伝送レートを７４．２５ＭＢｐｓ×２０＝１．４８５ＧｂｐｓとするシリアルデータＤＳＭを形成して、それをＥ／Ｏ変換部５１に供給する。Ｅ／Ｏ変換部５１おいては、シリアルデータＤＳＭに電光変換処理を施す。
【０１０２】
Ｅ／Ｏ変換部５１は、例えば、図１８に示される如くに、レーザ駆動部５２と１．３μｍ帯ファブリペロー型（ＦＰ）レーザダイオード５３とを備えて構成される。そして、Ｐ／Ｓ変換部５０からのシリアルデータＤＳＭが、レーザ駆動部５２に供給され、レーザ駆動部５２からシリアルデータＤＳＭに応じたレーザ駆動信号ＳＬＲが得られて、それが１．３μｍ帯ＦＰレーザダイオード５３に供給される。
【０１０３】
１．３μｍ帯ＦＰレーザダイオード５３は、多波長モードで発振して、例えば、図１９に示される如くの、中心波長を略１．３１μｍとする約８ｎｍに亙る波長スペクトルを有したレーザ光を発し、中心波長の温度特性は、例えば、０．４ｎｍ／℃程度である。レーザ駆動信号ＳＬＲが供給された１．３μｍ帯ＦＰレーザダイオード５３は、中心波長を略１．３１μｍとする１．３μｍ帯のレーザ光を、レーザ駆動信号ＳＬＲにより変調された状態をもって発し、それにより、Ｅ／Ｏ変換部５１から、シリアルデータＤＳＭに基づく、中心波長を略１．３μｍとした光信号ＯＳＭが、ビット伝送レートを１．４８５Ｇｂｐｓとしたもとで得られる。この光信号ＯＳＭは、双方向性ＷＤＭカップラ３２に供給される。
【０１０４】
双方向性ＷＤＭカップラ３２においては、Ｅ／Ｏ変換部５１からの、ビット伝送レートを数１．４８５Ｇｂｐｓとし、中心波長を略１．３μｍとする光信号ＯＳＭが、図１7 に示される入出力端４０から、光コネクタ３９を通じて方向性結合部３４に導かれる。方向性結合部３４にあっては、光コネクタ３９からの光ファイバーを通じた光信号ＯＳＭが、光コネクタ３７からの光ファイバーと光コネクタ３９からの光ファイバーとが相互結合して成る光ファイバーを通じて光コネクタ３５へと導かれる。それにより、方向性結合部３４を通過した光信号ＯＳＭが、光コネクタ３５を通じて入出力端３６に導出される。このようにして双方向性ＷＤＭカップラ３２における入出力端３６に導出される光信号ＯＳＭは、光コネクタ３３へと導かれる。
【０１０５】
そして、双方向性ＷＤＭカップラ３２からの光信号ＯＳＭは、光コネクタ３３を通じて光信号伝送ケーブル３１にその他端側から送出されて、光信号伝送ケーブル３１の他端側から一端側へと伝送され、その一端側から光コネクタ３０を通じて双方向性ＷＤＭカップラ１９へと導かれる。
【０１０６】
双方向性ＷＤＭカップラ１９にあっては、光コネクタ３０からの、ビット伝送レートを１．４８５Ｇｂｐｓとし、中心波長を略１．３μｍとする光信号ＯＳＭが、図１６に示される入出力端２６から光コネクタ２５を通じて方向性結合部２０に導かれる。方向性結合部２０にあっては、光コネクタ２５からの光ファイバーを通じた光信号ＯＳＭが、分岐された光ファイバーを通じて光コネクタ２３へと導かれる。それにより、方向性結合部２０を通過した光信号ＯＳＭが、光コネクタ２３を通じて入出力端２４に導出される。このようにして入出力端２４に導出される光信号ＯＳＭは、双方向性ＷＤＭカップラ１９から送出されて、Ｏ／Ｅ変換部５４へと導かれる。
【０１０７】
Ｏ／Ｅ変換部５４にあっては、ビット伝送レートを１．４８５Ｇｂｐｓとし、中心波長を略１．３μｍとする光信号ＯＳＭに光電変換処理を施して、光信号ＯＳＭに基づく、ビット伝送レートを１．４８５ＧｂｐｓとするシリアルデータＤＳＭを再生する。そして、再生されたシリアルデータＤＳＭは、Ｓ／Ｐ変換部５５に供給される。
【０１０８】
Ｓ／Ｐ変換部５５にあっては、ビット伝送レートを１．４８５ＧｂｐｓとするシリアルデータＤＳＭに、２０ビットパラレルデータを得るＳ／Ｐ変換処理を施し、シリアルデータＤＳＭに基づく、ワード伝送レートを１．４８５Ｇｂｐｓ／２０＝７４．２５ＭＢｐｓとする、リターン映像信号を成すディジタルデータＤＰＭを再生して、それをカメラ部１０に供給する。
【０１０９】
上述の如くの図１に示される例にあっては、カメラ部１０から得られるデータＤＶＸが、図５２に示されるデータＤＡ１２，ＤＡ１４，ＤＡ１６，ＤＢ１０及びＤＢ１２のうちのいずれか、または、図５３に示されるデータＤＶＡ１２，ＤＶＡ１４，ＤＶＡ１６，ＤＶＢ１０，ＤＶＢ１２，ＤＶＡ１０＋ＤＫＡ１０及びＤＶＢ１０＋ＤＫＢ１０のうちのいずれかとされるもとで、光信号ＯＺに変換され、カメラ部１０側から光信号伝送ケーブル３１を通じて信号記録再生部１１側に伝送されるとともに、信号記録再生部１１から送出されるリターン映像信号を成すディジタルデータＤＰＭが、光信号ＯＳＭに変換され、信号記録再生部１１側から光信号伝送ケーブル３１を通じてカメラ部１０側に伝送され、光信号伝送ケーブル３１の一端側及び他端側との間において、光信号ＯＺと光信号ＯＳＭとの双方向伝送が、各々の減衰が最小限に抑えられるもとで行われる。
【０１１０】
また、カメラ部１０から得られるデータＤＶＸの光信号ＯＺへの変換、及び、リターン映像信号を成すディジタルデータＤＰＭの光信号ＯＳＭへの変換は、例えば、ディジタル映像信号の HD SDI に従ったシリアル伝送に用いられる現存する回路構成要素を利用して行うことができることになる。
【０１１１】
図２０及び図２１は、本願の特許請求の範囲における請求項２２から請求項３０までのいずれかに記載された発明に係るデータ伝送方法の例が実施される、本願の特許請求の範囲における請求項５７から請求項５９までのいずれかに記載された発明に係るデータ伝送装置の例を示す。
【０１１２】
図２０及び図２１に示される例においては、カメラ部６０と信号記録再生部６１との間における、Ｄ−Ｃｉｎｅｍａ信号を成すディジタルデータとディジタルリターン映像信号を形成するディジタルデータとの双方向伝送を行うものとされている。カメラ部６０からは、データＤＶＸＸが送出されて、それがデータ処理部６２に供給される。
【０１１３】
データＤＶＸＸは、図５２に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０１１４】
データＤＶＸＸが、図５３に示される、量子化ビット数を１２ビット，１４ビットもしくは１６ビットとする４：２：２形式のＤ−Ｃｉｎｅｍａ信号を成すデータＤＣ１２〜ＤＣ１６のいずれか、例えば、データＤＣ１２である場合には、データＤＣ１２は、図２２のＡに示される如くに、ワード伝送レートを１４８．５ＭＢｐｓとする１２ビットワード列データとされたＹデータ系列とワード伝送レートを１４８．５ＭＢｐｓとする１２ビットワード列データとされたＰB ／ＰR データ系列とが、フレーム同期及びライン同期がとられたもとでパラレル多重されて得られる、ワード伝送レートを１４８．５ＭＢｐｓとする２４ビットワード列データとして、データ処理部６２に供給される。
【０１１５】
データ処理部６２にあっては、図２２のＡに示される如くにして供給されるデータＤＣ１２に対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰB ／ＰR データ系列の夫々の１ライン部置きのデータに基づいて、ワード伝送レートを１４８．５ＭＢｐｓ／２＝７４．２５ＭＢｐｓとする２４ビットワード列データＤＣ１２Ａを、リンクＡとして、図２２のＢに示される如くに形成するとともに、グループ２を構成するＹデータ系列及びＰB ／ＰR データ系列の夫々の他の１ライン部置きのデータに基づいて、ワード伝送レートを１４８．５ＭＢｐｓ／２＝７４．２５ＭＢｐｓとする２４ビットワード列データＤＣ１２Ｂを、リンクＢとして、図２２のＢに示される如くに形成する。
【０１１６】
次に、図２２のＢに示される如くの、ワード伝送レートを７４．２５ＭＢｐｓとする２４ビットワード列データＤＣ１２Ａに対して、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【０１１７】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＣ１２Ａ１を、分割された上位１０ビットに基づくリンクＡ−１として、図２３のＡに示される如くに形成する。
【０１１８】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＣ１２Ａ２を、分割された下位２ビットに基づくリンクＡ−２として、図２３のＢに示される如くに形成する。即ち、ワード伝送レートを７４．２５ＭＢｐｓとする２４ビットワード列データであるＤＣ１２Ａを、ワード伝送レートを７４．２５ＭＢｐｓとする２０ビットワード列データＤＣ１２Ａ１と、ワード伝送レートを７４．２５ＭＢｐｓとする２０ビットワード列データＤＣ１２Ａ２との、２系統のワード列データに変換するのである。
【０１１９】
また、図２２のＢに示される如くの、ワード伝送レートを７４．２５ＭＢｐｓとする２４ビットワード列データＤＣ１２Ｂに対しても、Ｙデータ系列を構成する１２ビットワードＹＤ０，ＹＤ１，ＹＤ２，ＹＤ３，・・・・・、及び、ＰB ／ＰR データ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
【０１２０】
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＣ１２Ｂ１を、分割された上位１０ビットに基づくリンクＢ−１として、図２３のＡに示される如くに形成する。
【０１２１】
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＣ１２Ｂ２を、分割された下位２ビットに基づくリンクＢ−２として、図２３のＢに示される如くに形成する。即ち、ワード伝送レートを７４．２５ＭＢｐｓとする２４ビットワード列データであるＤＣ１２Ｂを、ワード伝送レートを７４．２５ＭＢｐｓとする２０ビットワード列データＤＣ１２Ｂ１と、ワード伝送レートを７４．２５ＭＢｐｓとする２０ビットワード列データＤＣ１２Ｂ２との、２系統のワード列データに変換するのである。
【０１２２】
その結果、データ処理部６２に供給されるディジタルデータＤＶＸＸが、ワード伝送レートを１４８．５ＭＢｐｓとする２４ビットワード列データとされるデータＤＣ１２である場合には、データ処理部６２において、２４ビットワード列データＤＣ１２が、各々がワード伝送レートを７４．２５ＭＢｐｓとする２０ビットワード列データＤＣ１２Ａ１，ＤＣ１２Ａ２，ＤＣ１２Ｂ１及びＤＣ１２Ｂ２の４系統のワード列データに変換されることになる。
【０１２３】
データＤＶＸＸが、図５３に示されるデータＤＣ１４もしくはデータＤＣ１６である場合には、データＤＣ１４はワード伝送レートを１４８．５ＭＢｐｓとする２８ビットワード列データとされ、また、データＤＣ１６はワード伝送レートを１４８．５ＭＢｐｓとする３２ビットワード列データとされる。そして、データＤＶＸＸがデータＤＣ１２である場合と同様にして、各々がワード伝送レートを７４．２５ＭＢｐｓとする２０ビットワード列データＤＣ１４Ａ１，ＤＣ１４Ａ２，ＤＣ１４Ｂ１及びＤＣ１４Ｂ２の４系統のワード列データ、もしくは、各々がワード伝送レートを７４．２５ＭＢｐｓとする２０ビットワード列データＤＣ１６Ａ１，ＤＣ１６Ａ２，ＤＣ１６Ｂ１及びＤＣ１６Ｂ２の４系統のワード列データが形成される。
【０１２４】
但し、斯かる際には、データＤＶＸＸがデータＤＣ１２である場合に、Ｙデータ系列を構成する各１２ビットワード及びＰB ／ＰR データ系列を構成する各１２ビットワードの夫々を、上位１０ビットと下位２ビットとに分割するのに代えて、データＤＶＸＸがＤＣ１４である場合には、Ｙデータ系列を構成する各１４ビットワード及びＰB ／ＰR データ系列を構成する各１４ビットワードの夫々を、上位１０ビットと下位４ビットとに分割し、また、データＤＶＸＸがデータＤＣ１６である場合には、Ｙデータ系列を構成する各１６ビットワード及びＰB ／ＰR データ系列を構成する各１６ビットワードの夫々を、上位１０ビットと下位６ビットとに分割する。それにより、ワード伝送レートを１４８．５ＭＢｐｓとする２８ビットワード列データであるデータＤＣ１４を、各々がワード伝送レートを７４．２５ＭＢｐｓとする２０ビットワード列データＤＣ１４Ａ１，ＤＣ１４Ａ２，ＤＣ１４Ｂ１及びＤＣ１４Ｂ２の４系統のワード列データに変換し、また、ワード伝送レートを１４８．５ＭＢｐｓとする３２ビットワード列データであるデータＤＣ１６を、各々がワード伝送レートを７４．２５ＭＢｐｓとする２０ビットワード列データＤＣ１６Ａ１，ＤＣ１６Ａ２，ＤＣ１６Ｂ１及びＤＣ１６Ｂ２の４系統のワード列データに変換するのである。
【０１２５】
データＤＶＸＸが、図５３に示される、量子化ビット数を１０ビットとする４：４：４形式のＤ−Ｃｉｎｅｍａ信号を成すデータＤＤ１０である場合には、データＤＤ１０は、図２４のＡに示される如くに、ワード伝送レートを１４８．５ＭＢｐｓとする１０ビットワード列データとされたＧデータ系列と、ワード伝送レートを１４８．５ＭＢｐｓとする１０ビットワード列データとされたＢデータ系列と、ワード伝送レートを１４８．５ＭＢｐｓとする１０ビットワード列データとされたＲデータ系列とが、フレーム同期及びライン同期がとられたもとでパラレル多重されて得られる、ワード伝送レートを１４８．５ＭＢｐｓとする３０ビットワード列データとして、データ処理部６２に供給される。
【０１２６】
データ処理部６２にあっては、図２４のＡに示される如くにして供給されるデータＤＤ１０に対して、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３０ビットワード列データＤＤ１０Ａを、リンクＡとして、図２４のＢに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３０ビットワード列データＤＤ１０Ｂを、リンクＢとして、図２４のＢに示される如くに形成する。
【０１２７】
続いて、図２４のＢに示される如くに得られる３０ビットワード列データＤＤ１０Ａに対して、図４に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・に、補助データ系列を形成する１０ビットワードａｄ０，ａｄ１，ａｄ２，ａｄ３，・・・・・を付加する。そして、図４において太実線により区画されて示される如くに、Ｇデータ系列を形成する１０ビットワードＧＤ０，ＧＤ１，ＧＤ２，ＧＤ３，・・・・・と、Ｂデータ系列を構成する１０ビットワードのうちの一つ置きのものＢＤ０，ＢＤ２，ＢＤ４，ＢＤ６，・・・・・と、Ｒデータ系列を構成する１０ビットワードのうちの一つ置きのものＲＤ０，ＲＤ２，ＲＤ４，ＲＤ６，・・・・・とを含む１０ビットワードグループ１と、補助データ系列を形成する１０ビットワードａｄ０，ａｄ１，ａｄ２，ａｄ３，・・・・・と、Ｂデータ系列を構成する１０ビットワードのうちの他の一つ置きのものＢＤ１，ＢＤ３，ＢＤ５，ＢＤ７，・・・・・と、Ｒデータ系列を構成する１０ビットワードのうちの他の一つ置きのものＲＤ１，ＲＤ３，ＲＤ５，ＲＤ７，・・・・・とを含む１０ビットワードグループ２とに振り分ける。
【０１２８】
そして、１０ビットワードグループ１に基づき、ワード伝送レートを７４．２５ＭＢｐｓとする２０ビットワード列データＤＤ１０Ａ１を、リンクＡ−１として図２５のＡに示される如くに形成する。また、それとともに、１０ビットワードグループ２に基づき、ワード伝送レートを７４．２５ＭＢｐｓとする２０ビットワード列データＤＤ１０Ａ２を、リンクＡ−２として図２５のＢに示される如くに形成する。即ち、ワード伝送レートを７４．２５ＭＢｐｓとする３０ビットワード列データであるＤＤ１０Ａを、各々がワード伝送レートを７４．２５ＭＢｐｓとする２０ビットワード列データＤＤ１０Ａ１及びＤＤ１０Ａ２の２系統のワード列データに変換するのである。
【０１２９】
また、図２４のＢに示される如くに得られる３０ビットワード列データＤＤ１０Ｂに対しても、図４に示される如くに、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・、及び、Ｒデータ系列を構成する１０ビットワードＲＤ０，ＲＤ１，ＲＤ２，ＲＤ３，・・・・・に、補助データ系列を形成する１０ビットワードａｄ０，ａｄ１，ａｄ２，ａｄ３，・・・・・を付加する。そして、図４において太実線により区画されて示される如くに、Ｇデータ系列を形成する１０ビットワードＧＤ０，ＧＤ１，ＧＤ２，ＧＤ３，・・・・・と、Ｂデータ系列を構成する１０ビットワードのうちの一つ置きのものＢＤ０，ＢＤ２，ＢＤ４，ＢＤ６，・・・・・と、Ｒデータ系列を構成する１０ビットワードのうちの一つ置きのものＲＤ０，ＲＤ２，ＲＤ４，ＲＤ６，・・・・・とを含む１０ビットワードグループ１と、補助データ系列を形成する１０ビットワードａｄ０，ａｄ１，ａｄ２，ａｄ３，・・・・・と、Ｂデータ系列を構成する１０ビットワードのうちの他の一つ置きのものＢＤ１，ＢＤ３，ＢＤ５，ＢＤ７，・・・・・と、Ｒデータ系列を構成する１０ビットワードのうちの他の一つ置きのものＲＤ１，ＲＤ３，ＲＤ５，ＲＤ７，・・・・・とを含む１０ビットワードグループ２とに振り分ける。
【０１３０】
そして、１０ビットワードグループ１に基づき、ワード伝送レートを７４．２５ＭＢｐｓとする２０ビットワード列データＤＤ１０Ｂ１を、リンクＢ−１として図２５のＡに示される如くに形成する。また、それとともに、１０ビットワードグループ２に基づき、ワード伝送レートを７４．２５ＭＢｐｓとする２０ビットワード列データＤＤ１０Ｂ２を、リンクＢ−２として図２５のＢに示される如くに形成する。即ち、ワード伝送レートを７４．２５ＭＢｐｓとする３０ビットワード列データであるＤＤ１０Ｂを、各々がワード伝送レートを７４．２５ＭＢｐｓとする２０ビットワード列データＤＤ１０Ｂ１及びＤＤ１０Ｂ２の２系統のワード列データに変換するのである。
【０１３１】
その結果、データ処理部６２に供給されるデータＤＶＸＸが、ワード伝送レートを１４８．５ＭＢｐｓとする３０ビットワード列データとされるデータＤＤ１０である場合には、データ処理部６２において、データＤＤ１０が、各々がワード伝送レートを７４．２５ＭＢｐｓとする２０ビットワード列データＤＤ１０Ａ１，ＤＤ１０Ａ２，ＤＤ１０Ｂ１及びＤＤ１０Ｂ２の４系統のワード列データに変換されることになる。
【０１３２】
データＤＶＸＸが、図５３に示される、量子化ビット数を１２ビットとする４：４：４形式のＤ−Ｃｉｎｅｍａ信号を成すデータＤＤ１２である場合には、データＤＤ１２は、図２６のＡに示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部６２に供給される。
【０１３３】
データ処理部６２にあっては、図２６のＡに示される如くにして供給されるデータＤＤ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３６ビットワード列データＤＤ１２Ａを、リンクＡとして、図２６のＢに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３６ビットワード列データＤＤ１２Ｂを、リンクＢとして、図２６のＢに示される如くに形成する。
【０１３４】
次に、図２６のＢに示される如くの、ワード伝送レートを７４．２５ＭＢｐｓとする３６ビットワード列データＤＤ１２Ａに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【０１３５】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【０１３６】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図７において太実線により区切られている如くにして区分された１０ビットワードグループ１及び１０ビットワードグループ２を得る。
【０１３７】
そして、図７に示される１０ビットワードグループ１に基づく、ワード伝送レートを７４．２５ＭＢｐｓとする２０ビットワード列データＤＤ１２Ａ１を、リンクＡ−１として、図２７のＡに示される如くに形成するとともに、図７に示される１０ビットワードグループ２に基づく、ワード伝送レートを７４．２５ＭＢｐｓとする２０ビットワード列データＤＤ１２Ａ２を、リンクＡ−２として、図２７のＢに示される如くに形成する。即ち、ワード伝送レートを７４．２５ＭＢｐｓとする３６ビットワード列データであるＤＤ１２Ａを、ワード伝送レートを７４．２５ＭＢｐｓとする２０ビットワード列データＤＤ１２Ａ１と、ワード伝送レートを７４．２５ＭＢｐｓとする２０ビットワード列データＤＤ１２Ａ２との、２系統のワード列データに変換するのである。
【０１３８】
また、図２６のＢに示される如くの、ワード伝送レートを７４．２５ＭＢｐｓとする３６ビットワード列データＤＤ１２Ｂに対しても、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
【０１３９】
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
【０１４０】
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図７において太実線により区切られている如くにして区分された１０ビットワードグループ１及び１０ビットワードグループ２を得る。
【０１４１】
そして、図７に示される１０ビットワードグループ１に基づく、ワード伝送レートを７４．２５ＭＢｐｓとする２０ビットワード列データＤＤ１２Ｂ１を、リンクＢ−１として、図２７のＡに示される如くに形成するとともに、図７に示される１０ビットワードグループ２に基づく、ワード伝送レートを７４．２５ＭＢｐｓとする２０ビットワード列データＤＤ１２Ｂ２を、リンクＢ−２として、図２７のＢに示される如くに形成する。即ち、ワード伝送レートを７４．２５ＭＢｐｓとする３６ビットワード列データであるＤＤ１２Ｂを、ワード伝送レートを７４．２５ＭＢｐｓとする２０ビットワード列データＤＤ１２Ｂ１と、ワード伝送レートを７４．２５ＭＢｐｓとする２０ビットワード列データＤＤ１２Ｂ２との、２系統のワード列データに変換するのである。
【０１４２】
その結果、データ処理部６２に供給されるデータＤＶＸＸが、ワード伝送レートを１４８．５ＭＢｐｓとする３６ビットワード列データとされるデータＤＤ１２である場合には、データ処理部６２において、データＤＤ１２が、各々がワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の４系統のワード列データに変換されることになる。
【０１４３】
データ処理部６２は、上述の如くにして得たワード伝送レートを７４．２５ＭＢｐｓとする２０ビットワード列データＤＣ１２Ａ１，ＤＣ１２Ａ２，ＤＣ１２Ｂ１及びＤＣ１２Ｂ２の組，ＤＣ１４Ａ１，ＤＣ１４Ａ２，ＤＣ１４Ｂ１及びＤＣ１４Ｂ２の組，ＤＣ１６Ａ１，ＤＣ１６Ａ２，ＤＣ１６Ｂ１及びＤＣ１６Ｂ２の組，ＤＤ１０Ａ１，ＤＤ１０Ａ２，ＤＤ１０Ｂ１及びＤＤ１０Ｂ２の組、及び、ＤＤ１２Ａ１，ＤＤ１２Ａ２，ＤＤ１２Ｂ１及びＤＤ１２Ｂ２の組のいずれかを、２０ビットワード列データＤＰＡ１（２０），ＤＰＡ２（２０），ＤＰＢ１（２０）及びＤＰＢ２（２０）の組として導出する。
【０１４４】
データ処理部６２から送出されるワード伝送レートを７４．２５ＭＢｐｓとする２０ビットワード列データＤＰＡ１（２０）は、Ｐ／Ｓ変換部６３に供給される。Ｐ／Ｓ変換部６３にあっては、２０ビットワード列データＤＰＡ１（２０）にＰ／Ｓ変換を施して、２０ビットワード列データＤＰＡ１（２０）に基づくビット伝送レートを７４．２５ＭＢｐｓ×２０＝１．４８５ＧｂｐｓとするシリアルデータＤＳＡ１を形成し、そのシリアルデータＤＳＡ１をビット多重部６４に供給する。
【０１４５】
一方、データ処理部６２から送出されるワード伝送レートを７４．２５ＭＢｐｓとする２０ビットワード列データＤＰＡ２（２０）は、Ｐ／Ｓ変換部６５に供給される。Ｐ／Ｓ変換部６５にあっては、２０ビットワード列データＤＰＡ２（２０）にＰ／Ｓ変換を施して、２０ビットワード列データＤＰＡ２（２０）に基づくビット伝送レートを７４．２５ＭＢｐｓ×２０＝１．４８５ＧｂｐｓとするシリアルデータＤＳＡ２を形成し、そのシリアルデータＤＳＡ２をビット多重部６４に供給する。
【０１４６】
ビット多重部６４は、例えば、２ビットマルチプレクサが用いられて構成され、Ｐ／Ｓ変換部６３からのシリアルデータＤＳＡ１及びＰ／Ｓ変換部６５からのシリアルデータＤＳＡ２の夫々から１ビット宛を交互に取り出す動作を行い、シリアルデータＤＳＡ１及びＤＳＡ２にビット多重合成処理を施して、ビット伝送レートを１．４８５Ｇｂｐｓ×２＝２．９７Ｇｂｐｓとする複合シリアルデータＤＳＡＺを形成する。このようにして、ビット多重部６４から得られる複合シリアルデータＤＳＡＺは、Ｅ／Ｏ変換部６６に供給される。Ｅ／Ｏ変換部６６は、複合シリアルデータＤＳＡＺに電光変換処理を施す。
【０１４７】
Ｅ／Ｏ変換部６６は図１に示されるＥ／Ｏ変換部１６と同様に構成され、Ｅ／Ｏ変換部６６から、複合シリアルデータＤＳＡＺに基づく、中心波長を略１．５５μｍとした光信号ＯＺＡが、ビット伝送レートを２．９７Ｇｂｐｓとするもとで得られる。この光信号ＯＺＡは、双方向性ＷＤＭカップラ６７に供給される。
【０１４８】
双方向性ＷＤＭカップラ６７は、図１に示される双方向性ＷＤＭカップラ１９と同様に、一端部側に二つの入出力端が設けられるとともに他端部側に一つの入出力端が設けられて構成される。そして、Ｅ／Ｏ変換部６６からの、ビット伝送レートを２．９７Ｇｂｐｓとし、中心波長を略１．５５μｍとする光信号ＯＺＡが、双方向性ＷＤＭカップラ６７を、その一端部側に設けられた二つの入出力端のうちの一方から導入されて、その他端部側に設けられた一つの入出力端から導出されるようにして通過し、光コネクタ７０へと導かれる。
【０１４９】
光コネクタ７０は、双方向性ＷＤＭカップラ６７と光信号伝送ケーブル７１の一端側とを連結している。それにより、双方向性ＷＤＭカップラ６７からの光信号ＯＺＡは、光コネクタ７０を通じて光信号伝送ケーブル７１にその一端側から送出される。光信号伝送ケーブル７１は、例えば、石英系ＳＭＦによって形成されたものとされる。
【０１５０】
光信号伝送ケーブル７１の他端側には、それと双方向性ＷＤＭカップラ７２とを連結する光コネクタ７３が設けられている。それにより、光コネクタ７０を通じて光信号伝送ケーブル７１にその一端側から送出された光信号ＯＺＡは、光信号伝送ケーブル７１の一端側から他端側へと伝送され、その他端側から光コネクタ７３を通じて双方向性ＷＤＭカップラ７２へと導かれる。
【０１５１】
双方向性ＷＤＭカップラ７２は、図１に示される双方向性ＷＤＭカップラ３２と同様に、一端部側に二つの入出力端が設けられるとともに他端部側に一つの入出力端が設けられて構成される。そして、光コネクタ７３を通じた光信号ＯＺＡが、双方向性ＷＤＭカップラ７２を、その他端部側に設けられた一つの入出力端から導入されて、その一端部側に設けられた二つの入出力端のうちの一方から導出されるようにして通過し、Ｏ／Ｅ変換部７４へと導かれる。
【０１５２】
Ｏ／Ｅ変換部７４にあっては、ビット伝送レートを２．９７Ｇｂｐｓとし、中心波長を略１．５５μｍとする光信号ＯＺＡに光電変換処理を施して、光信号ＯＺＡに基づく、ビット伝送レートを２．９７Ｇｂｐｓとする複合シリアルデータＤＳＡＺを再生する。そして、再生された複合シリアルデータＤＳＡＺは、ビット分離部７５に供給される。
【０１５３】
ビット分離部７５は、例えば、２ビットデマルチプレクサが用いられて構成され、Ｏ／Ｅ変換部７４からの複合シリアルデータＤＳＡＺから１ビット宛を順次取り出して交互に配分し、各々がビット伝送レートを２．９７Ｇｂｐｓ／２＝１．４８５ＧｂｐｓとするシリアルデータＤＳＡ１及びＤＳＡ２を個別に形成する。このようにして、ビット分離部７５から得られるシリアルデータＤＳＡ１及びＤＳＡ２は、Ｓ／Ｐ変換部７６及び７７に夫々供給される。
【０１５４】
Ｓ／Ｐ変換部７６にあっては、ビット伝送レートを１．４８５ＧｂｐｓとするシリアルデータＤＳＡ１に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ１（２０）を再生する。また、Ｓ／Ｐ変換部７７にあっては、ビット伝送レートを１．４８５ＧｂｐｓとするシリアルデータＤＳＡ２に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ２（２０）を再生する。
【０１５５】
Ｓ／Ｐ変換部７６及び７７により夫々再生された２０ビットワード列データＤＰＡ１（２０）及びＤＰＡ２（２０）は、データ再生処理部８０に供給される。
【０１５６】
また、データ処理部６２から送出されるワード伝送レートを７４．２５ＭＢｐｓとする２０ビットワード列データＤＰＢ１（２０）は、Ｐ／Ｓ変換部８３に供給される。Ｐ／Ｓ変換部８３にあっては、２０ビットワード列データＤＰＢ１（２０）にＰ／Ｓ変換を施して、２０ビットワード列データＤＰＢ１（２０）に基づくビット伝送レートを７４．２５ＭＢｐｓ×２０＝１．４８５ＧｂｐｓとするシリアルデータＤＳＢ１を形成し、そのシリアルデータＤＳＢ１をビット多重部８４に供給する。
【０１５７】
一方、データ処理部６２から送出されるワード伝送レートを７４．２５ＭＢｐｓとする２０ビットワード列データＤＰＢ２（２０）は、Ｐ／Ｓ変換部８５に供給される。Ｐ／Ｓ変換部８５にあっては、２０ビットワード列データＤＰＢ２（２０）にＰ／Ｓ変換を施して、２０ビットワード列データＤＰＢ２（２０）に基づくビット伝送レートを７４．２５ＭＢｐｓ×２０＝１．４８５ＧｂｐｓとするシリアルデータＤＳＢ２を形成し、そのシリアルデータＤＳＢ２をビット多重部８４に供給する。
【０１５８】
ビット多重部８４は、例えば、２ビットマルチプレクサが用いられて構成され、Ｐ／Ｓ変換部８３からのシリアルデータＤＳＢ１及びＰ／Ｓ変換部８５からのシリアルデータＤＳＢ２の夫々から１ビット宛を交互に取り出す動作を行い、シリアルデータＤＳＢ１及びＤＳＢ２にビット多重合成処理を施して、ビット伝送レートを１．４８５Ｇｂｐｓ×２＝２．９７Ｇｂｐｓとする複合シリアルデータＤＳＢＺを形成する。このようにして、ビット多重部８４から得られる複合シリアルデータＤＳＢＺは、Ｅ／Ｏ変換部８６に供給される。Ｅ／Ｏ変換部８６は、複合シリアルデータＤＳＢＺに電光変換処理を施す。
【０１５９】
Ｅ／Ｏ変換部８６はＥ／Ｏ変換部６６と同様に構成され、Ｅ／Ｏ変換部８６から、複合シリアルデータＤＳＢＺに基づく、中心波長を略１．５５μｍとした光信号ＯＺＢが、ビット伝送レートを２．９７Ｇｂｐｓとするもとで得られる。この光信号ＯＺＢは、双方向性ＷＤＭカップラ８７に供給される。
【０１６０】
双方向性ＷＤＭカップラ８７は、双方向性ＷＤＭカップラ６７と同様に、一端部側に二つの入出力端が設けられるとともに他端部側に一つの入出力端が設けられて構成される。そして、Ｅ／Ｏ変換部８６からの、ビット伝送レートを２．９７Ｇｂｐｓとし、中心波長を略１．５５μｍとする光信号ＯＺＢが、双方向性ＷＤＭカップラ８７を、その一端部側に設けられた二つの入出力端のうちの一方から導入されて、その他端部側に設けられた一つの入出力端から導出されるようにして通過し、光コネクタ９０へと導かれる。
【０１６１】
光コネクタ９０は、双方向性ＷＤＭカップラ８７と光信号伝送ケーブル９１の一端側とを連結している。それにより、双方向性ＷＤＭカップラ８７からの光信号ＯＺＢは、光コネクタ９０を通じて光信号伝送ケーブル９１にその一端側から送出される。光信号伝送ケーブル９１は、例えば、石英系ＳＭＦによって形成されたものとされる。
【０１６２】
光信号伝送ケーブル９１の他端側には、それと双方向性ＷＤＭカップラ９２とを連結する光コネクタ９３が設けられている。それにより、光コネクタ９０を通じて光信号伝送ケーブル９１にその一端側から送出された光信号ＯＺＢは、光信号伝送ケーブル９１の一端側から他端側へと伝送され、その他端側から光コネクタ９３を通じて双方向性ＷＤＭカップラ９２へと導かれる。
【０１６３】
双方向性ＷＤＭカップラ９２は、双方向性ＷＤＭカップラ７２と同様に、一端部側に二つの入出力端が設けられるとともに他端部側に一つの入出力端が設けられて構成される。そして、光コネクタ９３を通じた光信号ＯＺＢが、双方向性ＷＤＭカップラ９２を、その他端部側に設けられた一つの入出力端から導入されて、その一端部側に設けられた二つの入出力端のうちの一方から導出されるようにして通過し、Ｏ／Ｅ変換部９４へと導かれる。
【０１６４】
Ｏ／Ｅ変換部９４にあっては、ビット伝送レートを２．９７Ｇｂｐｓとし、中心波長を略１．５５μｍとする光信号ＯＺＡに光電変換処理を施して、光信号ＯＺＢに基づく、ビット伝送レートを２．９７Ｇｂｐｓとする複合シリアルデータＤＳＢＺを再生する。そして、再生された複合シリアルデータＤＳＢＺは、ビット分離部９５に供給される。
【０１６５】
ビット分離部９５は、例えば、２ビットデマルチプレクサが用いられて構成され、Ｏ／Ｅ変換部９４からの複合シリアルデータＤＳＢＺから１ビット宛を順次取り出して交互に配分し、各々がビット伝送レートを２．９７Ｇｂｐｓ／２＝１．４８５ＧｂｐｓとするシリアルデータＤＳＢ１及びＤＳＢ２を個別に形成する。このようにして、ビット分離部９５から得られるシリアルデータＤＳＢ１及びＤＳＢ２は、Ｓ／Ｐ変換部９６及び９７に夫々供給される。
【０１６６】
Ｓ／Ｐ変換部９６にあっては、ビット伝送レートを１．４８５ＧｂｐｓとするシリアルデータＤＳＢ１に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ１（２０）を再生する。また、Ｓ／Ｐ変換部９７にあっては、ビット伝送レートを１．４８５ＧｂｐｓとするシリアルデータＤＳＢ２に、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ２（２０）を再生する。
【０１６７】
Ｓ／Ｐ変換部９６及び９７により夫々再生された２０ビットワード列データＤＰＢ１（２０）及びＤＰＢ２（２０）は、データ再生処理部８０に供給される。
【０１６８】
データ再生処理部８０にあっては、２０ビットワード列データＤＰＡ１（２０），ＤＰＡ２（２０），ＤＰＢ１（２０）及びＤＰＢ２（２０）に対して、データ処理部６２においてデータＤＶＸＸに施されるデータ処理とは逆のデータ処理を施し、それにより、２０ビットワード列データＤＰＡ１（２０），ＤＰＡ２（２０），ＤＰＢ１（２０）及びＤＰＢ２（２０）に基づくデータＤＶＸＸを再生して、それを信号記録再生部６１に供給する。このようにして再生されるデータＤＶＸＸは、図５２に示されるデータＤＣ１２，ＤＣ１４，ＤＣ１６，ＤＤ１０及びＤＤ１２のいずれかとされる。そして、信号記録再生部６１にあっては、例えば、内蔵するＶＴＲによるデータＤＶＸＸの記録が行われる。
【０１６９】
信号記録再生部６１には、リターン映像信号形成部も備えられており、このリターン映像信号形成部は、例えば、ワード伝送レートを７４．２５ＭＢｐｓとする２０ビットワード列データである、リターン映像信号を成すディジタルデータＤＰＭＡ及びＤＰＭＢを送出する。それにより、信号記録再生部６１からリターン映像信号を成すディジタルデータＤＰＭＡ及びＤＰＭＢが得られる。
【０１７０】
信号記録再生部６１から得られるディジタルデータＤＰＭＡは、Ｐ／Ｓ変換部１００に供給される。Ｐ／Ｓ変換部１００にあっては、ディジタルデータＤＰＭＡにＰ／Ｓ変換を施し、ビット伝送レートを７４．２５ＭＢｐｓ×２０＝１．４８５ＧｂｐｓとするシリアルデータＤＳＭＡを形成して、それをＥ／Ｏ変換部１０１に供給する。Ｅ／Ｏ変換部１０１おいては、シリアルデータＤＳＭＡに電光変換処理を施す。
【０１７１】
Ｅ／Ｏ変換部１０１は図１に示されるＥ／Ｏ変換部５１と同様に構成され、Ｅ／Ｏ変換部１０１から、シリアルデータＤＳＭＡに基づく、中心波長を略１．３μｍとした光信号ＯＳＭＡが、ビット伝送レートを１．４８５Ｇｂｐｓとしたもとで得られる。この光信号ＯＳＭＡは、双方向性ＷＤＭカップラ７２に供給される。
【０１７２】
双方向性ＷＤＭカップラ７２においては、Ｅ／Ｏ変換部１０１からの、ビット伝送レートを１．４８５Ｇｂｐｓとし、中心波長を略１．３μｍとする光信号ＯＳＭＡが、一端部側に設けられた二つの入出力端のうちの他方から導入されて、他端部側に設けられた一つの入出力端へと導出され、光コネクタ７３へと導かれる。
【０１７３】
そして、双方向性ＷＤＭカップラ７２からの光信号ＯＳＭＡは、光コネクタ７３を通じて光信号伝送ケーブル７１にその他端側から送出されて、光信号伝送ケーブル７１の他端側から一端側へと伝送され、その一端側から光コネクタ７０を通じて双方向性ＷＤＭカップラ６７へと導かれる。
【０１７４】
双方向性ＷＤＭカップラ６７にあっては、光コネクタ７０からの、ビット伝送レートを１．４８５Ｇｂｐｓとし、中心波長を略１．３μｍとする光信号ＯＳＭＡが、他端部側に設けられた一つの入出力端から導入されて、一端部側に設けられた二つの入出力端のうちの他方へと導出され、Ｏ／Ｅ変換部１０２へと導かれる。
【０１７５】
Ｏ／Ｅ変換部１０２にあっては、ビット伝送レートを１．４８５Ｇｂｐｓとし、中心波長を略１．３μｍとする光信号ＯＳＭＡに光電変換処理を施して、光信号ＯＳＭＡに基づく、ビット伝送レートを１．４８５ＧｂｐｓとするシリアルデータＤＳＭＡを再生する。そして、再生されたシリアルデータＤＳＭＡは、Ｓ／Ｐ変換部１０３に供給される。
【０１７６】
Ｓ／Ｐ変換部１０３にあっては、ビット伝送レートを１．４８５ＧｂｐｓとするシリアルデータＤＳＭＡに、２０ビットパラレルデータを得るＳ／Ｐ変換処理を施し、シリアルデータＤＳＭＡに基づく、ワード伝送レートを１．４８５Ｇｂｐｓ／２０＝７４．２５ＭＢｐｓとする、リターン映像信号を成すディジタルデータＤＰＭＡを再生して、それをカメラ部６０に供給する。
【０１７７】
また、信号記録再生部６１から得られるディジタルデータＤＰＭＢは、Ｐ／Ｓ変換部１０５に供給される。Ｐ／Ｓ変換部１０５にあっては、ディジタルデータＤＰＭＢにＰ／Ｓ変換を施し、ビット伝送レートを７４．２５ＭＢｐｓ×２０＝１．４８５ＧｂｐｓとするシリアルデータＤＳＭＢを形成して、それをＥ／Ｏ変換部１０６に供給する。Ｅ／Ｏ変換部１０６おいては、シリアルデータＤＳＭＢに電光変換処理を施す。
【０１７８】
Ｅ／Ｏ変換部１０６はＥ／Ｏ変換部１０１と同様に構成され、Ｅ／Ｏ変換部１０６から、シリアルデータＤＳＭＢに基づく、中心波長を略１．３μｍとした光信号ＯＳＭＢが、ビット伝送レートを１．４８５Ｇｂｐｓとしたもとで得られる。この光信号ＯＳＭＢは、双方向性ＷＤＭカップラ９２に供給される。
【０１７９】
双方向性ＷＤＭカップラ９２においては、Ｅ／Ｏ変換部１０６からの、ビット伝送レートを１．４８５Ｇｂｐｓとし、中心波長を略１．３μｍとする光信号ＯＳＭＢが、一端部側に設けられた二つの入出力端のうちの他方から導入されて、他端部側に設けられた一つの入出力端へと導出され、光コネクタ９３へと導かれる。
【０１８０】
そして、双方向性ＷＤＭカップラ９２からの光信号ＯＳＭＢは、光コネクタ９３を通じて光信号伝送ケーブル９１にその他端側から送出されて、光信号伝送ケーブル９１の他端側から一端側へと伝送され、その一端側から光コネクタ９０を通じて双方向性ＷＤＭカップラ８７へと導かれる。
【０１８１】
双方向性ＷＤＭカップラ８７にあっては、光コネクタ９０からの、ビット伝送レートを１．４８５Ｇｂｐｓとし、中心波長を略１．３μｍとする光信号ＯＳＭＢが、他端部側に設けられた一つの入出力端から導入されて、一端部側に設けられた二つの入出力端のうちの他方へと導出され、Ｏ／Ｅ変換部１０７へと導かれる。
【０１８２】
Ｏ／Ｅ変換部１０７にあっては、ビット伝送レートを１．４８５Ｇｂｐｓとし、中心波長を略１．３μｍとする光信号ＯＳＭＢに光電変換処理を施して、光信号ＯＳＭＢに基づく、ビット伝送レートを１．４８５ＧｂｐｓとするシリアルデータＤＳＭＢを再生する。そして、再生されたシリアルデータＤＳＭＢは、Ｓ／Ｐ変換部１０８に供給される。
【０１８３】
Ｓ／Ｐ変換部１０８にあっては、ビット伝送レートを１．４８５ＧｂｐｓとするシリアルデータＤＳＭＢに、２０ビットパラレルデータを得るＳ／Ｐ変換処理を施し、シリアルデータＤＳＭＢに基づく、ワード伝送レートを１．４８５Ｇｂｐｓ／２０＝７４．２５ＭＢｐｓとする、リターン映像信号を成すディジタルデータＤＰＭＢを再生して、それをカメラ部６０に供給する。
【０１８４】
上述の如くの図２０及び図２１に示される例にあっては、カメラ部６０から得られるデータＤＶＸＸが、図５２に示されるデータＤＣ１２，ＤＣ１４，ＤＣ１６，ＤＤ１０及びＤＤ１２のうちのいずれかとされるもとで、光信号ＯＺＡ及びＯＺＢに変換され、カメラ部６０側から光信号伝送ケーブル７１及び９１を通じて信号記録再生部６１側に伝送されるとともに、信号記録再生部６１から送出されるリターン映像信号を成すディジタルデータＤＰＭＡ及びＤＰＭＢが、光信号ＯＳＭＡ及びＯＳＭＢに変換され、信号記録再生部６１側から光信号伝送ケーブル７１及び９１を通じてカメラ部６０側に伝送され、光信号伝送ケーブル７１の一端側及び他端側との間において、光信号ＯＺＡと光信号ＯＳＭＡとの双方向伝送が行われるとともに、光信号伝送ケーブル９１の一端側及び他端側との間において、光信号ＯＺＢと光信号ＯＳＭＢとの双方向伝送が、夫々の減衰が最小限に抑えられるもとで行われる。
【０１８５】
また、カメラ部６０から得られるデータＤＶＸＸの光信号ＯＺＡ及びＯＺＢへの変換、及び、リターン映像信号を成すディジタルデータＤＰＭＡ及びＤＰＭＢの光信号ＯＳＭＡ及びＯＳＭＢへの変換は、例えば、ディジタル映像信号の HD SDI に従ったシリアル伝送に用いられる現存する回路構成要素を利用して行うことができることになる。
【０１８６】
図２８及び図２９は、本願の特許請求の範囲における請求項２２から３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の一例を示す。
【０１８７】
図２８及び図２９に示される例は、図２０及び図２１に示される例と同様に構成された部分を多々備えており、図２８及び図２９においては、図２０及び図２１に示されるブロックあるいはデータに対応するブロックあるいはデータが、図２０及び図２１と共通の符号が付されて示されていて、それらについての重複説明は省略される。
【０１８８】
図２８及び図２９に示される例も、カメラ部６０と信号記録再生部６１との間における、Ｄ−Ｃｉｎｅｍａ信号を形成するディジタルデータとディジタルリターン映像信号を形成するディジタルデータとの双方向伝送を行うものとされていて、カメラ部６０からは、データＤＶＸＸが送出されて、それがデータ処理部６２に供給される。そして、データＤＶＸＸは、図５２に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０１８９】
斯かる図２８及び図２９に示される例にあっては、Ｐ／Ｓ変換部８３から得られるシリアルデータＤＳＢ１及びＰ／Ｓ変換部８5 から得られるシリアルデータＤＳＢ２が、夫々、Ｅ／Ｏ変換部１１０及び１１１に供給される。Ｅ／Ｏ変換部１１０は、図２０に示されるＥ／Ｏ変換部６６と同様に構成され、シリアルデータＤＳＢ１に電光変換処理を施し、ビット伝送レートを１．４８５Ｇｂｐｓとし、例えば、略１．５５μｍとされる中心波長を有した光信号ＯＢ１を形成する。また、Ｅ／Ｏ変換部１１１は、図２１に示されるＥ／Ｏ変換部１０１と同様に構成され、シリアルデータＤＳＢ２に電光変換処理を施し、ビット伝送レートを１．４８５Ｇｂｐｓとし、例えば、略１．３μｍとされる中心波長を有した光信号ＯＢ２を形成する。Ｅ／Ｏ変換部１１０からの光信号ＯＢ１及びＥ／Ｏ変換部１１１からの光信号ＯＢ２は、合波部１１２に供給される。
【０１９０】
合波部１１２は、例えば、ファイバー型ＷＤＭカップラによって構成され、その一例は、図３０に示される如くとされる。
【０１９１】
図３０に示される合波部１１２の例にあっては、Ｅ／Ｏ変換部１１０からの光信号ＯＢ１が、光コネクタ２２０を通じて、方向性結合部２２１に導かれるとともに、Ｅ／Ｏ変換部１１１からの光信号ＯＢ２が、光コネクタ２２２を通じて、方向性結合部２２１に導かれる。方向性結合部２２１は、光コネクタ２２０を通じた光を導く光ファイバーと光コネクタ２２２を通じた光を導く光ファイバーとが相互結合する部分である。そして、方向性結合部２２１にあっては、中心波長を略１．５５μｍとする光信号ＯＢ１と中心波長を略１．３μｍとする光信号ＯＢ２とを合波して多重化し、多重光信号ＯＺＢを送出する。方向性結合部２２１において得られる多重光信号ＯＺＢは、光コネクタ２２３を通じて導出される。
【０１９２】
合波部１１２から導出される多重光信号ＯＺＢは、光コネクタ９０を通じて、光信号伝送ケーブル９１にその一端側から送出されて、光信号伝送ケーブル９１の一端側から他端側へと伝送され、その他端側から光コネクタ９３を通じて分波部１１５に導かれる。
【０１９３】
分波部１１５は、例えば、ファイバー型ＷＤＭカップラによって構成され、その一例は、図３１に示される如くとされる。
【０１９４】
図３１に示される分波部１１５の例にあっては、光コネクタ９３を通じた多重光信号ＯＺＢが、光コネクタ２３０を通じて方向性結合部２３１に導かれる。方向性結合部２３１は、光コネクタ２３０を通じた光を導く光ファイバーが二つの光ファイバーに分割され、分割された二つの光ファイバーが二つの出力ポートを形成する部分である。方向性結合部２３１から伸びる二つの出力ポートからは、多重光信号ＯＺＢから分波された、ビット伝送レートを１．４８５Ｇｂｐｓとし、略１．５５μｍとされる中心波長を有した光信号ＯＢ１と、ビット伝送レートを１．４８５Ｇｂｐｓとし、略１．３μｍとされる中心波長を有した光信号ＯＢ２とが、夫々、光コネクタ２３２と光コネクタ２３３を通じて導出される。
【０１９５】
分波部１１５から得られる光信号ＯＢ１及びＯＢ２は、Ｏ／Ｅ変換部１１６及び１１７に夫々供給される。Ｏ／Ｅ変換部１１６からは、光信号ＯＢ１に基づくビット伝送レートを１．４８５ＭＢｐｓとするシリアルデータＤＳＢ１が得られて、それがＳ／Ｐ変換部９６に供給され、また、Ｏ／Ｅ変換部１１７からは、光信号ＯＢ２に基づくビット伝送レートを１．４８５ＭＢｐｓとするシリアルデータＤＳＢ２が得られて、それがＳ／Ｐ変換部９７に供給される。
【０１９６】
さらに、図２８及び図２９に示される例にあっては、信号記録再生部６１が、リターン映像信号を成すディジタルデータＤＰＭＡのみを送出して、それをＰ／Ｓ変換部１００に供給する。その他については、図２０及び図２１に示される例と同様である。
【０１９７】
上述の如くの図２８及び図２９に示される例にあっても、カメラ部６０から得られるデータＤＶＸＸが、図５２に示されるデータＤＣ１２，ＤＣ１４，ＤＣ１６，ＤＤ１０及びＤＤ１２のうちのいずれかとされるもとで、光信号ＯＺＡ及びＯＺＢに変換され、カメラ部６０側から光信号伝送ケーブル７１及び９１を通じて信号記録再生部６１側に伝送されるとともに、信号記録再生部６１から送出されるリターン映像信号を成すディジタルデータＤＰＭＡが、光信号ＯＳＭＡに変換され、信号記録再生部６１側から光信号伝送ケーブル７１を通じてカメラ部６０側に伝送されて、光信号伝送ケーブル７１の一端側及び他端側との間において、光信号ＯＺＡと光信号ＯＳＭＡとの双方向伝送が行われる。
【０１９８】
図３２及び図３３は、本願の特許請求の範囲における請求項２２から請求項３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の他の例を示す。
【０１９９】
図３２及び図３３に示される例も、図２０及び図２１に示される例と同様に構成された部分を多々備えており、図３２及び図３３においては、図２０及び図２１に示されるブロックあるいはデータに対応するブロックあるいはデータが、図２０及び図２１と共通の符号が付されて示されていて、それらについての重複説明は省略される。
【０２００】
図３２及び図３３に示される例も、カメラ部６０と信号記録再生部６１との間における、Ｄ−Ｃｉｎｅｍａ信号を形成するディジタルデータとディジタルリターン映像信号を形成するディジタルデータとの双方向伝送を行うものとされていて、カメラ部６０からは、データＤＶＸＸが送出されて、それがデータ処理部６２に供給される。そして、データＤＶＸＸは、図５３に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０２０１】
斯かる図３２及び図３３に示される例にあっては、Ｐ／Ｓ変換部８３から得られるシリアルデータＤＳＢ１及びＰ／Ｓ変換部８5 から得られるシリアルデータＤＳＢ２が、ビット多重部１２０に供給される。ビット多重部１２０は、ビット多重部６４と同様に構成され、Ｐ／Ｓ変換部８３からのシリアルデータＤＳＢ１及びＰ／Ｓ変換部８５からのシリアルデータＤＳＢ２の夫々から１ビット宛を交互に取り出す動作を行い、シリアルデータＤＳＢ１及びＤＳＢ２にビット多重合成処理を施して、ビット伝送レートを１．４８５Ｇｂｐｓ×２＝２．９７Ｇｂｐｓとする複合シリアルデータＤＳＢＺを形成する。このようにして、ビット多重部１２０から得られる複合シリアルデータＤＳＢＺは、Ｅ／Ｏ変換部１２１に供給される。Ｅ／Ｏ変換部１２１は、複合シリアルデータＤＳＢＺに電光変換処理を施し、ビット伝送レートを２．９７Ｇｂｐｓとし、例えば、略１．３μｍとされる中心波長を有した光信号ＯＺＢを形成する。
【０２０２】
そして、Ｅ／Ｏ変換部６６からの光信号ＯＺＡとＥ／Ｏ変換部１２１からの光信号ＯＺＢとが、合波部１２２に供給される。合波部１２２は、図２９に示される合波部１１２と同様に構成され、光信号ＯＺＡと光信号ＯＺＢとを合波して多重化し、多重光信号ＯＺを送出する。
【０２０３】
合波部１２２から導出される多重光信号ＯＺは、光コネクタ７０を通じて、光信号伝送ケーブル７１にその一端側から送出されて、光信号伝送ケーブル７１の一端側から他端側へと伝送され、その他端側から光コネクタ７３を通じて分波部１２５に導かれる。
【０２０４】
分波部１２５は図２９に示される分波部１１５と同様に構成され、分波部１２５から、多重光信号ＯＺから分波された、ビット伝送レートを２．９７Ｇｂｐｓとし、略１．５５μｍとされる中心波長を有した光信号ＯＺＡと、ビット伝送レートを２．９７Ｇｂｐｓとし、略１．３μｍとされる中心波長を有した光信号ＯＺＢとが導出される。分波部１２５から得られる光信号ＯＺＡ及びＯＺＢは、Ｏ／Ｅ変換部７４及び９４に夫々供給される。
【０２０５】
また、図３２及び図３３に示される例にあっては、信号記録再生部６１が、ワード伝送レートを７４．２５ＭＢｐｓとする２０ビットワード列データである、リターン映像信号を成すディジタルデータＤＰＭを送出する。
【０２０６】
信号記録再生部６１から得られるディジタルデータＤＰＭは、Ｐ／Ｓ変換部１２６に供給される。Ｐ／Ｓ変換部１２６にあっては、ディジタルデータＤＰＭにＰ／Ｓ変換を施し、ビット伝送レートを７４．２５ＭＢｐｓ×２０＝１．４８５ＧｂｐｓとするシリアルデータＤＳＭを形成して、それをＥ／Ｏ変換部１２７に供給する。Ｅ／Ｏ変換部１２７おいては、シリアルデータＤＳＭに電光変換処理を施す。
【０２０７】
Ｅ／Ｏ変換部１２７はＥ／Ｏ変換部１２１と同様に構成され、Ｅ／Ｏ変換部１２７から、シリアルデータＤＳＭに基づく、中心波長を略１．３μｍとした光信号ＯＳＭが、ビット伝送レートを１．４８５Ｇｂｐｓとしたもとで得られる。
【０２０８】
Ｅ／Ｏ変換部１２７からの光信号ＯＳＭは、光コネクタ９３を通じて光信号伝送ケーブル９１にその他端側から送出されて、光信号伝送ケーブル９１の他端側から一端側へと伝送され、その一端側から光コネクタ９０を通じてＯ／Ｅ変換部１２８へと導かれる。
【０２０９】
Ｏ／Ｅ変換部１２８にあっては、ビット伝送レートを１．４８５Ｇｂｐｓとし、中心波長を略１．３μｍとする光信号ＯＳＭに光電変換処理を施して、光信号ＯＳＭに基づく、ビット伝送レートを１．４８５ＧｂｐｓとするシリアルデータＤＳＭを再生する。そして、再生されたシリアルデータＤＳＭは、Ｓ／Ｐ変換部１２９に供給される。
【０２１０】
Ｓ／Ｐ変換部１２９にあっては、ビット伝送レートを１．４８５ＧｂｐｓとするシリアルデータＤＳＭに、２０ビットパラレルデータを得るＳ／Ｐ変換処理を施し、シリアルデータＤＳＭに基づく、ワード伝送レートを１．４８５Ｇｂｐｓ／２０＝７４．２５ＭＢｐｓとする、リターン映像信号を成すディジタルデータＤＰＭを再生して、それをカメラ部６０に供給する。その他については、図２０及び図２１に示される例と同様である。
【０２１１】
上述の如くの図３２及び図３３に示される例にあっても、カメラ部６０から得られるデータＤＶＸＸが、図５２に示されるデータＤＣ１２，ＤＣ１４，ＤＣ１６，ＤＤ１０及びＤＤ１２のうちのいずれかとされるもとで、多重光信号ＯＺに変換され、カメラ部６０側から光信号伝送ケーブル７１を通じて信号記録再生部６１側に伝送されるとともに、信号記録再生部６１から送出されるリターン映像信号を成すディジタルデータＤＰＭが、光信号ＯＳＭに変換され、信号記録再生部６１側から光信号伝送ケーブル９１を通じてカメラ部６０側に伝送される。
【０２１２】
図３４及び図３５は、本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の例を示す。
【０２１３】
図３４及び図３５に示される例は、図３２及び図３３に示される例と同様に構成された部分を備えており、図３４及び図３５においては、図３２及び図３３に示されるブロックあるいはデータに対応するブロックあるいはデータが、図３２及び図３３と共通の符号が付されて示されていて、それらについての重複説明は省略される。
【０２１４】
図３４及び図３５に示される例も、カメラ部６０と信号記録再生部６１との間における、Ｄ−Ｃｉｎｅｍａ信号を形成するディジタルデータとディジタルリターン映像信号を形成するディジタルデータとの双方向伝送を行うものとされていて、カメラ部６０からは、データＤＶＸＸが送出されて、それがデータ処理部６２に供給される。そして、データＤＶＸＸは、図５２に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０２１５】
斯かる図３４及び図３５に示される例にあっては、Ｐ／Ｓ変換部６３から得られるビット伝送レートを１．４８５ＧｂｐｓとするシリアルデータＤＳＡ１，Ｐ／Ｓ変換部６5 から得られるビット伝送レートを１．４８５ＧｂｐｓとするシリアルデータＤＳＡ２，Ｐ／Ｓ変換部８３から得られるビット伝送レートを１．４８５ＧｂｐｓとするシリアルデータＤＳＢ１、及び、Ｐ／Ｓ変換部８5 から得られるビット伝送レートを１．４８５ＧｂｐｓとするシリアルデータＤＳＢ２が、夫々、Ｅ／Ｏ変換部１６１，１６２，１６３及び１６４に供給される。
【０２１６】
Ｅ／Ｏ変換部１６１は、シリアルデータＤＳＡ１に電光変換処理を施し、シリアルデータＤＳＡ１に基づく、中心波長を、例えば、略１．５１１μｍとする光信号ＯＡ１を、ビット伝送レートを１．４８５Ｇｂｐｓとするものとして形成し、それを合波部１６５に導く。Ｅ／Ｏ変換部１６２は、シリアルデータＤＳＡ２に電光変換処理を施し、シリアルデータＤＳＡ２に基づく、中心波長を、例えば、略１．５３１μｍとする光信号ＯＡ２を、ビット伝送レートを１．４８５Ｇｂｐｓとするものとして形成し、それを合波部１６５に導く。Ｅ／Ｏ変換部１６３は、シリアルデータＤＳＢ１に電光変換処理を施し、シリアルデータＤＳＢ１に基づく、中心波長を、例えば、略１．５５１μｍとする光信号ＯＢ１を、ビット伝送レートを１．４８５Ｇｂｐｓとするものとして形成し、それを合波部１６５に導く。さらに、Ｅ／Ｏ変換部１６４は、シリアルデータＤＳＢ２に電光変換処理を施し、シリアルデータＤＳＢ２に基づく、中心波長を、例えば、略１．５７１μｍとする光信号ＯＢ２を、ビット伝送レートを１．４８５Ｇｂｐｓとするものとして形成し、それを合波部１６５に導く。
【０２１７】
合波部１６５は、中心波長を略１．５１１μｍとする光信号ＯＡ１と中心波長を略１．５３１μｍとする光信号ＯＡ２と中心波長を略１．５５１μｍとする光信号ＯＢ１と中心波長を略１．５７１μｍとする光信号ＯＢ２とを合波して多重化し、多重光信号ＯＺＺを形成して、それを伝送信号として送出する。
【０２１８】
このようにして、合波部１６５において多重化される光信号ＯＡ１，ＯＡ２，ＯＢ１及びＯＢ２は、それらの中心波長が略０．０２０μｍずつ隔たっているにすぎない、相互に極めて近接した波長を有するもとで多重化されて、多重光信号ＯＺＺを形成するものとされており、Ｅ／Ｏ変換部１６１〜１６４と合波部１６５とを含む部分においては、Coase Wavelength Division Multiplexing（CWDM) と称される波長多重技術が用いられる。
【０２１９】
合波部１６５から送出される伝送信号である多重光信号ＯＺＺは、光コネクタ１６６を通じて光信号伝送ケーブル１６７にその一端側から送出される。光信号伝送ケーブル１６７は、例えば、石英系ＳＭＦによって形成されたものとされる。
【０２２０】
光信号伝送ケーブル１６７の他端側には、それと分波部１６９とを連結する光コネクタ１６８が設けられている。それにより、光コネクタ１６６を通じて光信号伝送ケーブル１６７にその一端側から送出された多重光信号ＯＺＺは、光信号伝送ケーブル１６７の一端側から他端側へと伝送され、その他端側から光コネクタ１６８を通じて分波部１６９へと導かれる。
【０２２１】
分波部１６９にあっては、多重光信号ＯＺＺを、中心波長を略１．５１１μｍとする成分と中心波長を略１．５３１μｍとする成分と中心波長を略１．５５１μｍとする成分と中心波長を略１．５７１μｍとする成分とに分波して、ビット伝送レートを１．４８５Ｇｂｐｓとし、中心波長を略１．５１１μｍとする光信号ＯＡ１と、ビット伝送レートを１．４８５Ｇｂｐｓとし、中心波長を略１．５３１μｍとする光信号ＯＡ２と、ビット伝送レートを１．４８５Ｇｂｐｓとし、中心波長を略１．５５１μｍとする光信号ＯＢ１と、ビット伝送レートを１．４８５Ｇｂｐｓとし、中心波長を略１．５７１μｍとする光信号ＯＢ２とを再生する。
【０２２２】
分波部１６９により再生された光信号ＯＡ１，ＯＡ２，ＯＢ１及びＯＢ２は、夫々、Ｏ／Ｅ変換部１７０，１７１，１７２及び１７３へと導かれる。Ｏ／Ｅ変換部１７０にあっては、ビット伝送レートを１．４８５Ｇｂｐｓとし、中心波長を略１．５１１μｍとする光信号ＯＡ１に光電変換処理を施して、光信号ＯＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部７６に供給される。Ｏ／Ｅ変換部１７１にあっては、ビット伝送レートを１．４８５Ｇｂｐｓとし、中心波長を略１．５３１μｍとする光信号ＯＡ２に光電変換処理を施して、光信号ＯＡ２に基づく、ビット伝送レートを１．４８５ＧｂｐｓとするシリアルデータＤＳＡ２を再生する。そして、再生されたシリアルデータＤＳＡ２は、Ｓ／Ｐ変換部７７に供給される。Ｏ／Ｅ変換部１７２にあっては、ビット伝送レートを１．４８５Ｇｂｐｓとし、中心波長を略１．５５１μｍとする光信号ＯＢ１に光電変換処理を施して、光信号ＯＢ１に基づく、ビット伝送レートを１．４８５ＧｂｐｓとするシリアルデータＤＳＢ１を再生する。そして、再生されたシリアルデータＤＳＢ１は、Ｓ／Ｐ変換部９６に供給される。さらに、Ｏ／Ｅ変換部１７３にあっては、ビット伝送レートを１．４８５Ｇｂｐｓとし、中心波長を略１．５７１μｍとする光信号ＯＢ２に光電変換処理を施して、光信号ＯＢ２に基づく、ビット伝送レートを１．４８５ＧｂｐｓとするシリアルデータＤＳＢ２を再生する。そして、再生されたシリアルデータＤＳＢ２は、Ｓ／Ｐ変換部９７に供給される。
【０２２３】
その他については、図３２及び図３３に示される例の場合と同様である。
【０２２４】
上述の如くの図３４及び図３５に示される例にあっては、カメラ部６０から得られるデータＤＶＸＸが、図５２に示されるデータＤＣ１２，ＤＣ１４，ＤＣ１６，ＤＤ１０及びＤＤ１２のうちのいずれかとされるもとで、多重光信号ＯＺＺに変換され、カメラ部６０側から光信号伝送ケーブル１６７を通じて信号記録再生部６１側に伝送されるとともに、信号記録再生部６１から送出されるリターン映像信号を成すディジタルデータＤＰＭが、光信号ＯＳＭに変換され、信号記録再生部６１側から光信号伝送ケーブル９１を通じてカメラ部６０側に伝送されて、光信号伝送ケーブル１６７及び９１の夫々の一端側及び他端側との間において、光信号ＯＺＺと光信号ＯＳＭとについての双方向伝送が、夫々の減衰が最小限に抑えられるもとで行われる。
【０２２５】
また、カメラ部６０から得られるデータＤＶＸＸの多重光信号ＯＺＺへの変換、及び、リターン映像信号を成すディジタルデータＤＰＭの光信号ＯＳＭへの変換は、例えば、ディジタル映像信号の HD SDI に従ったシリアル伝送に用いられる現存する回路構成要素を利用して行うことができることになる。
【０２２６】
図３６及び図３７は、本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の他の例を示す。
【０２２７】
図３６及び図３７に示される例は、図３４及び図３５に示される例と同様に構成された部分を多々備えており、図３６及び図３７においては、図３４及び図３５に示されるブロックあるいはデータに対応するブロックあるいはデータが、図３４及び図３５と共通の符号が付されて示されていて、それらについての重複説明は省略される。
【０２２８】
図３６及び図３７に示される例も、カメラ部６０と信号記録再生部６１との間における、Ｄ−Ｃｉｎｅｍａ信号を形成するディジタルデータとディジタルリターン映像信号を形成するディジタルデータとの双方向伝送を行うものとされていて、カメラ部６０からは、データＤＶＸＸが送出されて、それがデータ処理部６２に供給される。そして、データＤＶＸＸは、図５２に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０２２９】
斯かる図３６及び図３７に示される例にあっては、信号記録再生部６１が、各々がワード伝送レートを７４．２５ＭＢｐｓとする２０ビットワード列データである、リターン映像信号を成すディジタルデータＤＰＭＣ及びＤＰＭＤを送出する。
【０２３０】
信号記録再生部６１から得られるディジタルデータＤＰＭＣは、Ｐ／Ｓ変換部１７４に供給される。Ｐ／Ｓ変換部１７４にあっては、ディジタルデータＤＰＭＣにＰ／Ｓ変換を施し、ビット伝送レートを７４．２５ＭＢｐｓ×２０＝１．４８５ＧｂｐｓとするシリアルデータＤＳＭＣを形成して、それをＥ／Ｏ変換部１７５に供給する。Ｅ／Ｏ変換部１７５は、シリアルデータＤＳＭＣに電光変換処理を施し、シリアルデータＤＳＭＣに基づく、中心波長を、例えば、略１．３μｍとする光信号ＯＳＭＣを、ビット伝送レートを１．４８５Ｇｂｐｓとするものとして形成し、それを合波部１７６に導く。
【０２３１】
また、信号記録再生部６１から得られるディジタルデータＤＰＭＤは、Ｐ／Ｓ変換部１７７に供給される。Ｐ／Ｓ変換部１７７にあっては、ディジタルデータＤＰＭＤにＰ／Ｓ変換を施し、ビット伝送レートを７４．２５ＭＢｐｓ×２０＝１．４８５ＧｂｐｓとするシリアルデータＤＳＭＤを形成して、それをＥ／Ｏ変換部１７８に供給する。Ｅ／Ｏ変換部１７８は、シリアルデータＤＳＭＤに電光変換処理を施し、シリアルデータＤＳＭＤに基づく、中心波長を、例えば、略１．５５μｍとする光信号ＯＳＭＤを、ビット伝送レートを１．４８５Ｇｂｐｓとするものとして形成し、それを合波部１７６に導く。
【０２３２】
合波部１７６にあっては、中心波長を略１．３μｍとする光信号ＯＳＭＣと中心波長を略１．５５μｍとする光信号ＯＳＭＤとを合波して多重化し、多重光信号ＯＳＭＺを送出する。合波部１７６からの多重光信号ＯＳＭＺは、光コネクタ１７９を通じて光信号伝送ケーブル１８０にその一端側から送出される。
【０２３３】
光信号伝送ケーブル１８０に送出された多重光信号ＯＳＭＺは、光信号伝送ケーブル１８０の一端側から他端側へと伝送され、その他端側から光コネクタ１８１を通じて分波部１８２へと導かれる。分波部１８２にあっては、多重光信号ＯＳＭＺを、中心波長を略１．３μｍとする成分と中心波長を略１．５５μｍとする成分とに分波して、ビット伝送レートを１．４８５Ｇｂｐｓとし、中心波長を略１．３μｍとする光信号ＯＳＭＣと、ビット伝送レートを１．４８５Ｇｂｐｓとし、中心波長を略１．５５μｍとする光信号ＯＳＭＤとを再生する。
【０２３４】
分波部１８２により再生された光信号ＯＳＭＣ及びＯＳＭＤは、夫々、Ｏ／Ｅ変換部１８３及び１８４へと導かれる。Ｏ／Ｅ変換部１８３にあっては、ビット伝送レートを１．４８５Ｇｂｐｓとし、中心波長を略１．３μｍとする光信号ＯＳＭＣに光電変換処理を施して、光信号ＯＳＭＣに基づく、ビット伝送レートを１．４８５ＧｂｐｓとするシリアルデータＤＳＭＣを再生する。そして、再生されたシリアルデータＤＳＭＣは、Ｓ／Ｐ変換部１８５に供給される。また、Ｏ／Ｅ変換部１８４にあっては、ビット伝送レートを１．４８５Ｇｂｐｓとし、中心波長を略１．５５μｍとする光信号ＯＳＭＤに光電変換処理を施して、光信号ＯＳＭＤに基づく、ビット伝送レートを１．４８５ＧｂｐｓとするシリアルデータＤＳＭＤを再生する。そして、再生されたシリアルデータＤＳＭＤは、Ｓ／Ｐ変換部１８６に供給される。
【０２３５】
Ｓ／Ｐ変換部１８５にあっては、ビット伝送レートを１．４８５ＧｂｐｓとするシリアルデータＤＳＭＣに、２０ビットパラレルデータを得るＳ／Ｐ変換処理を施し、シリアルデータＤＳＭＣに基づく、ワード伝送レートを１．４８５Ｇｂｐｓ／２０＝７４．２５ＭＢｐｓとする、リターン映像信号を成すディジタルデータＤＰＭＣを再生して、それをカメラ部６０に供給する。また、Ｓ／Ｐ変換部１８６にあっては、ビット伝送レートを１．４８５ＧｂｐｓとするシリアルデータＤＳＭＤに、２０ビットパラレルデータを得るＳ／Ｐ変換処理を施し、シリアルデータＤＳＭＤに基づく、ワード伝送レートを１．４８５Ｇｂｐｓ／２０＝７４．２５ＭＢｐｓとする、リターン映像信号を成すディジタルデータＤＰＭＤを再生して、それをカメラ部６０に供給する。
【０２３６】
その他については、図３４及び図３５に示される例と同様である。
【０２３７】
上述の如くの図３６及び図３７に示される例にあっても、カメラ部６０から得られるデータＤＶＸＸが、図５５に示されるデータＤＣ１２，ＤＣ１４，ＤＣ１６，ＤＤ１０及びＤＤ１２のうちのいずれかとされるもとで、多重光信号ＯＺＺに変換され、カメラ部６０側から光信号伝送ケーブル１６７を通じて信号記録再生部６１側に、その減衰が最小限に抑えられるもとで伝送されるとともに、信号記録再生部６１から送出されるリターン映像信号を成すディジタルデータＤＰＭＣ及びＤＰＭＤが、多重光信号ＯＳＭＺに変換され、信号記録再生部６１側から光信号伝送ケーブル１８０を通じてカメラ部６０側に、その減衰が最小限に抑えられるもとで伝送される。
【０２３８】
また、カメラ部６０から得られるデータＤＶＸＸの多重光信号ＯＺＺへの変換、及び、リターン映像信号を成すディジタルデータＤＰＭＣ及びＤＰＭＤの多重光信号ＯＳＭＺへの変換は、例えば、ディジタル映像信号の HD SDI に従ったシリアル伝送に用いられる現存する回路構成要素を利用して行うことができることになる。
【０２３９】
図３８及び図３９は、本願の特許請求の範囲における請求項３７から請求項４２までのいずれかに記載された発明に係るデータ伝送方法の例が実施される、本願の特許請求の範囲における請求項６３から請求項６５までのいずれかに記載された発明に係るデータ伝送装置の例を示す。
【０２４０】
図３８及び図３９に示される例も、図３４及び図３５に示される例と同様に構成された部分を備えており、図３８及び図３９においては、図３４及び図３５に示されるブロックあるいはデータに対応するブロックあるいはデータが、図３４及び図３５と共通の符号が付されて示されていて、それらについての重複説明は省略される。
【０２４１】
図３８及び図３９に示される例も、カメラ部６０と信号記録再生部６１との間における、Ｄ−Ｃｉｎｅｍａ信号を形成するディジタルデータとディジタルリターン映像信号を形成するディジタルデータとの双方向伝送を行うものとされていて、カメラ部６０からは、データＤＶＸＸが送出されて、それがデータ処理部６２に供給される。そして、データＤＶＸＸは、図５２に示される表図において、データＤＣ１２，ＤＣ１４，ＤＣ１６，ＤＤ１０及びＤＤ１２のいずれかとして示されるＤ−Ｃｉｎｅｍａ信号を成すパラレルデータとされる。斯かるもとにおけるＤ−Ｃｉｎｅｍａ信号は、フレームレートを５０Ｈｚもしくは６０Ｈｚとし、サンプリング周波数が１４８．５ＭＨｚ，各ラインにおける有効データサンプル数が１９２０サンプル，各フレームにおける有効ライン数が１０８０ラインに設定され、量子化ビット数を１０ビット，１２ビット，１４ビットもしくは１６ビットとする、４：２：２形式もしくは４：４：４形式のディジタル映像信号である。
【０２４２】
斯かる図３８及び図３９に示される例にあっては、Ｅ／Ｏ変換部１６１から得られる中心波長を略１．５１１μｍとする光信号ＯＡ１と、Ｅ／Ｏ変換部１６２から得られる中心波長を略１．５３１μｍとする光信号ＯＡ２と、Ｅ／Ｏ変換部１６３から得られる中心波長を略１．５５１μｍとする光信号ＯＢ１とが、合波部１８７に導かれる。
【０２４３】
合波部１８７は、中心波長を略１．５１１μｍとする光信号ＯＡ１と中心波長を略１．５３１μｍとする光信号ＯＡ２と中心波長を略１．５５１μｍとする光信号ＯＢ１とを合波して多重化し、多重光信号ＯＺＺ’を形成して、それを伝送信号として送出する。
【０２４４】
このようにして、合波部１８７において多重化される光信号ＯＡ１，ＯＡ２及びＯＢ１は、それらの中心波長が略０．０２０μｍずつ隔たっているにすぎない、相互に極めて近接した波長を有するもとで多重化されて、多重光信号ＯＺＺ’を形成するものとされており、Ｅ／Ｏ変換部１６１〜１６３と合波部１８７とを含む部分においては、Coase Wavelength Division Multiplexing（CWDM) と称される波長多重技術が用いられる。
【０２４５】
合波部１８７から送出される伝送信号である多重光信号ＯＺＺ’は、光コネクタ１８８を通じて光信号伝送ケーブル１８９にその一端側から送出される。光信号伝送ケーブル１８９は、例えば、石英系ＳＭＦによって形成されたものとされる。
【０２４６】
また、図３８及び図３９に示される例にあっては、Ｐ／Ｓ変換部８５から得られるビット伝送レートを１．４８５ＧｂｐｓとするシリアルデータＤＳＢ２が、Ｅ／Ｏ変換部１９０に供給される。Ｅ／Ｏ変換部１９０は、シリアルデータＤＳＢ２に電光変換処理を施し、シリアルデータＤＳＢ２に基づく、中心波長を、例えば、略１．５５μｍとする光信号ＯＢ２’をビット伝送レートを１．４８５Ｇｂｐｓとするものとして形成し、それを双方向性ＷＤＭカップラ１９１へと導く。
【０２４７】
双方向性ＷＤＭカップラ１９１は、一端部側に二つの入出力端が設けられるとともに他端部側に一つの入出力端が設けられて構成される。そして、Ｅ／Ｏ変換部１９０から得られる中心波長を略１．５５μｍとする光信号ＯＢ２’が、双方向性ＷＤＭカップラ１９１において、その一端部側の二つの入出力端のうちの一方を通じて導入され、その他端部側の一つの入出力端から導出される。
【０２４８】
双方向性ＷＤＭカップラ１９１から導出される光信号ＯＢ２’は、光コネクタ１９２を通じて光信号伝送ケーブル１９３にその一端側から送出される。光信号伝送ケーブル１９３は、例えば、石英系ＳＭＦによって形成されたものとされる。
【０２４９】
光信号伝送ケーブル１８９の他端側には、それと分波部１９５とを連結する光コネクタ１９４が設けられている。それにより、光コネクタ１８８を通じて光信号伝送ケーブル１８９にその一端側から送出された多重光信号ＯＺＺ’は、光信号伝送ケーブル１８９の一端側から他端側へと伝送され、その他端側から光コネクタ１９４を通じて分波部１９５へと導かれる。
【０２５０】
分波部１９５にあっては、多重光信号ＯＺＺ’を、中心波長を略１．５１１μｍとする成分と中心波長を略１．５３１μｍとする成分と中心波長を略１．５５１μｍとする成分とに分波して、ビット伝送レートを１．４８５Ｇｂｐｓとし、中心波長を略１．５１１μｍとする光信号ＯＡ１と、ビット伝送レートを１．４８５Ｇｂｐｓとし、中心波長を略１．５３１μｍとする光信号ＯＡ２と、ビット伝送レートを１．４８５Ｇｂｐｓとし、中心波長を略１．５５１μｍとする光信号ＯＢ１とを再生する。分波部１９５により再生された光信号ＯＡ１，ＯＡ２及びＯＢ１は、夫々、Ｏ／Ｅ変換部１７０，１７１及び１７２へと導かれる。
【０２５１】
また、光信号伝送ケーブル１９３の他端側には、それと双方向性ＷＤＭカップラ１９７とを連結する光コネクタ１９６が設けられている。それにより、光コネクタ１９２を通じて光信号伝送ケーブル１９３にその一端側から送出された多重光信号ＯＢ２’は、光信号伝送ケーブル１９３の一端側から他端側へと伝送され、その他端側から光コネクタ１９６を通じて双方向性ＷＤＭカップラ１９７へと導かれる。
【０２５２】
双方向性ＷＤＭカップラ１９７は、一端部側に二つの入出力端が設けられるとともに他端部側に一つの入出力端が設けられて構成される。そして、光コネクタ１９６を通じた光信号ＯＢ２’が、双方向性ＷＤＭカップラ１９７において、その他端部側の一つの入出力端を通じて導入され、その一端部側の二つの入出力端のうちの一方に導出される。
【０２５３】
双方向性ＷＤＭカップラ１９７から導出される、中心波長を略１．５５μｍとし、ビット伝送レートを１．４８５Ｇｂｐｓとする光信号ＯＢ２’は、Ｏ／Ｅ変換部１９８に導かれる。Ｏ／Ｅ変換部１９８にあっては、中心波長を略１．５５μｍとする光信号ＯＢ２’に光電変換処理を施して、光信号ＯＢ２’に基づくビット伝送レートを１．４８５ＧｂｐｓとするシリアルデータＤＳＢ２を再生する。そして、再生されたシリアルデータＤＳＢ２は、Ｓ／Ｐ変換部９７に供給される。
【０２５４】
また、Ｏ／Ｅ変換部１２７から導出される、中心波長を略１．３μｍとし、ビット伝送レートを１．４８５Ｇｂｐｓとする光信号ＯＳＭは、双方向性ＷＤＭカップラ１９７において、その一端部側の二つの入出力端のうちの他方を通じて導入され、その他端部側の一つの入出力端に導出される。双方向性ＷＤＭカップラ１９７から導出される光信号ＯＳＭは、光コネクタ１９６を通じて光信号伝送ケーブル１９３にその他端側から送出される。
【０２５５】
光コネクタ１９６を通じて光信号伝送ケーブル１９３にその他端側から送出された光信号ＯＳＭは、光信号伝送ケーブル１９３の他端側から一端側へと伝送され、その一端側から光コネクタ１９２を通じて双方向性ＷＤＭカップラ１９１へと導かれる。双方向性ＷＤＭカップラ１９１においては、光信号ＯＳＭが、その他端部側の一つの入出力端から導入されて、その一端部側の二つの入出力端のうちの他方に導出される。そして、双方向性ＷＤＭカップラ１９１から導出される光信号ＯＳＭは、Ｏ／Ｅ変換部１２８に導かれる。
【０２５６】
その他については、図３４及び図３５に示される例の場合と同様である。
【０２５７】
上述の如くの図３８及び図３９に示される例にあっては、カメラ部６０から得られるデータＤＶＸＸが、図５２に示されるデータＤＣ１２，ＤＣ１４，ＤＣ１６，ＤＤ１０及びＤＤ１２のうちのいずれかとされるもとで、多重光信号ＯＺＺ’及び光信号ＯＢ２’に変換され、カメラ部６０側から光信号伝送ケーブル１８９及び１９３を通じて信号記録再生部６１側に伝送されるとともに、信号記録再生部６１から送出されるリターン映像信号を成すディジタルデータＤＰＭが、光信号ＯＳＭに変換され、信号記録再生部６１側から光信号伝送ケーブル１９３を通じてカメラ部６０側に伝送されて、光信号伝送ケーブル１８９及び１９３の夫々の一端側及び他端側との間において、多重光信号ＯＺＺ’及び光信号ＯＢ２’と光信号ＯＳＭとについての双方向伝送が、夫々の減衰が最小限に抑えられるもとで行われる。
【０２５８】
また、カメラ部６０から得られるデータＤＶＸＸの光信号ＯＺＺ’及びＯＢ２’への変換、及び、リターン映像信号を成すディジタルデータＤＰＭの光信号ＯＳＭへの変換は、例えば、ディジタル映像信号の HD SDI に従ったシリアル伝送に用いられる現存する回路構成要素を利用して行うことができることになる。
【０２５９】
図４０及び図４１は、本願の特許請求の範囲における請求項４３から請求項４８までのいずれかに記載された発明に係るデータ伝送方法の例が実施される、本願の特許請求の範囲における請求項６６または請求項６７に記載された発明に係るデータ伝送装置の例を示す。
【０２６０】
図４０及び図４１に示される例においては、カメラ部２５０と信号記録再生部２５１との間における、７２０Ｐ信号を形成するディジタルデータ及び付加情報データ系列であるＫｅｙ信号データ系列とリターン映像信号を成すディジタルデータとの双方向伝送を行うものとされている。カメラ部２５０から７２０Ｐ信号を成すデータＤＶＸＹが送出されて、それがデータ処理部２５２に供給される。
【０２６１】
データＤＶＸＹは、図５３に示される表図において、データＤＶＡ１２＋ＤＫＡ１２，ＤＶＡ１４＋ＤＫＡ１４，データＤＶＡ１６＋ＤＫＡ１６及びデータＤＶＢ１２＋ＤＫＢ１２のいずれかとして示される７２０Ｐ信号とＫｅｙ信号とを成すパラレルデータとされる。斯かるもとにおける７２０Ｐ信号は、フレームレートを６０Ｈｚとし、サンプリング周波数が７４．２５ＭＨｚ，各ラインにおける有効データサンプル数が１２８０サンプル，各フレームにおける有効ライン数が７２０ラインに設定され、量子化ビット数を１２ビット，１４ビットもしくは１６ビットとする、４：２：２形式もしくは４：４：４形式のディジタル映像信号である。また、ここでのＫｅｙ信号は、７２０Ｐ信号を成すディジタルデータに含まれるＹデータ系列もしくはＧデータ系列と同等のフォーマットを有した１２ビット，１４ビットもしくは１６ビットワード列データにより形成される信号である。
【０２６２】
データＤＶＸＹが、図５３に示される、量子化ビット数を１２ビットとする４：２：２形式の７２０Ｐ信号とＫｅｙ信号とを成すデータＤＶＡ１２＋ＤＫＡ１２である場合には、データＤＶＡ１２＋ＤＫＡ１２は、図４２に示される如くに、４：２：２形式の７２０Ｐ信号を成し、各々が量子化ビット数を１２ビットとしてワード伝送レートを７４．２５ＭＢｐｓとするＹデータ系列及びＰB ／ＰR データ系列（ＤＶＡ１２）と、Ｙデータ系列と同等のデータフォーマットを有し、量子化ビット数を１２ビットとしてワード伝送レートを７４．２５ＭＢｐｓとするＫｅｙ信号データ系列（ＤＫＡ１２）とが、フレーム同期及びライン同期がとられたもとでパラレル多重されて得られるパラレルデータである、ワード伝送レートを７４．２５ＭＢｐｓとする３６ビットワード列データとして、データ処理部２５２に供給される。
【０２６３】
データ処理部２５２にあっては、図４２に示される如くにして供給されるデータＤＶＡ１２＋ＤＫＡ１２に対して、次の処理を施す。
【０２６４】
先ず、図４２に示される如くの、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１，Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０２６５】
そして、分割された上位１０ビットの列：Ｙ０；２−１１，Ｙ１；２−１１，Ｙ２；２−１１，Ｙ３；２−１１，・・・・・と、分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａを、リンクＡとして、図４３のＡに示される如くに形成する。
【０２６６】
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット [Ｙ０；０−１] ＋ｃ０， [Ｙ１；０−１] ＋ｃ１， [Ｙ２；０−１] ＋ｃ２， [Ｙ３；０−１] ＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ２；２−１，・・・・・に、８ビットの補助ビットｄ０，ｄ１，ｄ２，ｄ３，・・・・・を夫々加えて、１０ビット [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とする。そして、１０ビットの列： [Ｙ０；０−１] ＋ｃ０， [Ｙ１；０−１] ＋ｃ１， [Ｙ２；０−１] ＋ｃ２， [Ｙ３；０−１] ＋ｃ３，・・・・・と、１０ビットの列： [Ｐｂ０；０−１] ＋ｄ０， [Ｐｒ０；０−１] ＋ｄ１， [Ｐｂ１；０−１] ＋ｄ２， [Ｐｒ１；０−１] ＋ｄ３， [Ｐｂ２；０−１] ＋ｄ４， [Ｐｒ２；０−１] ＋ｄ５，・・・・・とをパラレル多重して、ワード伝送レートを７４．２５ＭＢｐｓとする２０ビットワード列データＤＶＣ１２Ｂを、リンクＢとして、図４３のＢに示される如くに形成する。
【０２６７】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と、１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ｃを、リンクＣとして、図４３のＣに示される如くに形成する。
【０２６８】
即ち、ワード伝送レートを７４．２５ＭＢｐｓとする３６ビットワード列データを形成するデータＤＶＡ１２＋ＤＫＡ１２を、図４３に示される如くの各々がワード伝送レートを７４．２５ＭＢｐｓとする２０ビットワード列データＤＶＣ１２Ａ，ＤＶＣ１２Ｂ及びＤＶＣ１２Ｃの３系統のワード列データに変換するのである。
【０２６９】
また、データ処理部２５２にあっては、図４２に示される如くにして供給されるデータＤＶＡ１２＋ＤＫＡ１２に対し、上述の処理に代えた別の処理として、次の処理を施す。
【０２７０】
先ず、図４２に示される如くの、Ｙデータ系列を構成する１２ビットワードＹＤ０，ＹＤ１，ＹＤ２，ＹＤ３，・・・・・，ＰB ／ＰR データ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
【０２７１】
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａを、リンクＡとして、図４４のＡに示される如くに形成する。
【０２７２】
また、分割された下位２ビットＹ０；０−１とＰｂ０；０−１とＰｒ０；０−１とをビット多重するとともに４ビットの補助ビットｄ０を加えて得られる１０ビット [Ｙ０ＢＲ０；０−１] ＋ｄ０，分割された下位２ビットＹ１；０−１に８ビットの補助ビットｅ０を加えて得られる１０ビット [Ｙ１；０−１] ＋ｅ０，分割された下位２ビットＹ２；０−１とＰｂ１；０−１とＰｒ１；０−１とをビット多重するとともに４ビットの補助ビットｄ１を加えて得られる１０ビット [Ｙ２ＢＲ１；０−１] ＋ｄ１，分割された下位２ビットＹ３；０−１に８ビットの補助ビットｅ１を加えて得られる１０ビット [Ｙ３；０−１] ＋ｅ１，分割された下位２ビットＹ４；０−１とＰｂ２；０−１とＰｒ２；０−１とをビット多重するとともに４ビットの補助ビットｄ２を加えて得られる１０ビット [Ｙ４ＢＲ２；０−１] ＋ｄ２，分割された下位２ビットＹ５；０−１に８ビットの補助ビットｅ２を加えて得られる１０ビット [Ｙ５；０−１] ＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＣ１２Ｂを、リンクＢとして、図４４のＢに示される如くに形成する。
【０２７３】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と、１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＣ１２Ｃを、リンクＣとして、図４４のＣに示される如くに形成する。
【０２７４】
即ち、斯かる場合にも、ワード伝送レートを７４．２５ＭＢｐｓとする３６ビットワード列データを形成するデータＤＶＡ１２＋ＤＫＡ１２を、図４４に示される如くの各々がワード伝送レートを７４．２５ＭＢｐｓとする２０ビットワード列データＤＶＣ１２Ａ，ＤＶＣ１２Ｂ及びＤＶＣ１２Ｃの３系統のワード列データに変換するのである。
【０２７５】
データＤＶＸＹが、図５３に示される、量子化ビット数を１４ビットとする４：２：２形式の７２０Ｐ信号とＫｅｙ信号とを成すデータＤＶＡ１４＋ＤＫＡ１４、もしくは、量子化ビット数を１６ビットとする４：２：２形式の７２０Ｐ信号とＫｅｙ信号とを成すデータＤＶＡ１６＋ＤＫＡ１６である場合には、データＤＶＡ１４＋ＤＫＡ１４もしくはＤＶＡ１６＋ＤＫＡ１６は、４：２：２形式の７２０Ｐ信号を成し、各々が量子化ビット数を１４ビットもしくは１６ビットとしてワード伝送レートを７４．２５ＭＢｐｓとするＹデータ系列及びＰB ／ＰR データ系列（ＤＶＡ１４もしくはＤＶＡ１６）と、Ｙデータ系列と同等のデータフォーマットを有し、量子化ビット数を１４ビットもしくは１６ビットとしてワード伝送レートを７４．２５ＭＢｐｓとするＫｅｙ信号データ系列（ＤＫＡ１４もしくはＤＫＡ１６）とが、フレーム同期及びライン同期がとられたもとでパラレル多重されて得られるパラレルデータである、ワード伝送レートを７４．２５ＭＢｐｓとする４２ビットワード列データもしくは４８ビットワード列データとして、データ処理部２５２に供給される。
【０２７６】
斯かる際にも、データ処理部２５２は、データＤＶＡ１４＋ＤＫＡ１４もしくはＤＶＡ１６＋ＤＫＡ１６に対して、データＤＶＡ１２＋ＤＫＡ１２に対する場合と同様な処理を施す。但し、Ｙデータ系列，ＰB ／ＰR データ系列及びＫｅｙ信号データ系列を構成する１２ビットワードの夫々を、上位１０ビットと下位２ビットとに分割する動作に代えて、Ｙデータ系列，ＰB ／ＰR データ系列及びＫｅｙ信号データ系列を構成する１４ビットワードの夫々を、上位１０ビットと下位４ビットとに分割する動作、もしくは、Ｙデータ系列，ＰB ／ＰR データ系列及びＫｅｙ信号データ系列を構成する１６ビットワードの夫々を、上位１０ビットと下位６ビットとに分割する動作を行う。
【０２７７】
そして、ワード伝送レートを７４．２５ＭＢｐｓとする４２ビットワード列データもしくは４８ビットワード列データを形成するデータＤＶＡ１４＋ＤＫＡ１４もしくはＤＶＡ１６＋ＤＫＡ１６を、各々がワード伝送レートを７４．２５ＭＢｐｓとする２０ビットワード列データＤＶＣ１４ＡもしくはＤＶＣ１６Ａ，ＤＶＣ１４ＢもしくはＤＶＣ１６Ｂ、及び、ＤＶＣ１４ＣもしくはＤＶＣ１６Ｃの３系統のワード列データに変換する。
【０２７８】
データＤＶＸＹが、図５３に示される、量子化ビット数を１２ビットとする４：４：４形式の７２０Ｐ信号とＫｅｙ信号とを成すデータＤＶＢ１２＋ＤＫＢ１２である場合には、データＤＶＢ１２＋ＤＫＢ１２は、図４５に示される如くに、４：４：４形式の７２０Ｐ信号を成し、各々が量子化ビット数を１２ビットとしてワード伝送レートを７４．２５ＭＢｐｓとするＧデータ系列，Ｂデータ系列及びＲデータ系列（ＤＶＢ１２）と、Ｇデータ系列と同等のデータフォーマットを有し、量子化ビット数を１２ビットとしてワード伝送レートを７４．２５ＭＢｐｓとするＫｅｙ信号データ系列（ＤＫＢ１２）とが、フレーム同期及びライン同期がとられたもとでパラレル多重されて得られるパラレルデータである、ワード伝送レートを７４．２５ＭＢｐｓとする４８ビットワード列データとして、データ処理部２５２に供給される。
【０２７９】
データ処理部２５２にあっては、図４５に示される如くにして供給されるデータＤＶＢ１２＋ＤＫＢ１２に対して次の処理を施す。
【０２８０】
先ず、図４５に示される如くの、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
【０２８１】
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット [ＧＢＲ０：０−１] ＋ｆ０，Ｇ１；０−１とＢ１；０−１とＲ１；０−１とをビット多重するとともに４ビットの補助ビットｆ１を加えて得られる１０ビット [ＧＢＲ１：０−１] ＋ｆ１，Ｇ２；０−１とＢ２；０−１とＲ２；０−１とをビット多重するとともに４ビットの補助ビットｆ２を加えて得られる１０ビット [ＧＢＲ２：０−１] ＋ｆ２，Ｇ３；０−１とＢ３；０−１とＲ３；０−１とをビット多重するとともに４ビットの補助ビットｆ３を加えて得られる１０ビット [ＧＢＲ３：０−１] ＋ｆ３，・・・・・を形成する。
【０２８２】
続いて、図４６に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを、図４６において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列： [ＧＢＲ０：０−１] ＋ｆ０， [ＧＢＲ１：０−１] ＋ｆ１， [ＧＢＲ２：０−１] ＋ｆ２， [ＧＢＲ３：０−１] ＋ｆ３，・・・・・とを含む１０ビットワードグループ２とに振り分ける。
【０２８３】
そして、図４６に示される１０ビットワードグループ１に基づく、ワード伝送レートを７４．２５ＭＢｐｓとする２０ビットワード列データＤＶＤ１２Ａを、リンクＡとして、図４７のＡに示される如くに形成するとともに、図４６に示される１０ビットワードグループ２に基づく、ワード伝送レートを７４．２５ＭＢｐｓとする２０ビットワード列データＤＶＤ１２Ｂを、リンクＢとして、図４７のＢに示される如くに形成する。
【０２８４】
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット [Ａ０；０−１] ＋ｅ０， [Ａ１；０−１] ＋ｅ１， [Ａ２；０−１] ＋ｅ２， [Ａ３；０−１] ＋ｅ３，・・・・・とし、分割された上位１０ビットの列：Ａ０；２−１１，Ａ１；２−１１，Ａ２；２−１１，Ａ３；２−１１，・・・・・と、１０ビットの列： [Ａ０；０−１] ＋ｅ０， [Ａ１；０−１] ＋ｅ１， [Ａ２；０−１] ＋ｅ２， [Ａ３；０−１] ＋ｅ３，・・・・・とをパラレル多重して、ワード伝送レートを７４．２５ＭＢｐｓとする２０ビットワード列データＤＶＤ１２Ｃを、リンクＣとして、図４７のＣに示される如くに形成する。
【０２８５】
即ち、ワード伝送レートを７４．２５ＭＢｐｓとする４８ビットワード列データを形成するデータＤＶＢ１２＋ＤＫＢ１２を、各々がワード伝送レートを７４．２５ＭＢｐｓとする２０ビットワード列データＤＶＤ１２Ａ，ＤＶＤ１２Ｂ及びＤＶＤ１２Ｃの３系統のワード列データに変換するのである。
【０２８６】
データ処理部２５２は、上述の如くにして得たワード伝送レートを７４．２５ＭＢｐｓとする２０ビットワード列データＤＶＣ１２Ａ，ＤＶＣ１２Ｂ及びＤＶＣ１２Ｃの組，ＤＶＣ１４Ａ，ＤＶＣ１４Ｂ及びＤＶＣ１４Ｃの組，ＤＶＣ１６Ａ，ＤＶＣ１６Ｂ及びＤＶＣ１６Ｃの組、及び、ＤＶＤ１２Ａ，ＤＶＤ１２Ｂ及びＤＶＤ１２Ｃの組のいずれかを、２０ビットワード列データＤＰＡ（２０），ＤＰＢ（２０）及びＤＰＣ（２０）の組として導出する。
【０２８７】
データ処理部２５２から導出されるワード伝送レートを７４．２５ＭＢｐｓとする２０ビットワード列データＤＰＡ（２０）は、Ｐ／Ｓ変換部２５３に供給される。Ｐ／Ｓ変換部２５３にあっては、２０ビットワード列データＤＰＡ（２０）にＰ／Ｓ変換を施して、２０ビットワード列データＤＰＡ（２０）に基づくビット伝送レートを７４．２５ＭＢｐｓ×２０＝１．４８５ＧｂｐｓとするシリアルデータＤＳＡを形成し、そのシリアルデータＤＳＡをビット多重部２５４に供給する。
【０２８８】
一方、データ処理部２５２から導出されるワード伝送レートを７４．２５ＭＢｐｓとする２０ビットワード列データＤＰＢ（２０）は、Ｐ／Ｓ変換部２５５に供給される。Ｐ／Ｓ変換部２５５にあっては、２０ビットワード列データＤＰＢ（２０）にＰ／Ｓ変換を施して、２０ビットワード列データＤＰＢ（２０）に基づくビット伝送レートを７４．２５ＭＢｐｓ×２０＝１．４８５ＧｂｐｓとするシリアルデータＤＳＢを形成し、そのシリアルデータＤＳＢをビット多重部２５４に供給する。
【０２８９】
ビット多重部２５４は、例えば、２ビットマルチプレクサが用いられて構成され、Ｐ／Ｓ変換部２５３からのシリアルデータＤＳＡ及びＰ／Ｓ変換部２５５からのシリアルデータＤＳＢの夫々から１ビット宛を交互に取り出す動作を行い、シリアルデータＤＳＡ及びＤＳＢにビット多重合成処理を施して、ビット伝送レートを１．４８５Ｇｂｐｓ×２＝２．９７Ｇｂｐｓとする複合シリアルデータＤＳＺを形成する。このようにして、ビット多重部２５４から得られる複合シリアルデータＤＳＺは、Ｅ／Ｏ変換部２５６に供給される。Ｅ／Ｏ変換部２５６は、複合シリアルデータＤＳＺに電光変換処理を施して、ビット伝送レートを２．９７Ｇｂｐｓとし、例えば、略１．５５μｍとされる中心波長を有した光信号ＯＺを形成する。
【０２９０】
Ｅ／Ｏ変換部２５６から得られる、ビット伝送レートを２．９７Ｇｂｐｓとし、中心波長を略１．５５μｍとする光信号ＯＺは、双方向性ＷＤＭカップラ２５７に供給される。双方向性ＷＤＭカップラ２５７は、一端部側に二つの入出力端が設けられるとともに他端部側に一つの入出力端が設けられたものとされる。
【０２９１】
双方向性ＷＤＭカップラ２５７にあっては、Ｅ／Ｏ変換部２５６からの光信号ＯＺが、一端部側の二つの入出力端の一方から導入されて、他端部側の一つの入出力端に導出される。双方向性ＷＤＭカップラ２５７から導出される光信号ＯＺは、光コネクタ２５８へと導かれる。
【０２９２】
光コネクタ２５８は、双方向性ＷＤＭカップラ２５７と光信号伝送ケーブル２５９の一端側とを連結している。それにより、双方向性ＷＤＭカップラ２５７からの光信号ＯＺは、光コネクタ２５８を通じて光信号伝送ケーブル２５９にその一端側から送出される。光信号伝送ケーブル２５９は、例えば、石英系ＳＭＦによって形成されたものとされる。
【０２９３】
また、データ処理部２５２から送出されるワード伝送レートを７４．２５ＭＢｐｓとする２０ビットワード列データＤＰＣ（２０）は、Ｐ／Ｓ変換部２６０に供給される。Ｐ／Ｓ変換部２６０にあっては、２０ビットワード列データＤＰＣ（２０）にＰ／Ｓ変換を施して、２０ビットワード列データＤＰＣ（２０）に基づくビット伝送レートを７４．２５ＭＢｐｓ×２０＝１．４８５ＧｂｐｓとするシリアルデータＤＳＣを形成し、そのシリアルデータＤＳＣをＥ／Ｏ変換部２６１に供給する。
【０２９４】
Ｅ／Ｏ変換部２６１は、シリアルデータＤＳＣに電光変換処理を施して、ビット伝送レートを１．４８５Ｇｂｐｓとし、例えば、略１．５５μｍとされる中心波長を有した光信号ＯＺＣを形成する。Ｅ／Ｏ変換部２６１から得られる、ビット伝送レートを１．４８５Ｇｂｐｓとし、中心波長を略１．５５μｍとする光信号ＯＺＣは、双方向性ＷＤＭカップラ２６２に供給される。双方向性ＷＤＭカップラ２６２も、一端部側に二つの入出力端が設けられるとともに他端部側に一つの入出力端が設けられたものとされる。
【０２９５】
双方向性ＷＤＭカップラ２６２にあっては、Ｅ／Ｏ変換部２６１からの光信号ＯＺＣが、一端部側の二つの入出力端のうちの一方から導入されて、他端部側の一つの入出力端に導出される。双方向性ＷＤＭカップラ２６２から導出される光信号ＯＺＣは、光コネクタ２６３へと導かれる。
【０２９６】
光コネクタ２６３は、双方向性ＷＤＭカップラ２６２と光信号伝送ケーブル２６４の一端側とを連結している。それにより、双方向性ＷＤＭカップラ２６２からの光信号ＯＺＣは、光コネクタ２６３を通じて光信号伝送ケーブル２６４にその一端側から送出される。光信号伝送ケーブル２６４は、例えば、石英系ＳＭＦによって形成されたものとされる。
【０２９７】
光信号伝送ケーブル２５９の他端側には、それと双方向性ＷＤＭカップラ２６６とを連結する光コネクタ２６５が設けられている。それにより、光コネクタ２５８を通じて光信号伝送ケーブル２５９にその一端側から送出された光信号ＯＺは、光信号伝送ケーブル２５９の一端側から他端側へと伝送され、その他端側から光コネクタ２６５を通じて双方向性ＷＤＭカップラ２６６へと導かれる。
【０２９８】
双方向性ＷＤＭカップラ２６６も、一端部側に二つの入出力端が設けられるとともに他端部側に一つの入出力端が設けられたものとされる。そして、双方向性ＷＤＭカップラ２６６にあっては、光コネクタ２６５を通じた光信号ＯＺが、他端部側の一つの入出力端から導入されて、一端部側の二つの入出力端のうちの一方に導出される。双方向性ＷＤＭカップラ２６６から導出される光信号ＯＺは、Ｏ／Ｅ変換部２６７へと導かれる。
【０２９９】
Ｏ／Ｅ変換部２６７にあっては、ビット伝送レートを２．９７Ｇｂｐｓとし、中心波長を略１．５５μｍとする光信号ＯＺに光電変換処理を施して、光信号ＯＺに基づく、ビット伝送レートを２．９７Ｇｂｐｓとする複合シリアルデータＤＳＺを再生する。そして、再生された複合シリアルデータＤＳＺは、ビット分離部２６８に供給される。
【０３００】
ビット分離部２６８は、例えば、２ビットデマルチプレクサが用いられて構成され、Ｏ／Ｅ変換部２６７からの複合シリアルデータＤＳＺから１ビット宛を順次取り出して交互に配分し、各々がビット伝送レートを２．９７Ｇｂｐｓ／２＝１．４８５ＧｂｐｓとするシリアルデータＤＳＡ及びＤＳＢを個別に形成する。このようにして、ビット分離部２６８から得られるシリアルデータＤＳＡ及びＤＳＢは、Ｓ／Ｐ変換部２６９及び２７０に夫々供給される。
【０３０１】
Ｓ／Ｐ変換部２６９にあっては、ビット伝送レートを１．４８５ＧｂｐｓとするシリアルデータＤＳＡに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＡ（２０）を再生する。また、Ｓ／Ｐ変換部２７０にあっては、ビット伝送レートを１．４８５ＧｂｐｓとするシリアルデータＤＳＢに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＢ（２０）を再生する。
【０３０２】
Ｓ／Ｐ変換部２６９及び２７０により夫々再生された２０ビットワード列データＤＰＡ（２０）及びＤＰＢ（２０）は、データ再生処理部２７１に供給される。
【０３０３】
また、光信号伝送ケーブル２６４の他端側には、それと双方向性ＷＤＭカップラ２７３とを連結する光コネクタ２７２が設けられている。それにより、光コネクタ２６３を通じて光信号伝送ケーブル２６４にその一端側から送出された光信号ＯＺＣは、光信号伝送ケーブル２６４の一端側から他端側へと伝送され、その他端側から光コネクタ２７２を通じて双方向性ＷＤＭカップラ２７３へと導かれる。
【０３０４】
双方向性ＷＤＭカップラ２７３も、一端部側に二つの入出力端が設けられるとともに他端部側に一つの入出力端が設けられたものとされる。そして、双方向性ＷＤＭカップラ２７３にあっては、光コネクタ２７２を通じた光信号ＯＺＣが、他端部側の一つの入出力端から導入され、一端部側の二つの入出力端のうちの一方に導出される。双方向性ＷＤＭカップラ２７３から導出される光信号ＯＺＣは、Ｏ／Ｅ変換部２７４へと導かれる。
【０３０５】
Ｏ／Ｅ変換部２７４にあっては、ビット伝送レートを１．４８５Ｇｂｐｓとし、中心波長を略１．５５μｍとする光信号ＯＺＣに光電変換処理を施して、光信号ＯＺＣに基づく、ビット伝送レートを１．４８５ＧｂｐｓとするシリアルデータＤＳＣを再生する。そして、再生されたシリアルデータＤＳＣは、Ｓ／Ｐ変換部２７５に供給される。
【０３０６】
Ｓ／Ｐ変換部２７５にあっては、ビット伝送レートを１．４８５ＧｂｐｓとするシリアルデータＤＳＣに、２０ビットパラレルデータを形成するＳ／Ｐ変換を施して、ワード伝送レートを１．４８５Ｇｂｐｓ／２０＝７４．２５ＭＢｐｓとする２０ビットワード列データＤＰＣ（２０）を再生する。そして、Ｓ／Ｐ変換部２７５により再生された２０ビットワード列データＤＰＣ（２０）は、データ再生処理部２７１に供給される。
【０３０７】
データ再生処理部２７１にあっては、２０ビットワード列データＤＰＡ（２０），ＤＰＢ（２０）及びＤＰＣ（２０）に対して、データ処理部２５２においてデータＤＶＸＹに施されるデータ処理とは逆のデータ処理を施し、それにより、２０ビットワード列データＤＰＡ（２０），ＤＰＢ（２０）及びＤＰＣ（２０）に基づくデータＤＶＸＹを再生して、それを信号記録再生部２５１に供給する。このようにして再生されるデータＤＶＸＹは、図５３に示されるデータＤＶＡ１２＋ＤＫＡ１２，ＤＶＡ１４＋ＤＫＡ１４，ＤＶＡ１６＋ＤＫＡ１６及びＤＶＢ１２＋ＤＫＢ１２のうちのいずれかとされる。そして、信号記録再生部２５１にあっては、例えば、内蔵するＶＴＲによるデータＤＶＸＹの記録が行われる。
【０３０８】
信号記録再生部２５１には、リターン映像信号形成部も備えられており、このリターン映像信号形成部は、例えば、各々がワード伝送レートを７４．２５ＭＢｐｓとする２０ビットワード列データである、リターン映像信号を成すディジタルデータＤＰＭ１及びＤＰＭ２を送出する。
【０３０９】
信号記録再生部２５１から得られるディジタルデータＤＰＭ１は、Ｐ／Ｓ変換部２８０に供給される。Ｐ／Ｓ変換部２８０にあっては、ディジタルデータＤＰＭ１にＰ／Ｓ変換を施し、ビット伝送レートを７４．２５ＭＢｐｓ×２０＝１．４８５ＧｂｐｓとするシリアルデータＤＳＭ１を形成して、それをＥ／Ｏ変換部２８１に供給する。Ｅ／Ｏ変換部２８１は、シリアルデータＤＳＭ１に電光変換処理を施して、シリアルデータＤＳＭ１に基づく、中心波長を、例えば、略１．３μｍとする光信号ＯＳＭ１を、ビット伝送レートを１．４８５Ｇｂｐｓとするもとで送出する。この光信号ＯＳＭ１は、双方向性ＷＤＭカップラ２６６に供給される。
【０３１０】
双方向性ＷＤＭカップラ２６６にあっては、Ｅ／Ｏ変換部２８１からの、ビット伝送レートを数１．４８５Ｇｂｐｓとし、中心波長を略１．３μｍとする光信号ＯＳＭ１が、一端部側の二つの入出力端のうちの他方から導入され、他端部側の一つの入出力端に導出される。双方向性ＷＤＭカップラ２６６から導出される光信号ＯＳＭ１は、光コネクタ２６５を通じて、光信号伝送ケーブル２５９にその他端側から送出され、光信号伝送ケーブル２５９の他端側から一端側へと伝送されて、その一端側から光コネクタ２５８を通じて双方向性ＷＤＭカップラ２５７へと導かれる。
【０３１１】
双方向性ＷＤＭカップラ２５７にあっては、光コネクタ２５８を通じた光信号ＯＳＭ１が、他端部側の一つの入出力端から導入されて、一端部側の二つの入出力端のうちの他方に導出される。双方向性ＷＤＭカップラ２５７から導出される光信号ＯＳＭ１は、Ｏ／Ｅ変換部２８２へと導かれる。
【０３１２】
Ｏ／Ｅ変換部２８２にあっては、ビット伝送レートを１．４８５Ｇｂｐｓとし、中心波長を略１．３μｍとする光信号ＯＳＭ１に光電変換処理を施して、光信号ＯＳＭ１に基づく、ビット伝送レートを１．４８５ＧｂｐｓとするシリアルデータＤＳＭ１を再生する。そして、再生されたシリアルデータＤＳＭ１は、Ｓ／Ｐ変換部２８３に供給される。
【０３１３】
Ｓ／Ｐ変換部２８３にあっては、ビット伝送レートを１．４８５ＧｂｐｓとするシリアルデータＤＳＭ１に、２０ビットパラレルデータを得るＳ／Ｐ変換処理を施し、シリアルデータＤＳＭ１に基づく、ワード伝送レートを１．４８５Ｇｂｐｓ／２０＝７４．２５ＭＢｐｓとする、ディジタルデータＤＰＭ１を再生して、それをカメラ部２５０に供給する。
【０３１４】
また、信号記録再生部２５１から得られるディジタルデータＤＰＭ２は、Ｐ／Ｓ変換部２８５に供給される。Ｐ／Ｓ変換部２８５にあっては、ディジタルデータＤＰＭ２にＰ／Ｓ変換を施し、ビット伝送レートを７４．２５ＭＢｐｓ×２０＝１．４８５ＧｂｐｓとするシリアルデータＤＳＭ２を形成して、それをＥ／Ｏ変換部２８６に供給する。Ｅ／Ｏ変換部２８６は、シリアルデータＤＳＭ２に電光変換処理を施して、シリアルデータＤＳＭ２に基づく、中心波長を、例えば、略１．３μｍとした光信号ＯＳＭ２を、ビット伝送レートを１．４８５Ｇｂｐｓとするもとで送出する。この光信号ＯＳＭ２は、双方向性ＷＤＭカップラ２７３に供給される。
【０３１５】
双方向性ＷＤＭカップラ２７３にあっては、Ｅ／Ｏ変換部２８６からの、ビット伝送レートを数１．４８５Ｇｂｐｓとし、中心波長を略１．３μｍとする光信号ＯＳＭ２が、一端部側の二つの入出力端のうちの他方から導入されて、他端部側の一つの入出力端に導出される。双方向性ＷＤＭカップラ２７３から導出される光信号ＯＳＭ２は、光コネクタ２７２を通じて、光信号伝送ケーブル２６４にその他端側から送出され、光信号伝送ケーブル２６４の他端側から一端側へと伝送されて、その一端側から光コネクタ２６３を通じて双方向性ＷＤＭカップラ２６２へと導かれる。
【０３１６】
双方向性ＷＤＭカップラ２６２にあっては、光コネクタ２６３を通じた光信号ＯＳＭ２が、他端部側の一つの入出力端から導入されて、一端部側の二つの入出力端のうちの他方に導出される。双方向性ＷＤＭカップラ２６２から導出される光信号ＯＳＭ２は、Ｏ／Ｅ変換部２８７へと導かれる。
【０３１７】
Ｏ／Ｅ変換部２８７にあっては、ビット伝送レートを１．４８５Ｇｂｐｓとし、中心波長を略１．３μｍとする光信号ＯＳＭ２に光電変換処理を施して、光信号ＯＳＭ２に基づく、ビット伝送レートを１．４８５ＧｂｐｓとするシリアルデータＤＳＭ２を再生する。そして、再生されたシリアルデータＤＳＭ２は、Ｓ／Ｐ変換部２８８に供給される。
【０３１８】
Ｓ／Ｐ変換部２８８にあっては、ビット伝送レートを１．４８５ＧｂｐｓとするシリアルデータＤＳＭ２に、２０ビットパラレルデータを得るＳ／Ｐ変換処理を施し、シリアルデータＤＳＭ２に基づく、ワード伝送レートを１．４８５Ｇｂｐｓ／２０＝７４．２５ＭＢｐｓとする、ディジタルデータＤＰＭ２を再生して、それをカメラ部２５０に供給する。
【０３１９】
上述の如くの図４０及び図４１に示される例にあっては、カメラ部２５０から得られるデータＤＶＸＹが、図５３に示されるデータＤＶＡ１２＋ＤＫＡ１２，ＤＶＡ１４＋ＤＫＡ１４，ＤＶＡ１６＋ＤＫＡ１６及びＤＶＢ１２＋ＤＫＢ１２のうちのいずれかとされるもとで、光信号ＯＺ及びＯＺＣに変換され、カメラ部２５０側から光信号伝送ケーブル２５９及び２６４を通じて信号記録再生部２５１側に伝送されるとともに、信号記録再生部２５１から送出されるリターン映像信号を成すディジタルデータＤＰＭ１及びＤＰＭ２が、光信号ＯＳＭ１及びＯＳＭ２に変換され、信号記録再生部２５１側から光信号伝送ケーブル２５９及び２６４を通じてカメラ部２５０側に伝送されて、光信号伝送ケーブル２５９及び２６４を通じての、光信号ＯＺ及びＯＺＣと光信号ＯＳＭ１及びＯＳＭ２とについての双方向伝送が、夫々の減衰が最小限に抑えられるもとで行われる。
【０３２０】
また、カメラ部２５０から得られるデータＤＶＸＹの光信号ＯＺ及びＯＺＣへの変換、及び、リターン映像信号を成すディジタルデータＤＰＭ１及びＤＰＭ２の光信号ＯＳＭ１及びＯＳＭ２への変換は、例えば、ディジタル映像信号の HD SDI に従ったシリアル伝送に用いられる現存する回路構成要素を利用して行うことができることになる。
【０３２１】
【発明の効果】
以上の説明から明らかな如く、本願の特許請求の範囲における請求項１から請求項９までのいずれかに記載された発明に係るデータ伝送方法、あるいは、請求項４９から請求項５１までのいずれかに記載された発明に係るデータ伝送装置にあっては、フレームレートを２４Ｈｚ，２５Ｈｚもしくは３０Ｈｚとし、各フレームにおける有効ライン数が１０８０ライン，各ラインにおける有効データサンプル数が１９２０サンプルに設定されたディジタル映像信号を成すディジタルデータに応じた第１及び第２のシリアルデータと、それらとは別の第３のシリアルデータとが、光信号に変換され、共通の光信号伝送ケーブルの一端側と他端側との間において双方向伝送される。ディジタル映像信号は、例えば、量子化ビット数を１０ビット，１２ビット，１４ビットもしくは１６ビットとする４：２：２形式もしくは４：４：４形式のものとされる。そして、共通の光信号伝送ケーブルを通じた各光信号の伝送先において、第１及び第２のシリアルデータと第３のシリアルデータとが夫々再生される。
【０３２２】
斯かる際、第１及び第２のシリアルデータと第３のシリアルデータとの双方向伝送は、各シリアルデータに基づく光信号の伝送に際しての光信号の減衰が最小限に抑えられるもとで、例えば、ディジタル映像信号の HD SDI に従ったシリアル伝送に用いられる現存する回路構成要素を利用して、行うことができることになる。
【０３２３】
また、上述の如くの本願の特許請求の範囲における請求項１０から請求項２１までのいずれかに記載された発明に係るデータ伝送方法、あるいは、請求項５２から請求項５６までのいずれかに記載された発明に係るデータ伝送装置にあっては、フレームレートを６０Ｈｚとし、各フレームにおける有効ライン数が７２０ライン，各ラインにおける有効データサンプル数が１２８０サンプルに設定されたディジタル映像信号を成すディジタルデータに応じた第１及び第２のシリアルデータと、それらとは別の第３のシリアルデータとが、光信号に変換され、共通の光信号伝送ケーブルの一端側と他端側との間において双方向伝送される。ディジタル映像信号は、例えば、量子化ビット数を１０ビット，１２ビット，１４ビットもしくは１６ビットとする４：２：２形式もしくは４：４：４形式のものとされる。そして、共通の光信号伝送ケーブルを通じた各光信号の伝送先において、第１及び第２のシリアルデータと第３のシリアルデータとが夫々再生される。
【０３２４】
斯かる際、第１及び第２のシリアルデータと第３のシリアルデータとの双方向伝送は、各シリアルデータに基づく光信号の伝送に際しての光信号の減衰が最小限に抑えられるもとで、例えば、ディジタル映像信号の HD SDI に従ったシリアル伝送に用いられる現存する回路構成要素を利用して、行うことができることになる。
【０３２５】
本願の特許請求の範囲における請求項２２から請求項４２までのいずれかに記載された発明に係るデータ伝送方法、あるいは、請求項５７から請求項６５までのいずれかに記載された発明に係るデータ伝送装置にあっては、フレームレートを５０Ｈｚもしくは６０Ｈｚとし、各フレームにおける有効ライン数が１０８０ライン，各ラインにおける有効データサンプル数が１９２０サンプルに設定されたディジタル映像信号を成すディジタルデータに基づく第１から第４までのシリアルデータと、それらとは別の第５のシリアルデータもしくは第５及び第６のシリアルデータとが、光信号に変換され、二つの光信号伝送ケーブルが用いられて双方向伝送される。ディジタル映像信号は、例えば、量子化ビット数を１０ビット，１２ビット，１４ビットもしくは１６ビットとする４：２：２形式もしくは４：４：４形式のものとされる。そして、二つの光信号伝送ケーブルの夫々を通じた各光信号の伝送先において、第１から第４までのシリアルデータと第５のシリアルデータもしくは第５及び第６のシリアルデータとが夫々再生される。
【０３２６】
斯かる際にも、第１から第４までのシリアルデータと第５のシリアルデータもしくは第５及び第６のシリアルデータとの双方向伝送は、各シリアルデータに基づく光信号の伝送に際しての光信号の減衰が最小限に抑えられるもとで、例えば、ディジタル映像信号の HD SDI に従ったシリアル伝送に用いられる現存する回路構成要素を利用して、行うことができることになる。
【０３２７】
さらに、上述の如くの本願の特許請求の範囲における請求項４３から請求項４８までのいずれかに記載された発明に係るデータ伝送方法、あるいは、請求項６６または請求項６７に記載された発明に係るデータ伝送装置にあっては、フレームレートを６０Ｈｚとし、各フレームにおける有効ライン数が７２０ライン，各ラインにおける有効データサンプル数が１２８０サンプルに設定されたディジタル映像信号を成すディジタルデータに応じた第１，第２及び第３のシリアルデータと、それらとは別の第４のシリアルデータもしくは第４及び第５のシリアルデータとが、光信号に変換され、共通の光信号伝送ケーブルもしくは二つの光信号伝送ケーブルの夫々の一端側と他端側との間において双方向伝送される。ディジタル映像信号は、例えば、量子化ビット数を１０ビット，１２ビット，１４ビットもしくは１６ビットとする４：２：２形式もしくは４：４：４形式をとり、Ｋｅｙ信号を伴うものとされる。そして、共通の光信号伝送ケーブルもしくは二つの光信号伝送ケーブルを通じた各光信号の伝送先において、第１，第２及び第３のシリアルデータと第４もしくは第４及び第５のシリアルデータとが夫々再生される。
【０３２８】
斯かる際、第１，第２及び第３のシリアルデータと第４もしくは第４及び第５のシリアルデータとの双方向伝送は、各シリアルデータに基づく光信号の伝送に際しての光信号の減衰が最小限に抑えられるもとで、例えば、ディジタル映像信号の HD SDI に従ったシリアル伝送に用いられる現存する回路構成要素を利用して、行うことができることになる。
【０３２９】
このような本願の特許請求の範囲に記載された発明に係るデータ伝送方法あるいはデータ伝送装置が、例えば、カメラ部を構成する複数のビデオカメラの夫々から得られる、量子化ビット数を１０ビット以上とするＤ−Ｃｉｎｅｍａ信号，７２０Ｐ信号等を含むディジタル映像信号もしくは斯かるディジタル映像信号及びＫｅｙ信号を形成するディジタルデータ、及び、ディジタルリターン映像信号を形成するディジタルデータの夫々が変換されて得られる複数の光信号の、カメラ部と信号記録再生部との間における光信号伝送ケーブルを用いての双方向伝送に適用される際には、斯かる複数の光信号のカメラ部と信号記録再生部との間における光信号伝送ケーブルを用いての双方向伝送を、夫々の減衰が最小限に抑えられるもとで、現存する回路構成要素を利用して、光信号伝送ケーブルの数を最小限に抑えるべく、効率良く行うことができることになり、コストの低減等が効果的に図られる。
【図面の簡単な説明】
【図１】  本願の特許請求の範囲における請求項１から請求項２１までのいずれかに記載された発明に係るデータ伝送方法の例が実施される、本願の特許請求の範囲における請求項４９から請求項５６までのいずれかに記載された発明に係るデータ伝送装置の例を示すブロック接続図である。
【図２】  図１に示される例におけるデータ処理部の動作説明に供されるデータをあらわす概念図である。
【図３】  図１に示される例におけるデータ処理部の動作説明に供されるデータをあらわす概念図である。
【図４】  図１に示される例におけるデータ処理部の動作説明に供されるデータをあらわす概念図である。
【図５】  図１に示される例におけるデータ処理部の動作説明に供されるデータをあらわす概念図である。
【図６】  図１に示される例におけるデータ処理部の動作説明に供されるデータをあらわす概念図である。
【図７】  図１に示される例におけるデータ処理部の動作説明に供されるデータをあらわす概念図である。
【図８】  図１に示される例におけるデータ処理部の動作説明に供されるデータをあらわす概念図である。
【図９】  図１に示される例におけるデータ処理部の動作説明に供されるデータをあらわす概念図である。
【図１０】  図１に示される例におけるデータ処理部の動作説明に供されるデータをあらわす概念図である。
【図１１】  図１に示される例におけるデータ処理部の動作説明に供されるデータをあらわす概念図である。
【図１２】  図１に示される例におけるデータ処理部の動作説明に供されるデータをあらわす概念図である。
【図１３】  図１に示される例におけるデータ処理部の動作説明に供されるデータをあらわす概念図である。
【図１４】  図１に示される例におけるＥ／Ｏ変換部の具体構成をあらわすブロック接続図である。
【図１５】  図１４の具体構成に用いられる１．５５μｍ帯ＤＦＢレーザダイオードの説明に供される特性図である。
【図１６】  図１の例に用いられる双方向性ＷＤＭカップラの具体構成例をあらわすブロック接続図である。
【図１７】  図１に示される例に用いられる双方向性ＷＤＭカップラの具体構成例をあらわすブロック接続図である。
【図１８】  図１に示される例に用いられるＥ／Ｏ変換部の具体構成をあらわすブロック接続図である。
【図１９】  図１に示される具体構成に用いられる１．３μｍ帯ＦＰレーザダイオードの説明に供される特性図である。
【図２０】  本願の特許請求の範囲における請求項２２から請求項３０までのいずれかに記載された発明に係るデータ伝送方法の例が実施される、本願の特許請求の範囲における請求項５７から請求項５９までのいずれかに記載された発明に係るデータ伝送装置の例の部分を示すブロック接続図である。
【図２１】  本願の特許請求の範囲における請求項２２から請求項３０までのいずれかに記載された発明に係るデータ伝送方法の例が実施される、本願の特許請求の範囲における請求項５７から請求項５９までのいずれかに記載された発明に係るデータ伝送装置の例の部分を示すブロック接続図である。
【図２２】  図２０及び図２１に示される例におけるデータ処理部の動作説明に供されるデータをあらわす概念図である。
【図２３】  図２０及び図２１に示される例におけるデータ処理部の動作説明に供されるデータをあらわす概念図である。
【図２４】  図２０及び図２１に示される例におけるデータ処理部の動作説明に供されるデータをあらわす概念図である。
【図２５】  図２０及び図２１に示される例におけるデータ処理部の動作説明に供されるデータをあらわす概念図である。
【図２６】  図２０及び図２１に示される例におけるデータ処理部の動作説明に供されるデータをあらわす概念図である。
【図２７】  図２０及び図２１に示される例におけるデータ処理部の動作説明に供されるデータをあらわす概念図である。
【図２８】  本願の特許請求の範囲における請求項２２から請求項３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の一例の部分を示すブロック接続図である。
【図２９】  本願の特許請求の範囲における請求項２２から請求項３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の一例の部分を示すブロック接続図である。
【図３０】  図２８及び図２９に示される例に用いられる合波部の具体構成例をあらわすブロック接続図である。
【図３１】  図２８及び図３０に示される例に用いられる分波部の具体構成例をあらわすブロック接続図である。
【図３２】  本願の特許請求の範囲における請求項２２から請求項３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の他の例の部分を示すブロック接続図である。
【図３３】  本願の特許請求の範囲における請求項２２から請求項３０までのいずれかに記載された発明に係るデータ伝送方法に関連する技術が実施される、本願の特許請求の範囲における請求項５７から請求項５９までのいずれかに記載された発明に係るデータ伝送装置に関連するデータ伝送装置の他の例の部分を示すブロック接続図である。
【図３４】  本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の例の部分を示すブロック接続図である。
【図３５】  本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の例の部分を示すブロック接続図である。
【図３６】  本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の他の例の部分を示すブロック接続図である。
【図３７】  本願の特許請求の範囲における請求項３１から請求項３６までのいずれかに記載された発明に係るデータ伝送方法の例が実施される、本願の特許請求の範囲における請求項６０から請求項６２までのいずれかに記載された発明に係るデータ伝送装置の他の例の部分を示すブロック接続図である。
【図３８】  本願の特許請求の範囲における請求項３７から請求項４２までのいずれかに記載された発明に係るデータ伝送方法の例が実施される、本願の特許請求の範囲における請求項６３から請求項６５までのいずれかに記載された発明に係るデータ伝送装置の他の例の部分を示すブロック接続図である。
【図３９】  本願の特許請求の範囲における請求項３７から請求項４２までのいずれかに記載された発明に係るデータ伝送方法の例が実施される、本願の特許請求の範囲における請求項６３から請求項６５までのいずれかに記載された発明に係るデータ伝送装置の他の例の部分を示すブロック接続図である。
【図４０】  本願の特許請求の範囲における請求項４３から請求項４８までのいずれかに記載された発明に係るデータ伝送方法の例が実施される、本願の特許請求の範囲における請求項６６または請求項６７に記載された発明に係るデータ伝送装置の他の例の部分を示すブロック接続図である。
【図４１】  本願の特許請求の範囲における請求項４３から請求項４８までのいずれかに記載された発明に係るデータ伝送方法の例が実施される、本願の特許請求の範囲における請求項６６または請求項６７にに記載された発明に係るデータ伝送装置の他の例の部分を示すブロック接続図である。
【図４２】  図４０及び図４１に示される例におけるデータ処理部の動作説明に供されるデータをあらわす概念図である。
【図４３】  図４０及び図４１に示される例におけるデータ処理部の動作説明に供されるデータをあらわす概念図である。
【図４４】  図４０及び図４１に示される例におけるデータ処理部の動作説明に供されるデータをあらわす概念図である。
【図４５】  図４０及び図４１に示される例におけるデータ処理部の動作説明に供されるデータをあらわす概念図である。
【図４６】  図４０及び図４１に示される例におけるデータ処理部の動作説明に供されるデータをあらわす概念図である。
【図４７】  図４０及び図４１に示される例におけるデータ処理部の動作説明に供されるデータをあらわす概念図である。
【図４８】  ＨＤディジタル映像信号のデータフォーマットの一例の説明に供される概念図である。
【図４９】  ＨＤディジタル映像信号のデータフォーマットの一例の説明に供される概念図である。
【図５０】  石英系ＳＭＦの減衰特性をあらわす特性図である。
【図５１】  石英系ＳＭＦの分散特性をあらわす特性図である。
【図５２】  ディジタル映像信号を成すディジタルデータの説明に供される表図である。
【図５３】  ディジタル映像信号を成すディジタルデータの説明に供される表図である。
【符号の説明】
１０，６０，２５０・・・カメラ部，  １１，６１，２５１・・・信号記録再生部，  １２，６２，２５２・・・データ処理部，  １３，１５，５０，６３，６５，８３，８５，１００，１０５，１２６，１７４，１７７，２５３，２５５，２６０，２８０，２８５・・・Ｐ／Ｓ変換部，  １４，６４，８４，２５４・・・ビット多重部，  １６，５１，６６，８６，１０１，１０６，１１０，１１１，１６１〜１６４，１７５，１７８，１９０，２５６，２６１，２８１，２８６・・・Ｅ／Ｏ変換部，  １７，５２・・・レーザ駆動部，  １８・・・１．５５μｍ帯ＤＦＢレーザダイオード，  １９，３２，６７，７２，８７，９２，１９１，１９７，２５７，２６２，２６６，２７３・・・双方向性ＷＤＭカップラ，  ２０，３４・・・方向性結合部，  ２１，２３，２５，３０，３３，３５，３７，３９，７０，７３，９０，９３，１６６，１６８，１７９，１８１，１８８，１９２，１９４，１９６，２２０，２２２，２２３，２３０，２３２，２３３，２５８，２６３，２６５，２７２・・・光コネクタ，  ３１，７１，９１，１６７，１８０，１８９，１９３，２５９，２６４・・・光信号伝送ケーブル，  ４１，５４，７４，９４，１０２，１０７，１１６，１１７，１２８，１７０〜１７３，１８３，１８４，１９８，２６７，２７４，２８２，２８７・・・Ｏ／Ｅ変換部，  ４２，７５，９５，２６８・・・ビット分離部，  ４３，４４，５５，７６，７７，９６，９７，１２９，１８５，１８６，２６９，２７０，２７５，２８３，２８８・・・Ｓ／Ｐ変換部，  ４５，８０，２７１・・・データ再生処理部，  ５３・・・１．３μｍ帯ＦＰレーザダイオード，  １６５，１８７・・・合波部，  １６９，１７６，１８２，１９５・・・分波部
【図１】
0004131115.tif 000002
【図２】
0004131115.tif 000003
【図３】
0004131115.tif 000004
【図４】
0004131115.tif 000005
【図５】
0004131115.tif 000006
【図６】
0004131115.tif 000007
【図７】
0004131115.tif 000008
【図８】
0004131115.tif 000009
【図９】
0004131115.tif 000010
【図１０】
0004131115.tif 000011
【図１１】
0004131115.tif 000012
【図１２】
0004131115.tif 000013
【図１３】
0004131115.tif 000014
【図１４】
0004131115.tif 000015
【図１５】
0004131115.tif 000016
【図１６】
0004131115.tif 000017
【図１７】
0004131115.tif 000018
【図１８】
0004131115.tif 000019
【図１９】
0004131115.tif 000020
【図２０】
0004131115.tif 000021
【図２１】
0004131115.tif 000022
【図２２】
0004131115.tif 000023
【図２３】
0004131115.tif 000024
【図２４】
0004131115.tif 000025
【図２５】
0004131115.tif 000026
【図２６】
0004131115.tif 000027
【図２７】
0004131115.tif 000028
【図２８】
0004131115.tif 000029
【図２９】
0004131115.tif 000030
【図３０】
0004131115.tif 000031
【図３１】
0004131115.tif 000032
【図３２】
0004131115.tif 000033
【図３３】
0004131115.tif 000034
【図３４】
0004131115.tif 000035
【図３５】
0004131115.tif 000036
【図３６】
0004131115.tif 000037
【図３７】
0004131115.tif 000038
【図３８】
0004131115.tif 000039
【図３９】
0004131115.tif 000040
【図４０】
0004131115.tif 000041
【図４１】
0004131115.tif 000042
【図４２】
0004131115.tif 000043
【図４３】
0004131115.tif 000044
【図４４】
0004131115.tif 000045
【図４５】
0004131115.tif 000046
【図４６】
0004131115.tif 000047
【図４７】
0004131115.tif 000048
【図４８】
0004131115.tif 000049
【図４９】
0004131115.tif 000050
【図５０】
0004131115.tif 000051
【図５１】
0004131115.tif 000052
【図５２】
0004131115.tif 000053
【図５３】
0004131115.tif 000054